(57)【要約】  本発明は、悪臭低減組成物を含む洗浄及び／又は処理組成物に、並びにそのような洗浄及び／又は処理組成物並びに悪臭低減組成物の製造及び使用方法に関する。結果として、そのような悪臭低減組成物は、そのような組成物を含む、賦香された又は賦香されていない洗浄及び／又は処理組成物の香り、並びにそのような洗浄及び／又は処理組成物で処理される、賦香された又は賦香されていない場所の香りに過度に干渉しない。【特許請求の範囲】
【請求項１】
１０ｍＰａ・ｓ〜５０，０００ｍＰａ・ｓ、好ましくは５０ｍＰａ・ｓ〜２０００ｍＰａ・ｓ、最も好ましくは７５ｍＰａ・ｓ〜４００ｍＰａ・ｓの粘度、３〜１０、好ましくは４〜８、最も好ましくは５〜８のｐＨを有する洗浄及び／又は処理組成物であって、洗浄及び／又は処理組成物の全重量に基づき、
ａ）総量が、０．０００２５％〜０．５％、好ましくは０．００２５％〜０．１％、より好ましくは０．００５％〜０．０７５％、最も好ましくは０．０１％〜０．０５％の１種以上の悪臭低減物質、好ましくは１〜２０種の悪臭低減物質、より好ましくは１〜１５種の悪臭低減物質、最も好ましくは１〜１０種の悪臭低減物質（前記悪臭低減物質の各々は、少なくとも０．５、好ましくは０．５〜１０、より好ましくは１〜１０、最も好ましくは１〜５のＭＯＲＶを有し、好ましくは、前記悪臭低減物質の各々は、普遍的（Univesal）ＭＯＲＶを有し、悪臭低減物質の前記総量が、３未満、より好ましい２．５未満、よりいっそう好ましくは２未満、よりいっそう好ましくは１未満、最も好ましくは０のブロッカー指数、及び／又は３〜０．００１のブロッカー指数平均値を有する）；及び
ｂ）０．２５％〜５０％、好ましくは０．５％〜２５％、より好ましくは０．７５％〜１５％、最も好ましくは１％〜１０％の可溶化剤（好ましくは、前記可溶化剤は、溶剤、乳化剤、界面活性剤、柔軟仕上げ剤活性物質及びそれらの混合物からなる群から選択され、好ましくは、前記溶剤は、０．２５％〜５０％、好ましくは１％〜２０％、最も好ましくは２％〜１０％の範囲で存在し、好ましくは、前記乳化剤は、０．１％〜１０％の範囲、より好ましくは０．５〜５％の範囲で存在し、好ましくは、前記界面活性剤は、０．１〜３５％の範囲、好ましくは１％〜２５％の範囲、最も好ましくは１．５％〜２０％の範囲で存在し、好ましくは、前記柔軟仕上げ剤活性物質は、１％〜３５％の範囲、より好ましくは２％〜２０％の範囲、最も好ましくは３％〜１０％の範囲で存在する）
を含む、洗浄及び／又は処理組成物。
【請求項２】
洗浄及び／又は処理組成物であって：
ａ）前記界面活性剤が、非イオン性界面活性剤、陰イオン性界面活性剤、陽イオン性界面活性剤、両性界面活性剤、双性イオン性界面活性剤、半極性非イオン性界面活性剤及びこれらの混合物からなる群から選択され；
ｂ）前記溶剤が、硬化ヒマシ油、グリコール、アルコール、及びそれらの混合物からなる群から選択され；
ｃ）前記柔軟仕上げ剤活性物質が、第四級アンモニウム化合物、アミン及びそれらの混合物からなる群から選択され、好ましくは、前記第四級アンモニウム化合物は、ビス−（２−ヒドロキシプロピル）−ジメチルアンモニウムメチルスルフェート脂肪酸エステル、１，２−ジ（アシルオキシ）−３−トリメチルアンモニウムプロパンクロリド、Ｎ，Ｎ−ビス（ステアロイル−オキシ−エチル）Ｎ，Ｎ−ジメチルアンモニウムクロリド、Ｎ，Ｎ−ビス（タロイル−オキシ−エチル）Ｎ，Ｎ−ジメチルアンモニウムクロリド、Ｎ，Ｎ−ビス（ステアロイル−オキシ−エチル）Ｎ−（２−ヒドロキシエチル）Ｎ−メチルアンモニウムメチルスルフェート、１，２−ジ（ステアロイル−オキシ）−３−トリメチルアンモニウムプロパンクロリド、ジカノーラジメチルアンモニウムクロリド、ジ（硬質）獣脂ジメチルアンモニウムクロリド、ジカノーラジメチルアンモニウムメチルスルフェート、１−メチル−１−ステアロイル−２−ステアロイルイミダゾリウムメチルスルフェート、１−タロイルアミドエチル−２−タロイルイミダゾリン、ジパルメチルヒドロキシエチルアンモニウムメトスルフェート及びそれらの混合物からなる群から選択される、請求項１に記載の洗浄及び／又は処理組成物。
【請求項３】
３未満、好ましくは２未満、より好ましくは１未満、最も好ましくは０の芳香忠実度指数（Fragrance Fidelity Index）、及び芳香忠実度指数３〜０．００１の芳香忠実度指数平均値を有する、請求項１または２に記載の洗浄及び／又は処理組成物。
【請求項４】
香料を含み、悪臭低減組成物の部の香料の部に対する重量比１：２０，０００〜３０００：１、好ましくは１：１０，０００〜１，０００：１、より好ましくは５，０００：１〜５００：１、最も好ましくは１：１５〜１：１を有する、請求項１〜３のいずれかに記載の洗浄及び／又は処理組成物。
【請求項５】
３より大きい、好ましくは３より大きいが８未満のｌｏｇ  Ｐを有する１種以上の悪臭低減物質を含み、
好ましくは、前記１種以上の悪臭低減物質が以下のものからなる群から選択される：２−エチル（Ｚ）−３−（４−メトキシフェニル）アクリレート；２，４−ジメチル−２−（５，５，８，８−テトラメチル−５，６，７，８−テトラヒドロナフタレン−２−イル）−１，３−ジオキソラン；１，１−ジメトキシノン−２−イン；３−メトキシ−７，７−ジメチル−１０−メチレンビシクロ［４．３．１］デカン；メトキシシクロドデカン；１，１−ジメトキシシクロドデカン；（Ｚ）−トリデカ−２−エンニトリル；（２−ヒドロキシ−４−メトキシフェニル）（フェニル）メタノン；２，４ａ，５，８ａ−テトラメチル−１，２，３，４，４ａ，７，８，８ａ−オクタヒドロナフタレン−１−イルホルメート；１，８−シクロヘキサデセン−９−オン；４−（ｔｅｒｔ−ペンチル）シクロヘキサン−１−オン；２−メトキシ−１，１’−ビフェニル；３ａ，５，６，７，８，８ｂ−ヘキサヒドロ−２，２，６，６，７，８，８−ヘプタメチル−４Ｈ−インデノ（４，５−ｄ）−１，３−ジオキソール；７−メトキシ−８，８−ジメチル−６，１０−ジオキサスピロ［４．５］デカン；オクチルフラン−２−カルボキシレート；オクチルアセテート；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−イルアセテート；テトラデカナール；テトラデカンニトリル；
２，２，６，８−テトラメチル−１，２，３，４，４ａ，５，８，８ａ−オクタヒドロナフタレン−１−オール；２−（（１Ｓ，５Ｒ）−６，６−ジメチルビシクロ［３．１．１］ヘプタ−２−エン−２−イル）エチルアセテート；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；１２−メチル−１４−テトラデカ−９−エノリド；Ｎ−エチル−２−イソプロピル−５−メチルシクロヘキサン−１−カルボキサミド；２−メトキシナフタレン；（Ｅ）−３，７，１１−トリメチルドデカ−１，６，１０−トリエン−３−オール；（Ｚ）−３，７−ジメチルオクタ−２，６−ジエン−１−オール；メチル（Ｅ）−ノナ−２−エノエート；１０−イソプロピル−２，７−ジメチル−１−オキサスピロ［４．５］デカ−３，６−ジエン；２−（２−（４−メチルシクロヘキサ−３−エン−１−イル）プロピル）シクロペンタ−１−オン；（Ｅ）−４−（２，２，３，６−テトラメチルシクロヘキシル）ブタ−３−エン−２−オン；（４−（４−メチルペンタ−３−エン−１−イル）シクロヘキサン−３−エン−１−イル）メチルセテート；２−（ｔｅｒｔ−ブチル）−４，５，６−トリメチル−１，３−フェニレンジニトリル；１，７−ジオキサシクロヘプタデカン−８−オン；１−（４−（ｔｅｒｔ−ブチル）−２，６−ジメチル−３，５−ジニトロフェニル）エタン−１−オン；１−（ｔｅｒｔ−ブチル）−２−メトキシ−４−メチル−３，５−ジニトロベンゼン；３−メチルシクロペンタデカン−１−オン；（Ｅ）−３−メチルシクロペンタデカ−４−エン−１−オン；１−（４−イソプロピルシクロヘキシル）エタン−１−オール；（Ｅ）−デカ−５−エン酸；メチルノナ−２−イノエート；２−メチルデカナール；６，６−ジメトキシ−２，５，５−トリメチルヘキサ−２−エン；メチルステアレート；１，１−ジメトキシ−２−メチルウンデカン；ウンデカン−２−オン；２−メチルウンデカナール；メチルテトラデカノエート；メチル（９Ｚ，１２Ｚ）−オクタデカ−９，１２−ジエノエート；メチルパルミテート；１−メチル−２−フェニルベンゼン；１−アリル−４−メトキシベンゼン；１−（ナフタレン−２−イル）エタン−１−オン；メチルオクタ−２−イノエート；メチル２，６，６−トリメチルシクロヘキサ−２−エン−１−カルボキシレート；７−イソプロピル−１０−メチル−１，５−ジオキサスピロ［５．５］ウンデカン−３−オール；３−（３−（ｔｅｒｔ−ブチル）フェニル）−２−メチルプロパナール；（Ｅ）−４−（４，８−ジメチルノナ−３，７−ジエン−１−イル）ピリジン；（Ｅ）−トリデカ−３，１２−ジエンニトリル；２，２−ジメチル−３−（ｍ−トリル）プロパン−１−オール；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；３，７−ジメチルオクタ−１，６−ジエン−３−イルオクタノエート；３，７−ジメチルオクタ−１，６−ジエン−３−イルイソブチレート；３，７−ジメチルオクタ−１，６−ジエン−３−イルベンゾエート；３，７−ジメチルオクタ−１，６−ジエン−３−イル２−アミノベンゾエート；（２Ｚ，６Ｅ）−３，７−ジメチルノナ−２，６−ジエンニトリル；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；ドデカン−１−オール；ドデシルアセテート；ドデカン酸；５−ヘキシル−５−メチルジヒドロフラン−２（３Ｈ）−オン；ドデカナール；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；
５−（ｓｅｃ−ブチル）−２−（２，４−ジメチルシクロヘキサ−３−エン−１−イル）−５−メチル−１，３−ジオキサン；（１−メチル−２−（（１，２，２−トリメチルビシクロ［３．１．０］ヘキサン−３−イル）メチル）シクロプロピル）メタノール；２−プロピルヘプタンニトリル；２−ヘキシルシクロペンタン−１−オン；２，６，９，１０−テトラメチル−１−オキサスピロ（４，５）デカ−３，６−ジエン；イソプロピルパルミテート；イソプロピルテトラデカノエート；イソプロピルドデカノエート；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−イソプロピル−５−メチルシクロヘキサン−１−オン；４−（４−メチルペンタ−３−エン−１−イル）シクロヘキサ−３−エン−１−カルバルデヒド；（Ｚ）−１−（ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；６−（ｓｅｃ−ブチル）キノリン；２−（シクロヘキシルオキシ）−１，７，７−トリメチルビシクロ［２．２．１］−ヘプタン；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチレート；４−（（２Ｒ）−１，７，７−トリメチルビシクロ［２．２．１］ヘプタン−２−イル）シクロヘキサン−１−オール；（１Ｒ，４Ｓ）−１，７，７−トリメチルビシクロ［２．２．１］ヘプタン−２−イルアセテート；２−（４−イソプロピルシクロヘキサ−１，４−ジエン−１−イル）エチルホルメート；イソペンチル（Ｅ）−ウンデカ−６−エノエート；イソペンチルドデカノエート；（Ｅ）−オキサシクロヘプタデカ−１０−エン−２−オン；（Ｅ）−ノナ−２−エンニトリル；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；２−シクロドデシルプロパン−１−オール；３−メチル−５−フェニルペンタンニトリル；２，３−ジヒドロ−３，３−ジメチル−１Ｈ−インデン−５−プロパナール；３−（３，３−ジメチル−２，３−ジヒドロ−１Ｈ−インデン−５−イル）プロパナール；ヘキシルオクタノエート；ヘキシルヘキサノエート；（Ｚ）−２−ベンジリデンオクタナール；ヘキシルベンゾエート；（Ｚ）−ヘキサ−１−エン−１−イル（Ｚ）−２−メチルブタ−２−エノエート；（Ｅ）−３，７−ジメチルオクタ−２，６−ジエン−１−イルパルミテート；オキサシクロヘプタデカン−２−オン；エチル（１Ｒ，２Ｒ，３Ｒ，４Ｒ）−３−イソプロピルビシクロ［２．２．１］ヘプタ−５−エン−２−カルボキシレート；２−（１−（３，３−ジメチルシクロヘキシル）エトキシ）−２−メチルプロピルプロピオネート；（Ｅ）−オキサシクロヘキサデカ−１３−エン−２−オン；６−ブチル−２，４−ジメチル−３，６−ジヒドロ−２Ｈ−ピラン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；エチル２−エチル−６，６−ジメチルシクロヘキサ−２−エン−１−カルボキシラート；（１Ｚ，５Ｚ）−１，５−ジメチル−８−（プロパン−２−イリデン）シクロデカ−１，５−ジエン；（１Ｅ，６Ｅ）−８−イソプロピル−１−メチル−５−メチレンシクロデカ−１，６−ジエン；（Ｅ）−３，７−ジメチルオクタ−２，６−ジエン−１−イル２−フェニルアセテート；（Ｅ）−３，７−ジメチルオクタ−２，６−ジエン−１−イル２−フェニルアセテート；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；
（Ｚ）−４−（２，２−ジメチル−６−メチレンシクロヘキシル）ブタ−３−エン−２−オン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，３ａＲ，４Ｒ，７Ｒ）−１，４−ジメチル−７−（プロパ−１−エン−２−イル）−１，２，３，３ａ，４，５，６，７−オクタヒドロアズレン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；（１Ｒ，４ａＳ，８ａＳ）−１−イソプロピル−７−メチル−４−メチレン−１，２，３，４，４ａ，５，６，８ａ−オクタヒドロナフタレン；１−（３，３−ジメチルシクロヘキシル）ペンタ−４−エン−１−オン；４，６，６，７，８，８−ヘキサメチル−１，３，４，６，７，８−ヘキサヒドロシクロペンタ［ｇ］イソクロメン；フラン−２−イルメチルオクタノエート；フラン−２−イルメチルヘキサノエート；フラン−２−イルメチルヘプタノエート；２−メチルデカンニトリル；８，８−ジメチル−３ａ，４，５，６，７，７ａ−ヘキサヒドロ−１Ｈ−４，７−メタノインデン−６−イルプロピオネート；エチル（３ａＲ，４Ｓ，７Ｒ，７ａＲ）−オクタヒドロ−３ａＨ−４，７−メタノインデン−３ａ−カルボキシレート；（６−イソプロピル−９−メチル−１，４−ジオキサスピロ［４．５］デカン−２−イル）メタノール；ウンデカ−１０−エンニトリル；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；８，８−ジメチル−３ａ，４，５，６，７，７ａ−ヘキサヒドロ−１Ｈ−４，７−メタノインデン−６−イルアセテート；３−（４−エチルフェニル）−２，２−ジメチルプロパンニトリル；２−ヘプチルシクロペンタン−１−オン；１−エトキシエトキシシクロドデカン；３−シクロヘキセン−１−カルボン酸２，６，６−トリメチル−，メチルエステル；（２Ｅ，６Ｅ）−３，７，１１−トリメチルドデカ−２，６，１０−トリエン−１−イルアセテート；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；１，４−ジオキサシクロヘプタデカン−５，１７−ジオン；エチルウンデカ−１０−エノエート；エチルパルミテート；エチルノナノエート；エチルテトラデカノエート；（Ｅ）−３，７−ジメチルノナ−１，６−ジエン−３−オール；エチルドデカノエート；エチルデカノエート；エチル６，６−ジメチル−２−メチルシクロヘキサ−３−エン−１−カルボキシレート；６−エチル−２，１０，１０−トリメチル−１−オキサスピロ［４．５］デカ−３，６−ジエン；２−
（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（Ｅ）−４−（（３ａＳ，７ａＳ）−オクタヒドロ−５Ｈ−４，７−メタノインデン−５−イリデン）ブタナール；１，１−ジメトキシドデカン；（Ｒ）−１−メチル−４−（プロパ−１−エン−２−イル）シクロヘキサ−１−エン；７，９−ジメチルスピロ［５．５］ウンデカン−３−オン；オキシジベンゼン；ジフェニルメタン；２−メチル−１−フェニルプロパン−２−イルブチレート；オクタヒドロ−１Ｈ−４，７−メタノインデン−５−イルアセテート；２−メチル−５−（プロパ−１−エン−２−イル）シクロヘキシルアセテート；３，７−ジメチルオクタ−６−エン−３−オール；ジブチルスルファン；１，２−ジフェニルエタン；６−ヘキシルテトラヒドロ−２Ｈ−ピラン−２−オン；（３Ｒ，４Ｒ）−１−イソプロピル−４−メチル−３−（プロパ−１−エン−２−イル）−４−ビニルシクロヘキサ−１−エン；（３Ｓ，３ａＳ，５Ｒ）−３，８−ジメチル−５−（プロパ−１−エン−２−イル）−１，２，３，３ａ，４，５，６，７−オクタヒドロアズレン；６−ヘプチルテトラヒドロ−２Ｈ−ピラン−２−オン；（１Ｓ，８ａＲ）−４，７−ジメチル−１−（プロパン−２−イリデン）−１，２，３，５，６，８ａ−ヘキサヒドロナフタレン；（Ｚ）−１−（（１Ｒ，２Ｓ）−２，６，６−トリメチルシクロヘキサ−３−エン−１−イル）ブタ−２−エン−１−オン；（１Ｓ，８ａＳ）−１−イソプロピル−４，７−ジメチル−１，２，３，５，６，８ａ−ヘキサヒドロナフタレン；３，７，７−トリメチルビシクロ［４．１．０］ヘプタ−３−エン；デカ−９−エン−１−オール；デシルプロピオネート；１，１−ジエトキシデカン；１−シクロヘキシルエチル（Ｅ）−ブタ−２−エノエート；３−（４−イソプロピルフェニル）−２−メチルプロパナール；シクロテトラデカン；シクロペンタデカノン；シクロヘキシル２−ヒドロキシベンゾエート；３ａ，４，５，６，７，７ａ−ヘキサヒドロ−１Ｈ−４，７−メタノインデン−６−イルブチレート；８，８−ジメチル−１，２，３，４，５，６，７，８−オクタヒドロナフタレン−２−カルバルデヒド；３ａ，４，５，６，７，７ａ−ヘキサヒドロ−１Ｈ−４，７−メタノインデン−５−イルイソブチレート；（５Ｒ，６Ｒ）−３，６−ジメチル−５−（プロパ−１−エン−２−イル）−６−ビニル−４，５，６，７−テトラヒドロベンゾフラン；２−（３−フェニルプロピル）−ピリジン；ドデカンニトリル；（Ｅ）−シクロヘプタデカ−９−エン−１−オン；３−（４−メチルシクロヘキサ−３−エン−１−イル）ブタ−３−エン−１−イルアセテート；３−（４−メチルシクロヘキサ−３−エン−１−イル）ブタン−１−オール；（Ｅ）−３−メチル−５−フェニルペンタ−２−エンニトリル；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−１，１−ジエトキシ−３，７−ジメチルオクタ−２，６−ジエン；（Ｅ）−３，７−ジメチルオクタ−１，３，６−トリエン；（Ｅ）−オキサシクロヘプタデカ−１１−エン−２−オン；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−ヒドロキシベンゾエート；（Ｚ）−ヘキサ−３−エン−１−イルベンゾエート；（Ｚ）−ヘキサ−３−エン−１−イル２−メチルブタノエート；シンナミルプロピオネート；シンナミルイソブチレート；シンナミルシンナメート；ヘキシルデカン−１−オール；（Ｅ）−１−（２，６，６−トリメチルシクロヘキサ−２−エン−１−イル）ヘプタ−１，６−ジエン−
３−オン；２−メチル−４−（２，６，６−トリメチルシクロヘキサ−１−エン−１−イル）ブタナール；（３ａＲ，５ａＲ，９ａＲ，９ｂＲ）−３ａ，６，６，９ａ−テトラメチルドデカヒドロナフト［２，１−ｂ］フラン；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（４Ｚ，８Ｚ）−１，５，９−トリメチル−１３−オキサビシクロ［１０．１．０］トリデカ−４，８−ジエン；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；５−メチル−１−（２，２，３−トリメチルシクロペンタ−３−エン−１−イル）−６−オキサビシクロ［３．２．１］オクタン；１，１，２，３，３−ペンタメチル−１，２，３，５，６，７−テトラヒドロ−４Ｈ−インデン−４−オン；（Ｚ）−４，１１，１１−トリメチル−８−メチレンビシクロ［７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカンー１−オール；２−メチル−５−（プロパ−１−エン−２−イル）シクロヘキサ−２−エン−１−イルアセテート；オクタニトリル；ドデカン酸；デカナール；２，２−ジメチル−３−メチレンビシクロ［２．２．１］−ヘプタン；エチル２−メチル−４−オキソ−６−ペンチルシクロヘキサ−２−エン−１−カルボキシレート；２，６−ジ−ｔｅｒｔ−ブチル−
４−メチルフェノール；ブチルステアレート；ブチルウンデカ−１０−エノエート；２−メチル−４−（２，２，３−トリメチルシクロペンタ−３−エン−１−イル）ブタン−１−オール；３−（４−（ｔｅｒｔ−ブチル）フェニル）プロパナール；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；（エトキシメトキシ）シクロドデカン；（Ｅ）−１−メチル−４−（６−メチルヘプタ−５−エン−２−イリデン）シクロヘキサ−１−エン；３，３，６，７−テトラメチルオクタヒドロ−２Ｈ−クロメン；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキシルアセテート；（２Ｚ，６Ｅ）−２，６−ジメチル−１０−メチレンドデカ−２，６，１１−トリエナール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパー１−エン−２−イル）デカヒドロナフタレン；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；６，６−ジメチル−２−メチレンビシクロ［３．１．１］−ヘプタン；２−エトキシナフタレン；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１．７］シクロヘプタン［１．２−ｂ］オキシレン；（Ｒ）−３，５，５，９−テトラメチル−２，４ａ，５，６，７，８−ヘキサヒドロ−１Ｈ−ベンゾ［７］アヌレン；（１Ｓ，４Ｓ）−１，４−ジメチル−７−（プロパン−２−イリデン）−１，２，３，４，５，６，７，８−オクタヒドロアズレン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレンシトリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；（Ｓ）−４−メチル−１−（（Ｓ）−６−メチルヘプタ−５−エン−２−イル）シクロヘキサ−３−エン−１−オール；ベンジルドデカノエート；ベンジルシンナメート；ベンジルベンゾエート；２’−イソプロピル−１，７，７−トリメチルスピロ［ビシクロ［２．２．１］ヘプタン−２，４’−［１，３］ジオキサン］；４−（４−メチルペンタ−３−エン−１−イル）シクロヘキサ−３−エン−１−カルボニトリル；メチル（Ｅ）−２−（７−ヒドロキシ−３，７−ジメチルオクチリデン）アミノ）ベンゾエート；４−メトキシベンジル２−フェニルアセテート；ペンチル（Ｚ）−３−フェニルアクリレート；（３ａＲ，５ａＳ，９ａＳ，９ｂＲ）−３ａ，６，６，９ａ−テトラメチルドデカヒドロナフト［２，１−ｂ］フラン；（４ａＲ，５Ｒ，７ａＳ，９Ｒ）−２，２，５，８，８，９ａ−ヘキサメチルオクタヒドロ−４Ｈ−４ａ，９−メタノアズレン［５，６−ｄ］［１，３］ジオキソール；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；
（３Ｓ，５ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン；２，２，６，６，７，８，８−ヘプタメチルデカヒドロ−２Ｈ−インデノ［４，５−ｂ］フラン；２，２，７，７，８，９，９−ヘプタメチルデカヒドロインデノ［４，３ａ−ｂ］フラン；２−（ｓｅｃ−ブチル）−１−ビニルシクロヘキシルアセテート；（４Ｒ，４ａＳ）−４，４ａ−ジメチル−６−（プロパン−２−イリデン）−４，４ａ，５，６，７，８−ヘキサヒドロナフタレン−２（３Ｈ）−オン；２−（４−メチルシクロヘキサ−３−エン−１−イル）プロパン−２−イルプロピオネート；（２Ｚ，６Ｅ，９Ｅ）−２，６，１０−トリメチルドデカ−２，６，９，１１−テトラエナール；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（Ｅ）−５−（２，３−ジメチルトリシクロ［２．２．１．０．２，６］ヘプタン−３−イル）−２−メチルペンタ−２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；１−（５，５−ジメチルシクロヘキサ−１−エン−１−イル）ペンタ−４−エン−１−オン；（１Ｓ，４ａＳ，８ａＲ）−１−イソプロピル−４，７−ジメチル−１，２，４ａ，５，６，８ａ−ヘキサヒドロナフタレン；（Ｒ，Ｚ）−１−（２，６，６−トリメチルシクロヘキサ−２−エン−１−イル）ペンタ−１−エン−３−オン；１−メチル−４−（プロパ−１−エン−２−イル）シクロヘキサ−１−エン；（Ｚ）−４−（２，５，６，６−テトラメチルシクロヘキサ−２−エン−１−イル）ブタ−３−エン−２−オン；（１Ｚ，４Ｅ，８Ｚ）−２，６，６，９−テトラメチルシクロウンデカ−１，４，８−トリエン；（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン；（１ａＲ，４Ｒ，４ａＲ，７ｂＳ）−１，１，４，７−トリメチル−１ａ，２，３，４，４ａ，５，６，７ｂ−オクタヒドロ−１Ｈ−シクロプロパ［ｅ］アズレン；１，４−ジメチル−７−（プロパ−１−エン−２−イル）−１，２，３，４，５，６，７，８−オクタヒドロアズレン；（３Ｅ，６Ｅ）−３，７，１１−トリトリメチルドデカ−１，３，６，１０−テトラエン；７，７−ジメチル−２−メチレンビシクロ［２．２．１］−ヘプタン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（Ｒ）−１−メチル−４−（６−メチルヘプタ−５−エン−２−イル）ベンゼン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレン［５，６−ｂ］オキシレン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４ａＲ，８ａＲ）−１−イソプロピル−４，７−ジメチル−１，２，４ａ，５，６，８ａ−ヘキサヒドロナフタレン；（Ｒ）−２−（（Ｒ）−４−メチルシクロヘキサ−３−エン−１−イル）ヘキサ−５−エン−２−オール；（Ｚ）−１−メチル−４−（６−メチルヘプタ−２，５−ジエン−２−イル）シクロヘキサ−１−エン；２，６−ジメチル−６−（４−メチルペンタ−３−エン−１−イル）ビシクロ［３．１．１］ヘプタ−２−エン；（Ｅ）−２−ベンジリデンヘプタン−１−オール；（Ｅ）−２−ベンジリデンヘプチルアセテート；（Ｚ）−（２−（ジエトキシメチル）ヘプタ−１−エン−１−イル）ベンゼン；（Ｅ）−２−ベンジリデンヘプタナール；（１Ｓ，４ａＲ，８ａＳ）−１−イソプロピル−４，７−ジメチル−１，２，４ａ，５，６，８ａ−ヘキサヒドロナフタレン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；１−メチル−４−（４−メチルペンタ−３−エン−１−イル）シクロヘキサ−３−エン−１−カルバルデヒド；３−メチル−１−フェニルペンタン−３−オール；２，６，１０−トリメチルウンデカナール；アリル３−シクロヘキシルプロパノエート；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；メチル（Ｅ）−２−（（（３，５−ジメチルシクロヘキサ−３−エン−１−イル）メチレン）アミノ）ベンゾエート；２，６，１０−トリメチルウンデカ−９−エナール；（７，７，８，８−テトラメチルオクタヒドロ−２，３ｂ−メタノシクロペンタ［１，３］シクロプロパ［１，２］ベンゼン−４−イル）メチルアセテート；ノニルアセテート；（２−（１−プロポキシエトキシ）エチル）ベンゼン；（Ｚ）−２−（４−メチルベンジリデン）ヘプタナール；デカ−９−エナール；（Ｚ）−オキサシクロヘプタデカ−８−エン−２−オン；
（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６−イソプロピルキノリン；３−（６，６−ジメチルビシクロ［３．１．１］ヘプタ−２−エン−２−イル）プロパナール；６，１０，１４−トリメチルヘプタデカン−２−オン；（Ｅ）−シクロヘキサデカ−５−エン−１−オン；１−イソプロピル−４−メチルシクロヘキサ−３−エン−１−オール；１−イソプロピル−４−メチルシクロヘキサ−３−エン−１−オール；３，６−ジメチル−４，５，６，７−テトラヒドロベンゾフラン；（１ａＲ，２Ｓ，４ａＳ）−２，４ａ，８，８−テトラメチルオクタヒドロシクロプロパ［ｄ］ナフタレン−３（１Ｈ）−オン；（Ｚ）−デカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；フェネチルブチレート；（Ｚ）−ノナ−２−エナール；ノナン−２−オール；ノナン−２−オン；２−イソブチルキノリン；（Ｅ）−２−ヘキシリデンシクロペンタン−１−オン；２−ヘプチルテトラヒドロフラン；（Ｅ）−デカ−２−エナール；２，６−ジメチルオクタナール；デカン−１−オール；（Ｅ）−ヘプタ−１−エン−１−イルアセテート；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−６，１０−ジメチルウンデカ−５，９−ジエン−２−イルアセテート；（Ｚ）−デカ−３−エナール；（Ｓ）−５−ヘプチルジヒドロフラン−２（３Ｈ）−オン；（Ｒ）−５−ヘプチルジヒドロフラン−２（３Ｈ）−オン；（Ｅ）−６，１０−ジメチルウンデカ−５，９−ジエン−２−イルアセテート；（Ｚ）−３−メチル−５−フェニルペンタ−２−エンニトリル；（２Ｓ，５Ｓ，６Ｓ）−２，６，１０，１０−テトラメチル−１−オキサスピロ［４．５］デカン−６−オール；（２Ｅ）−３−メチル−５−フェニル−２−ペンテンニトリル；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；２−（８−イソプロピル−６−メチルビシクロ［２．２．２］オクタ−５−エン−２−イル）−１，３−ジオキソラン；（Ｅ）−４−（２，２−ジメチル−６−メチリデンシクロヘキシル）−３−メチルブタ−３−エン−２−オン；３−（３−イソプロピルフェニル）ブタナール；３−（１−エトキシ−３，７−ジメチルオクタ−１，６−ジエン；３ａ，４，５，６，７，７ａ−ヘキサヒドロ−１Ｈ−４，７−メタノインデン−６−イルプロピオネート；２−（（３Ｓ，３ａＳ，５Ｒ）−３，８−ジメチル−１，２，３，３ａ，４，５，６，７−オクタヒドロアズレン−５−イル）プロパン−２−オール；
ベンジル２−フェニルアセテート；３−（６，６−ジメチルビシクロ［３．１．１］ヘプタ−２−エン−２−イル）−２，２−ジメチルプロパナール；２−メチル−５−（６−メチルペンタ−５−エン−２−イル）ビシクロ［３．１．０］ヘキサ−２−エン；１−（１，１，２，３，３，６−ヘキサメチル−２，３−ジヒドロ−１Ｈ−インデン−５−イル）エタン−１−オン；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；ｐ−トリルヘキサノエート；５−ヘキシル−４−メチルジヒドロフラン−２（３Ｈ）−オン；エチル（２Ｚ，４Ｅ）−デカ−２，４−ジエノエート；２，４−ブチル−６−フェニル−３，６−ジヒドロ−２Ｈ−ピラン；２−シクロヘキシリデン−２−フェニルアセトニトリル；（４−（プロパ−１−エン−２−イル）シクロヘキサ−１−エン−１−イル）メチルアセテート；（４−（プロパ−１−エン−２−イル）シクロヘキサ−１−エン−１−イル）メタノール；（２−イソプロポキシエチル）ベンゼン；２−シクロヘキシルヘプタ−１，６−ジエン−３−オン；（２−（シクロヘキシル）エチル）ベンゼン；フェネチル２−メチルブタノエート；フェネチル２−フェニルアセテート；フェニルベンゾエート；フェネチルベンゾエート；２−（６，６−ジメチルビシクロ［３．１．１］ヘプタ−２−エン−２−イル）アセトアルデヒド；３ａ，４，５，６，７，７ａ−ヘキサヒドロ−１Ｈ−４，７−メタノインデン−６−イルピバレート；（Ｅ）−３，３−ジメチル−５−（２，２，３−トリメチルシクロペンタ−３−エン−１−イル）ペンタ−４−エン−２−オール；１−メチル−４−（４−メチルペンタ−３−エン−１−イル）シクロヘキサ−３−エン−１−カルバルデヒド；ｐ−トリル２−フェニルアセテート；エチル２，４，７−デカトリエノエート；２−ベンジル−４，４，６−トリメチル−１，３−ジオキサン；２，４−ジメチル−４−フェニルテトラヒドロフラン；（２Ｒ，４ａ’Ｒ，８ａ’Ｒ）−３，７’−ジメチル−３，４’，４ａ’，５’，８’，８ａ’−ヘキサヒドロ−１’Ｈ−スピロ［オキシラン−２，２’−［１，４］メタノナフタレン］；（Ｚ）−６−エチリデンオクタヒドロ−２Ｈ−５，８−メタノクロメン；２−（（Ｓ）−１−（（Ｓ）−３，３−ジメチルシクロヘキシル）エトキシ）−２−オキソエチルプロピルプロピオネート；メチル２，２−ジメチル−６−メチレンシクロヘキサン−１−カルボキシレート；４−メチル−２−フェニル−３，６−ジヒドロ−２Ｈ−ピラン；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；１−（３−ヒドロキシ−３−メチルペンタ−４−エン−１−イル）−２，５，５，８ａ−テトラメチルデカヒドロナフタレン−２−オール；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（４ａＲ，８ａＲ）−４ａ，８−ジメチル−２−（プロパン−２−イリデン）−１，２，３，４，４ａ，５，６，８ａ−オクタヒドロナフタレン；２−（１−（３，３−ジメチルシクロヘキシル）エトキシ）−２−メチルプロピルシクロプロパンカルボキシレート；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４，５］デカ−７−エン−７−イル）ペンタ−４−エン−１−オン；（Ｚ）−デカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３−メチル−２−フェニルオクタン−１−オン；２，６，１０，１０−テトラメチル−１−オキサスピロ［４，５］デカ−６−エン；（１ａＲ，４ａＳ）−２，４ａ，８，８−トリメチル−１，１ａ，４，４ａ，５，６，７，８−オクタヒドロプロパ［ｄ］ナフタレン；１−イソプロピル−２−メトキシ−４−メチルベンゼン；１−（２，２，６−トリメチルシクロヘキシル）ヘキサン−３−オール；（２Ｅ，６Ｅ）−３，７，１１−トリメチルドデカ−２，６，１０−トリエン−１−オール；（Ｚ）−デカ−２−エナール；（Ｅ）−ノナ−２−エナール；（Ｅ）−デカ−４−エナール；（Ｚ）−オキサシクロヘプタデカ−８−エン−２−オン；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７−（１Ｈ）−オン；トリデカン−１−オール；メチル２−（（１−ヒドロキシ−３−フェニルブチル）アミノ）ベンゾエート；１−（（２Ｅ，５Ｚ，９Ｚ）−２，６，１０−トリメチルシクロドデカ−２，５，９−トリエン−１−イル）エタン−１−オン；デカヒドロ−２，６，６，７，８，８−ヘキサメチル−２ｈ−インデノ（４，５−ｂ）フラン；ペンタメチルオクタヒドロインデノジオキサン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；２−（（２Ｒ，８Ｒ，８ａＳ）−８，８ａ−ジメチル−１，２，３，４，６，７，８，８ａ−オクタヒドロナフタレン−２−イル）プロパン−２−オール；（Ｚ）−２−メチル−４−（２，６，６−トリメチルシクロヘキサ−２−エン−１−イル）ブタ−２−エナール；１−メトキシ−３ａ，４，５，６，７，７ａ−ヘキサヒドロ−１Ｈ−４，７−メタノインデン；メチル（Ｚ）−２−（（３−（４−（ｔｅｒｔ−ブチル）フェニル）−２−メチルプロピリデン）アミノ）ベンゾエート；２，４，６−トリメチル−４−フェニル−１，３−ジオキサン；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；メチル（Ｚ）−２−（（（２，４−ジメチルシクロヘキサ−３−エン−１−イル）メチレン）アミノ）ベンゾエート；４，８−ジメチル−２−（プロパン−２−イリデン）−１，２，３，３ａ，４，５，６，８ａ−オクタヒドロアズレン−６−オール；４，８−ジメチル−２−（プロパン−２−イリデン）−１，２，３，３ａ，４，５，６，８ａ−オクタヒドロアズレン−６−アセテート；デカヒドロ−３Ｈ−スピロ［フラン−２，５’−［４，７］メタノインデン］；
（２Ｚ，６Ｅ）−ノナ−２，６−ジエンニトリル；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノメタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノメタノナフタレン］；（１Ｒ，８ａＲ）−４−イソプロピル−１，６−ジメチル−１，２，３，７，８，８ａ−ヘキサヒドロナフタレン；（７，７，８，８−テトラメチルオクタヒドロ−２，３ｂ−メタノシクロペンタ［１，３］シクロプロパ［１，２］ベンゼン−４−イル）メタノール；１−エトキシ−４−（ｔｅｒｔ−ペンチル）シクロヘキサン；（３Ｚ）−１−（２−ブテン−１−イルオキシ）−３−ヘキサン；４−（２−メトキシプロパン−２−イル）−１−メチルシクロヘキサ−１−エン；３−メトキシ−３，７−ジメチルオクタ−１，６−ジエン；３，７−ジメチルオクタナール；ヘキシル２−ヒドロキシベンゾエート；ヘキシル（Ｚ）−ブタ−２−エノエート；（Ｚ）−３，７−ジメチルオクタ−２，６−ジエン−１−イルホルメート；（Ｚ）−１−（２，６，６−トリメチルシクロヘキサ−１−エン−１−イル）ペンタ−１−エン−３−オン；（Ｅ）−３，７−ジメチルオクタ−４，６−ジエン−３−オール；メチル（Ｚ）−３，７−ジメチルオクタ−２，６−ジエノエート；（（１ｓ、４ｓ）−４−イソプロピルシクロヘキシル）メタノール；３，７−ジメチルオクタ−１，６−ジエン−３−イルプロピオネート；３，７−ジメチルオクタ−１，６−ジエン−３−イルホルメート；３，７−ジメチルオクタ−１，６−ジエン−３−イルブチレート；３，７−ジメチルオクタ−１，６−ジエン−３−イルアセテート；３，７−ジメチルオクタ−１，６−ジエン−３−オール；２，２−ジメチル−５−フェニルヘキサンニトリル；（Ｚ）−４−（６，６−ジメチルシクロヘキサ−２−エン−１−イル）−３−メチルブタ−３−エン−２−オン；７−メチルオクチルアセテート；
イソペンチルオクタノエート；ヘキシルプロピオネート；ヘキシルブチレート；ヘキシル２−メチルブタノエート；ヘキシルフラン−２−カルボキシレート；ヘプチルアセテート；（Ｚ）−３，７−ジメチルオクタ−２，６−ジエンニトリル（Ｅ）−３，７−ジメチルオクタ−２，６−ジエン−１−イルホルメート；（Ｅ）−３，７−ジメチルオクタ−２，６−ジエン−１−イルオクタノエート；（Ｅ）−３，７−ジメチルオクタ−２，６−ジエン−１−イルベンゾエート；（Ｅ）−３，７−ジメチルオクタ−２，６−ジエナール；１−イソプロピル−４−メチルシクロヘキサ−１，４−ジエン；２−（ｓｅｃ−ブチル）シクロヘキサン−１−オン；３−（２−エチルフェニル）−２，２−ジメチルプロパナール；２−（ｔｅｒｔ−ブチル）シクロヘキシルエチルカーボネート；エチルオクタノエート；エチル２−シクロヘキシルプロパノエート；４−メチル−２−フェニルテトラヒドロ−２Ｈ−ピラン；２，６−ジメチルオクタ−７−エン−２−オール；３−メチル−２−ペンチルシクロペンタ−２−エン−１−オン；２−（４−メチルシクロヘキシル）プロパン−２−イルアセテート；４−（２，６，６−トリメチルシクロヘキサ−２−エン−１−イル）ブタン−２−オン；（オキシビス（メチレン））ジベンゼン；ジブチルフタレート；デシル２−アミノベンゾエート；メチル（１ｓ，４ｓ）−１，４−ジメチルシクロヘキサン−１−カルボキシレート；２−シクロヘキシルエチルアセテート；（３Ｚ，５Ｚ）−２，６−ジメチルオクタ−１，３，５，７−テトラエン；４−シクロヘキシル−２−メチルブタン−２−オール；２−ベンジル−２−メチルブタ−３−エンニトリル；３，７−ジメチルオクタ−６−エンニトリル；３，７−ジメチルオクタ−６−エン−１−イル２−フェニルアセテート；３，７−ジメチルオクタ−６−エン−１−イルホルメート；３，７−ジメチルオクタ−６−エン−１−イルベンゾエート；３，７−ジメチルオクタ−６−エン−１−オール；３，７−ジメチルオクタ−６−エナール；（Ｅ）−３，７−ジメチルオクタ−２，６−ジエナール；（１Ｒ，２Ｓ，５Ｒ）−２，６，６−トリメチルビシクロ［３．１．１］ヘプタン；（Ｚ）−ヘキサ−３−エン−１−イルペンタノエート；（Ｅ）−ヘキサ−３−エン−１−イル（Ｅ）−２−メチルブタ−２−エノエート；（Ｚ）−ヘキサ−３−エン−１−イルブチレート；４−クロロ−３，５−ジメチルフェノール；５−イソプロピル−２−メチルフェノール；（Ｅ）−２−メチル−４−（２，６，６−トリメチルシクロヘキサ−１−エン−１−イル）ブタ−２−エナール；３−イソプロピル−６−メチルシクロヘキサ−１−エン；ベンジル２−ヒドロキシベンゾエート；ベンジル３−ヒドロキシブタノエート；１−（３，３−ジメチルシクロヘキシル）エチルホルメート；（Ｚ）−１−メトキシ−４−（プロパ−１−エン−１−イル）ベンゼン；ペンチルベンゾエート；２−（４−メチルシクロヘキサ−３−エン−１−イル）プロパン−２−イルアセテート；（Ｚ）−３−メチル−４−（２，６，６−トリメチルシクロヘキサ−２−エン−１−イル）ブタ−３−エン−２−オン；（２−（アリルオキシ）エチル）ベンゼン；アリルヘプタノエート；６，８−ジメチルノナン−２−オール；５−メチル−５−フェニルヘキサン−３−オン；３，７−ジメチル−２−メチレンオクタ−６−エナール；３，７−ジメチルオクタン−１−オール；２−ペンチルシクロペンタン−１−オール；（２Ｓ，４Ｓ）−２−ヘプチル−２，４−ジメチル−１，３−ジオキソラン；（Ｅ）−２−イソプロピル−５−メチルヘキサ−２−エナール；１−イソプロピル−４−メチル−７−オキサビシクロ［２．２．１］ヘプタン；（Ｚ）−１−（２，６，６−トリメチルシクロヘキサ−２−エン−１−イル）ブタ−２−エン−１−オン；（Ｒ）−３，７−ジメチルオクタ−１，６−ジエン−３−オール；３，７−ジメチルオクタ−６−エナール；（Ｒ）−３，７−ジメチルオクタ−６−エナール；３，７−ジメチルオクタ−６−エン−１−オール；３，７−ジメチルオクタ−６−エン−１−オール；（１Ｒ，５Ｒ）−２，６，６−トリメチルビシクロ［３．１．１］ヘプタ−２−エン；（１Ｓ，５Ｓ）−２，６，６−トリメチルビシクロ［３．１．１］ヘプタ−２−エン；ヘキシル（Ｚ）−２−メチルブタ−２−エノエート；ｐ−シメン；フェネチルイソブチレート；フェネチル（Ｚ）−２−メチルブタ−２−エノエート；
フェネチルメタクリレート；（２Ｚ，５Ｚ）−５，６，７−トリメチルオクタ−２，５−ジエン−４−オン；１−メトキシ−４−プロピルベンゼン；２−（４−（ｔｅｒｔ−ブチル）フェニル）アセトアルデヒド；４−（ｔｅｒｔ−ペンチル）シクロヘキサン−１−オール；２，６，６−トリメチルビシクロ［３．１．１］ヘプタ−２−エン；エチル（２，３，６−トリメチルシクロヘキシル）カーボネート；１−（３，３−ジメチルシクロヘキシル）エチルアセテート；（Ｓ）−３，７−ジメチルオクタ−１，６−ジエン−３−オール；１−イソプロピル−４−メチレンビシクロ［３．１．０］ヘキサン；３，７−ジメチルオクタナール；４−（２，２，６−トリメチルシクロヘキシル）ブタン−２−オール；３，７−ジメチルオクタン−３−オール；３，７−ジメチルオクタン−３−イルアセテート；エチル（１Ｒ，６Ｓ）−２，２，６−トリメチルシクロヘキサン−１−カルボキシレート；２−イソプロピル−５−メチルフェノール；（Ｚ）−１−（２，６，６−トリメチルシクロヘキサ−２−エン−１−イル）ブタ−２−エン−１−オン；（Ｚ）−１−メトキシ−４−（プロパ−１−エン−１−イル）ベンゼン；２，２，２−トリクロロ−１−フェニルエチルアセテート；２，２，５−トリメチル−５−ペンチルシクロペンタン−１−オン；（４−ｔｅｒｔ−ブチル）シクロヘキシルアセテート；４−（ｔｅｒｔ−ブチル）シクロヘキシルアセテート；４−メチル−４−フェニルペンタン−２−イルアセテート；（Ｚ）−１−（（２−メチルアリル）オキシ）ヘキサ−３−エン；４，５−エトキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；
より好ましくは、前記１つ以上の悪臭低減物質が、以下のものからなる群から選択される：２−エチルヘキシル（Ｚ）−３−（４−メトキシフェニル）アクリレート；２，４−ジメチル−２−（５，５，８，８−テトラメチル−５，６，７，８−テトラヒドロナフタレン−２−イル）−１，３−ジオキソラン；１，１−ジメトキシノン−２−イン；３−メトキシ−７，７−ジメチル−１０−メチレンビシクロ［４．３．１］デカン；メトキシシクロドデカン；１，１−ジメトキシシクロドデカン；（Ｚ）−トリデカ−２−エンニトリル；（２−ヒドロキシ−４−メトキシフェニル）（フェニル）メタノン；２，４ａ，５，８ａ−テトラメチル−１，２，３，４，４ａ，７，８，８ａ−オクタヒドロナフタレン−１−イルホルメート；１，８−シクロヘキサデセン−９−オン；４−（ｔｅｒｔ−ペンチル）シクロヘキサン−１−オン；２−メトキシ−１，１’−ビフェニル；３ａ，５，６，７，８，８ｂ−ヘキサヒドロ−２，２，６，６，７，８，８−ヘプタメチル−４Ｈ−インデノ（４，５−ｄ）−１，３−ジオキソール；７−メトキシ−８，８−ジメチル−６，１０−ジオキサスピロ［４．５］デカン；オクチルフラン−２−カルボキシレート；オクチルアセテート；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−イルアセテート；テトラデカナール；テトラデカンニトリル；２，２，６，８−テトラメチル−１，２，３，４，４ａ，５，８，８ａ−オクタヒドロナフタレン−１−オール；２−（（１Ｓ，５Ｒ）−６，６−ジメチルビシクロ［３．１．１］ヘプタ−２−エン−２−イル）エチルアセテート；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；１２−メチル−１４−テトラデカ−９−エノリド；Ｎ−エチル−２−イソプロピル−５−メチルシクロヘキサン−１−カルボキサミド；２−メトキシナフタレン；（Ｅ）−３，７，１１−トリメチルドデカ−１，６，１０−トリエン−３−オール；（Ｚ）−３，７−ジメチルオクタ−２，６−ジエン−１−オール；メチル（Ｅ）−ノナ−２−エノエート；
１０−イソプロピル−２，７−ジメチル−１−オキサスピロ［４．５］デカ−３，６−ジエン；２−（２−（４−メチルシクロヘキサ−３−エン−１−イル）プロピル）シクロペンタ−１−オン；（Ｅ）−４−（２，２，３，６−テトラメチルシクロヘキシル）ブタ−３−エン−２−オン；（４−（４−メチルペンタ−３−エン−１−イル）シクロヘキサン−３−エン−１−イル）メチルセテート；２−（ｔｅｒｔ−ブチル）−４，５，６−トリメチル−１，３−フェニレンジニトリル；１，７−ジオキサシクロヘプタデカン−８−オン；１−（４−（ｔｅｒｔ−ブチル）−２，６−ジメチル−３，５−ジニトロフェニル）エタン−１−オン；１−（ｔｅｒｔ−ブチル）−２−メトキシ−４−メチル−３，５−ジニトロベンゼン；３−メチルシクロペンタデカン−１−オン；（Ｅ）−３−メチルシクロペンタデカ−４−エン−１−オン；１−（４−イソプロピルシクロヘキシル）エタン−１−オール；（Ｅ）−デカ−５−エン酸；メチルノナ−２−イノエート；２−メチルデカナール；６，６−ジメトキシ−２，５，５−トリメチルヘキサ−２−エン；メチルステアレート；１，１−ジメトキシ−２−メチルウンデカン；ウンデカン−２−オン；２−メチルウンデカナール；メチルテトラデカノエート；メチル（９Ｚ，１２Ｚ）−オクタデカ−９，１２−ジエノエート；メチルパルミテート；１−メチル−２−フェニルベンゼン；１−アリル−４−メトキシベンゼン；１−（ナフタレン−２−イル）エタン−１−オン；メチルオクタ−２−イノエート；メチル２，６，６−トリメチルシクロヘキサ−２−エン−１−カルボキシレート；７−イソプロピル−１０−メチル−１，５−ジオキサスピロ［５．５］ウンデカン−３−オール；３−（３−（ｔｅｒｔ−ブチル）フェニル）−２−メチルプロパナール；（Ｅ）−４−（４，８−ジメチルノナ−３，７−ジエン−１−イル）ピリジン；（Ｅ）−トリデカ−３，１２−ジエンニトリル；２，２−ジメチル−３−（ｍ−トリル）プロパン−１−オール；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；３，７−ジメチルオクタ−１，６−ジエン−３−イルオクタノエート；３，７−ジメチルオクタ−１，６−ジエン−３−イルイソブチレート；３，７−ジメチルオクタ−１，６−ジエン−３−イルベンゾエート；３，７−ジメチルオクタ−１，６−ジエン−３−イル２−アミノベンゾエート；（２Ｚ，６Ｅ）−３，７−
ジメチルノナ−２，６−ジエンニトリル；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；ドデカン−１−オール；ドデシルアセテート；ドデカン酸；５−ヘキシル−５−メチルジヒドロフラン−２（３Ｈ）−オン；ドデカナール；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；５−（ｓｅｃ−ブチル）−２−（２，４−ジメチルシクロヘキサ−３−エン−１−イル）−５−メチル−１，３−ジオキサン；（１−メチル−２−（（１，２，２−トリメチルビシクロ［３．１．０］ヘキサン−３−イル）メチル）シクロプロピル）メタノール；２−プロピルヘプタンニトリル；２−ヘキシルシクロペンタン−１−オン；２，６，９，１０−テトラメチル−１−オキサスピロ（４，５）デカ−３，６−ジエン；イソプロピルパルミテート；イソプロピルテトラデカノエート；イソプロピルドデカノエート；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルバルデヒド；（Ｚ）−１−（ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；６−（ｓｅｃ−ブチル）キノリン；２−（シクロヘキシルオキシ）−１，７，７−トリメチルビシクロ［２．２．１］−ヘプタン；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチレート；４−（（２Ｒ）−１，７，７−トリメチルビシクロ［２．２．１］ヘプタン−２−イル）シクロヘキサン−１−オール；（１Ｒ，４Ｓ）−１，７，７−トリメチルビシクロ［２．２．１］ヘプタン−２−イルアセテート；２−（４−イソプロピルシクロヘキサ−１，４−ジエン−１−イル）エチルホルメート；イソペンチル（Ｅ）−ウンデカ−６−エノエート；イソペンチルドデカノエート；（Ｅ）−オキサシクロヘプタデカ−１０−エン−２−オン；（Ｅ）
−ノナ−２−エンニトリル；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；２−シクロドデシルプロパン−１−オール；３−メチル−５−フェニルペンタンニトリル；２，３−ジヒドロ−３，３−ジメチル−１Ｈ−インデン−５−プロパナール；３−（３，３−ジメチル−２，３−ジヒドロ−１Ｈ−インデン−５−イル）プロパナール；ヘキシルオクタノエート；ヘキシルヘキサノエート；（Ｚ）−２−ベンジリデンオクタナール；ヘキシルベンゾエート；（Ｚ）−ヘキサ−１−エン−１−イル（Ｚ）−２−メチルブタ−２−エノエート；（Ｅ）−３，７−ジメチルオクタ−２，６−ジエン−１−イルパルミテート；オキサシクロヘプタデカン−２−オン；エチル（１Ｒ，２Ｒ，３Ｒ，４Ｒ）−３−イソプロピルビシクロ［２．２．１］ヘプタ−５−エン−２−カルボキシレート；２−（１−（３，３−ジメチルシクロヘキシル）エトキシ）−２−メチルプロピルプロピオネート；（Ｅ）−オキサシクロヘキサデカ−１３−エン−２−オン；６−ブチル−２，４−ジメチル−３，６−ジヒドロ−２Ｈ−ピラン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；エチル２−エチル−６，６−ジメチルシクロヘキサ−２−エン−１−カルボキシラート；（１Ｚ，５Ｚ）−１，５−ジメチル−８−（プロパン−２−イリデン）シクロデカ−１，５−ジエン；（１Ｅ，６Ｅ）−８−イソプロピル−１−メチル−５−メチレンシクロデカ−１，６−ジエン；（Ｅ）−３，７−ジメチルオクタ−２，６−ジエン−１−イル２−フェニルアセテート；（Ｅ）−３，７−ジメチルオクタ−２，６−ジエン−１−イル２−フェニルアセテート；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（Ｚ）−４−（２，２−ジメチル−６−メチレンシクロヘキシル）ブタ−３−エン−２−オン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，３ａＲ，４Ｒ，７Ｒ）−１，４−ジメチル−７−（プロパ−１−エン−２−イル）−１，２，３，３ａ，４，５，６，７−オクタヒドロアズレン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；（１Ｒ，４ａＳ，８ａＳ）−１−イソプロピル−７−メチル−４−メチレン−１，２，３，４，４ａ，５，６，８ａ−オクタヒドロナフタレン；１−（３，３−ジメチルシクロヘキシル）ペンタ−４−エン−１−オン；４，６，６，７，８，８−ヘキサメチル−１，３，４，６，
７，８−ヘキサヒドロシクロペンタ［ｇ］イソクロメン；フラン−２−イルメチルオクタノエート；フラン−２−イルメチルヘキサノエート；フラン−２−イルメチルヘプタノエート；２−メチルデカンニトリル；８，８−ジメチル−３ａ，４，５，６，７，７ａ−ヘキサヒドロ−１Ｈ−４，７−メタノインデン−６−イルプロピオネート；エチル（３ａＲ，４Ｓ，７Ｒ，７ａＲ）−オクタヒドロ−３ａＨ−４，７−メタノインデン−３ａ−カルボキシレート；（６−イソプロピル−９−メチル−１，４−ジオキサスピロ［４．５］デカン−２−イル）メタノール；ウンデカ−１０−エンニトリル；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；８，８−ジメチル−３ａ，４，５，６，７，７ａ−ヘキサヒドロ−１Ｈ−４，７−メタノインデン−６−イルアセテート；３−（４−エチルフェニル）−２，２−ジメチルプロパンニトリル；２−ヘプチルシクロペンタン−１−オン；１−エトキシエトキシシクロドデカン；３−シクロヘキセン−１−カルボン酸２，６，６−トリメチル−，メチルエステル；（２Ｅ，６Ｅ）−３，７，１１−トリメチルドデカ−２，６，１０−トリエン−１−イルアセテート；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；１，４−ジオキサシクロヘプタデカン−５，１７−ジオン；エチルウンデカ−１０−エノエート；
エチルパルミテート；エチルノナノエート；エチルテトラデカノエート；（Ｅ）−３，７−ジメチルノナ−１，６−ジエン−３−オール；エチルドデカノエート；エチルデカノエート；エチル６，６−ジメチル−２−メチルシクロヘキサ−３−エン−１−カルボキシレート；６−エチル−２，１０，１０−トリメチル−１−オキサスピロ［４．５］デカ−３，６−ジエン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（Ｅ）−４−（（３ａＳ，７ａＳ）−オクタヒドロ−５Ｈ−４，７−メタノインデン−５−イリデン）ブタナール；１，１−ジメトキシドデカン；（Ｒ）−１−メチル−４−（プロパ−１−エン−２−イル）シクロヘキサ−１−エン；７，９−ジメチルスピロ［５．５］ウンデカン−３−オン；オキシジベンゼン；ジフェニルメタン；２−メチル−１−フェニルプロパン−２−イルブチレート；オクタヒドロ−１Ｈ−４，７−メタノインデン−５−イルアセテート；２−メチル−５−（プロパ−１−エン−２−イル）シクロヘキシルアセテート；３，７−ジメチルオクタ−６−エン−３−オール；ジブチルスルファン；１，２−ジフェニルエタン；６−ヘキシルテトラヒドロ−２Ｈ−ピラン−２−オン；（３Ｒ，４Ｒ）−１−イソプロピル−４−メチル−３−（プロパ−１−エン−２−イル）−４−ビニルシクロヘキサ−１−エン；（３Ｓ，３ａＳ，５Ｒ）−３，８−ジメチル−５−（プロパ−１−エン−２−イル）−１，２，３，３ａ，４，５，６，７−オクタヒドロアズレン；６−ヘプチルテトラヒドロ−２Ｈ−ピラン−２−オン；（１Ｓ，８ａＲ）−４，７−ジメチル−１−（プロパン−２−イリデン）−１，２，３，５，６，８ａ−ヘキサヒドロナフタレン；（Ｚ）−１−（（１Ｒ，２Ｓ）−２，６，６−トリメチルシクロヘキサ−３−エン−１−イル）ブタ−２−エン−１−オン；（１Ｓ，８ａＳ）−１−イソプロピル−４，７−ジメチル−１，２，３，５，６，８ａ−ヘキサヒドロナフタレン；３，７，７−トリメチルビシクロ［４．１．０］ヘプタ−３−エン；デカ−９−エン−１−オール；デシルプロピオネート；１，１−ジエトキシデカン；１−シクロヘキシルエチル（Ｅ）−ブタ−２−エノエート；３−（４−イソプロピルフェニル）−２−メチルプロパナール；シクロテトラデカン；シクロペンタデカノン；シクロヘキシル２−ヒドロキシベンゾエート；３ａ，４，５，６，７，７ａ−ヘキサヒドロ−１Ｈ−４，７−メタノインデン−６−イルブチレート；８，８−ジメチル−１，２，３，４，５，６，７，８−オクタヒドロナフタレン−２−カルバルデヒド；３ａ，４，５，６，７，７ａ−ヘキサヒドロ−１Ｈ−４，７−メタノインデン−５−イルイソブチレート；（５Ｒ，６Ｒ）−３，６−ジメチル−５−（プロパ−１−エン−２−イル）−６−ビニル−４，５，６，７−テトラヒドロベンゾフラン；２−（３−フェニルプロピル）−ピリジン；ドデカンニトリル；（Ｅ）−シクロヘプタデカ−９−エン−１−オン；３−（４−メチルシクロヘキサ−３−エン−
１−イル）ブタ−３−エン−１−イルアセテート；３−（４−メチルシクロヘキサ−３−エン−１−イル）ブタン−１−オール；（Ｅ）−３−メチル−５−フェニルペンタ−２−エンニトリル；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−１，１−ジエトキシ−３，７−ジメチルオクタ−２，６−ジエン；（Ｅ）−３，７−ジメチルオクタ−１，３，６−トリエン；（Ｅ）−オキサシクロヘプタデカ−１１−エン−２−オン；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−ヒドロキシベンゾエート；（Ｚ）−ヘキサ−３−エン−１−イルベンゾエート；（Ｚ）−ヘキサ−３−エン−１−イル２−メチルブタノエート；シンナミルプロピオネート；シンナミルイソブチレート；シンナミルシンナメート；ヘキシルデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；（３ａＲ，５ａＲ，９ａＲ，９ｂＲ）−３ａ，６，６，９ａ−テトラメチルドデカヒドロナフト［２，１−ｂ］フラン；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（
３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（４Ｚ，８Ｚ）−１，５，９−トリメチル−１３−オキサビシクロ［１０．１．０］トリデカ−４，８−ジエン；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；５−メチル−１−（２，２，３−トリメチルシクロペンタ−３−エン−１−イル）−６−オキサビシクロ［３．２．１］オクタン；１，１，２，３，３−ペンタメチル−１，２，３，５，６，７−ヘキサヒドロ−４Ｈ−インデン−４−オン；（Ｚ）−４，１１，１１−トリメチル−８−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカンー１−オール；２−メチル−５−（プロパ−１−エン−２−イル）シクロヘキサ−２−エン−１−イルアセテート；オクタニトリル；ドデカン酸；デカナール；２，２−ジメチル−３−メチレンビシクロ［２．２．１］−ヘプタン；エチル２−メチル−４−オキソ−６−ペンチルシクロヘキサ−２−エン−１−カルボキシレート；２，６−ジ−ｔｅｒｔ−ブチル−４−メチルフェノール；ブチルステアレート；ブチルウンデカ−１０−エノエート；２−メチル−４−（２，２，３−トリメチルシクロペンタ−３−エン−１−イル）ブタン−１−オール；３−（４−（ｔｅｒｔ−ブチル）フェニル）プロパナール；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；（エトキシメトキシ）シクロドデカン；（Ｅ）−１−メチル−４−（６−メチルヘプタ−５−エン−２−イリデン）シクロヘキサ−１−エン；３，３，６，７−テトラメチルオクタヒドロ−２Ｈ−クロメン；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキシルアセテート；（２Ｚ，６Ｅ）−２，６−ジメチル−１０−メチレンドデカ−２，６，１１−トリエナール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパー１−エン−２−イル）デカヒドロナフタレン；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；６，６−ジメチル−２−メチレンビシクロ［３．１．１］−ヘプタン；２−エトキシナフタレン；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１．７］シクロヘプタン［１．２−ｂ］オキシレン；（Ｒ）−３，５，５，９−テトラメチル−２，４ａ，５，６，７，８−ヘキサヒドロ−１Ｈ−ベンゾ［７］アヌレン；（１Ｓ，４Ｓ）−１，４−ジメチル−７−（プロパン−２−イリデン）−１，２，３，４，５，６，７，８−オクタヒドロアズレン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレンシトリシクロ［４．４．０．０２，７］デカン；
（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；（Ｓ）−４−メチル−１−（（Ｓ）−６−メチルヘプタ−５−エン−２−イル）シクロヘキサ−３−エン−１−オール；ベンジルドデカノエート；ベンジルシンナメート；ベンジルベンゾエート；２’−イソプロピル−１，７，７−トリメチルスピロ［ビシクロ［２．２．１］ヘプタン−２，４’−［１，３］ジオキサン］；４−（４−メチルペンタ−３−エン−１−イル）シクロヘキサ−３−エン−１−カルボニトリル；メチル（Ｅ）−２−（７−ヒドロキシ−３，７−ジメチルオクチリデン）アミノ）ベンゾエート；４−メトキシベンジル２−フェニルアセテート；ペンチル（Ｚ）−３−フェニルアクリレート；（３ａＲ，５ａＳ，９ａＳ，９ｂＲ）−３ａ，６，６，９ａ−テトラメチルドデカヒドロナフト［２，１−ｂ］フラン；（４ａＲ，５Ｒ，７ａＳ，９Ｒ）−２，２，５，８，８，９ａ−ヘキサメチルオクタヒドロ−４Ｈ−４ａ，９−メタノアズレン［５，６−ｄ］［１，３］ジオキソール；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（３Ｓ，５ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン；
２，２，６，６，７，８，８−ヘプタメチルデカヒドロ−２Ｈ−インデノ［４，５−ｂ］フラン；２，２，７，７，８，９，９−ヘプタメチルデカヒドロインデノ［４，３ａ−ｂ］フラン；２−（ｓｅｃ−ブチル）−１−ビニルシクロヘキシルアセテート；（４Ｒ，４ａＳ）−４，４ａ−ジメチル−６−（プロパン−２−イリデン）−４，４ａ，５，６，７，８−ヘキサヒドロナフタレン−２（３Ｈ）−オン；２−（４−メチルシクロヘキサ−３−エン−１−イル）プロパン−２−イルプロピオネート；（２Ｚ，６Ｅ，９Ｅ）−２，６，１０−トリメチルドデカ−２，６，９，１１−テトラエナール；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（Ｅ）−５−（２，３−ジメチルトリシクロ［２．２．１．０．２，６］ヘプタン−３−イル）−２−メチルペンタ−２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；１−（５，５−ジメチルシクロヘキサ−１−エン−１−イル）ペンタ−４−エン−１−オン；（１Ｓ，４ａＳ，８ａＲ）−１−イソプロピル−４，７−ジメチル−１，２，４ａ，５，６，８ａ−ヘキサヒドロナフタレン；（Ｒ，Ｚ）−１−（２，６，６−トリメチルシクロヘキサ−２−エン−１−イル）ペンタ−１−エン−３−オン；１−メチル−４−（プロパ−１−エン−２−イル）シクロヘキサ−１−エン；（Ｚ）−４−（２，５，６，６−テトラメチルシクロヘキサ−２−エン−１−イル）ブタ−３−エン−２−オン；（１Ｚ，４Ｅ，８Ｚ）−２，６，６，９−テトラメチルシクロウンデカ−１，４，８−トリエン；（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン；（１ａＲ，４Ｒ，４ａＲ，７ｂＳ）−１，１，４，７−トリメチル−１ａ，２，３，４，４ａ，５，６，７ｂ−オクタヒドロ−１Ｈ−シクロプロパ［ｅ］アズレン；１，４−ジメチル−７−（プロパ−１−エン−２−イル）−１，２，３，４，５，６，７，８−オクタヒドロアズレン；（３Ｅ，６Ｅ）−３，７，１１−トリトリメチルドデカ−１，３，６，１０−テトラエン；７，７−ジメチル−２−メチレンビシクロ［２．２．１］−ヘプタン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（Ｒ）−１−メチル−４−（６−メチルヘプタ−５−エン−２−イル）ベンゼン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレン［５，６−ｂ］オキシレン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４ａＲ，８ａＲ）−１−イソプロピル−４，７−ジメチル−１，２，４ａ，５，６，８ａ−ヘキサヒドロナフタレン；（Ｒ）−２−（（Ｒ）−４−メチルシクロヘキサ−３−エン−１−イル）ヘキサ−５−エン−２−オール；（Ｚ）−１−メチル−４−（６−メチルヘプタ−２，５−ジエン−２−イル）シクロヘキサ−１−エン；２，６−ジメチル−６−（４−メチルペンタ−３−エン−１−イル）ビシクロ［３．１．１］ヘプタ−２−エン；（Ｅ）−２−ベンジリデンヘプタン−１−オール；（Ｅ）−２−ベンジリデンヘプチルアセテート；（Ｚ）−（２−（ジエトキシメチル）ヘプタ−１−エン−１−イル）ベンゼン；（Ｅ）−２−ベンジリデンヘプタナール；（１Ｓ，４ａＲ，８ａＳ）−１−イソプロピル−４，７−ジメチル−１，２，４ａ，５，６，８ａ−ヘキサヒドロナフタレン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；１−メチル−４−（４−メチルペンタ−３−エン−１−イル）シクロヘキサ−３−エン−１−カルバルデヒド；３−メチル−１−フェニルペンタン−３−オール；２，６，１０−トリメチルウンデカナール；アリル３−シクロヘキシルプロパノエート；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；メチル（Ｅ）−２−（（（３，５−ジメチルシクロヘキサ−３−エン−１−イル）メチレン）アミノ）ベンゾエート；２，６，１０−トリメチルウンデカ−９−エナール；（
７，７，８，８−テトラメチルオクタヒドロ−２，３ｂ−メタノシクロペンタ［１，３］シクロプロパ［１，２］ベンゼン−４−イル）メチルアセテート；ノニルアセテート；（２−（１−プロポキシエトキシ）エチル）ベンゼン；（Ｚ）−２−（４−メチルベンジリデン）ヘプタナール；デカ−９−エナール；（Ｚ）−オキサシクロヘプタデカ−８−エン−２−オン；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６−イソプロピルキノリン；３−（６，６−ジメチルビシクロ［３．１．１］ヘプタ−２−エン−２−イル）プロパナール；６，１０，１４−トリメチルヘプタデカン−２−オン；（Ｅ）−シクロヘキサデカ−５−エン−１−オン；１−イソプロピル−４−メチルシクロヘキサ−３−エン−１−オール；１−イソプロピル−４−メチルシクロヘキサ−３−エン−１−オール；３，６−ジメチル−４，５，６，７−テトラヒドロベンゾフラン；（１ａＲ，２Ｓ，４ａＳ）−２，４ａ，８，８−テトラメチルオクタヒドロシクロプロパ［ｄ］ナフタレン−３（１Ｈ）−オン；（Ｚ）−デカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；フェネチルブチレート；（Ｚ）−ノナ−２−エナール；ノナン−２−オール；ノナン−２−オン；２−イソブチルキノリン；（Ｅ）−２−ヘキシリデンシクロペンタン−１−オン；２−ヘプチルテトラヒドロフラン；（Ｅ）−デカ−２−エナール；２，６−ジメチルオクタナール；デカン−１−オール；（Ｅ）−ヘプタ−１−エン−１−イルアセテート；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；
１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−６，１０−ジメチルウンデカ−５，９−ジエン−２−イルアセテート；（Ｚ）−デカ−３−エナール；（Ｓ）−５−ヘプチルジヒドロフラン−２（３Ｈ）−オン；（Ｒ）−５−ヘプチルジヒドロフラン−２（３Ｈ）−オン；（Ｅ）−６，１０−ジメチルウンデカ−５，９−ジエン−２−イルアセテート；（Ｚ）−３−メチル−５−フェニルペンタ−２−エンニトリル；（２Ｓ，５Ｓ，６Ｓ）−２，６，１０，１０−テトラメチル−１−オキサスピロ［４．５］デカン−６−オール；（２Ｅ）−３−メチル−５−フェニル−２−ペンテンニトリル；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；２−（８−イソプロピル−６−メチルビシクロ［２．２．２］オクタ−５−エン−２−イル）−１，３−ジオキソラン；（Ｅ）−４−（２，２−ジメチル−６−メチリデンシクロヘキシル）−３−メチルブタ−３−エン−２−オン；３−（３−イソプロピルフェニル）ブタナール；３−（１−エトキシ−３，７−ジメチルオクタ−１，６−ジエン；３ａ，４，５，６，７，７ａ−ヘキサヒドロ−１Ｈ−４，７−メタノインデン−６−イルプロピオネート；２−（（３Ｓ，３ａＳ，５Ｒ）−３，８−ジメチル−１，２，３，３ａ，４，５，６，７−オクタヒドロアズレン−５−イル）プロパン−２−オール；ベンジル２−フェニルアセテート；３−（６，６−ジメチルビシクロ［３．１．１］ヘプタ−２−エン−２−イル）−２，２−ジメチルプロパナール；２−メチル−５−（６−メチルペンタ−５−エン−２−イル）ビシクロ［３．１．０］ヘキサ−２−エン；１−（１，１，２，３，３，６−ヘキサメチル−２，３−ジヒドロ−１Ｈ−インデン−５−イル）エタン−１−オン；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；ｐ−トリルヘキサノエート；５−ヘキシル−４−メチルジヒドロフラン−２（３Ｈ）−オン；エチル（２Ｚ，４Ｅ）−デカ−２，４−ジエノエート；２，４−ブチル−６−フェニル−３，６−ジヒドロ−２Ｈ−ピラン；２−シクロヘキシリデン−２−フェニルアセトニトリル；（４−（プロパ−１−エン−２−イル）シクロヘキサ−１−エン−１−イル）メチルアセテート；（４−（プロパ−１−エン−２−イル）シクロヘキサ−１−エン−１−イル）メタノール；（２−イソプロポキシエチル）ベンゼン；２−シクロヘキシルヘプタ−１，６−ジエン−３−オン；（２−（シクロヘキシル）エチル）ベンゼン；フェネチル２−メチルブタノエート；フェネチル２−フェニルアセテート；フェニルベンゾエート；フェネチルベンゾエート；２−（６，６−ジメチルビシクロ［３．１．１］ヘプタ−２−エン−２−イル）アセトアルデヒド；３ａ，４，５，６，７，７ａ−ヘキサヒドロ−１Ｈ−４，７−メタノインデン−６−イルピバレート；（Ｅ
）−３，３−ジメチル−５−（２，２，３−トリメチルシクロペンタ−３−エン−１−イル）ペンタ−４−エン−２−オール；１−メチル−４−（４−メチルペンタ−３−エン−１−イル）シクロヘキサ−３−エン−１−カルバルデヒド；ｐ−トリル２−フェニルアセテート；エチル２，４，７−デカトリエノエート；２−ベンジル−４，４，６−トリメチル−１，３−ジオキサン；２，４−ジメチル−４−フェニルテトラヒドロフラン；（２Ｒ，４ａ’Ｒ，８ａ’Ｒ）−３，７’−ジメチル−３，４’，４ａ’，５’，８’，８ａ’−ヘキサヒドロ−１’Ｈ−スピロ［オキシラン−２，２’−［１，４］メタノナフタレン］；（Ｚ）−６−エチリデンオクタヒドロ−２Ｈ−５，８−メタノクロメン；２−（（Ｓ）−１−（（Ｓ）−３，３−ジメチルシクロヘキシル）エトキシ）−２−オキソエチルプロピルプロピオネート；メチル２，２−ジメチル−６−メチレンシクロヘキサン−１−カルボキシレート；４−メチル−２−フェニル−３，６−ジヒドロ−２Ｈ−ピラン；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；１−（３−ヒドロキシ−３−メチルペンタ−４−エン−１−イル）−２，５，５，８ａ−テトラメチルデカヒドロナフタレン−２−オール；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（４ａＲ，８ａＲ）−４ａ，８−ジメチル−２−（プロパン−２−イリデン）−１，２，３，４，４ａ，５，６，８ａ−オクタヒドロナフタレン；２−（１−（３，３−ジメチルシクロヘキシル）エトキシ）−２−メチルプロピルシクロプロパンカルボキシレート；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４，５］デカ−７−エン−７−イル）ペンタ−４−エン−１−オン；（Ｚ）−デカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３−メチル−２−フェニルオクタン−１−オン；２，６，１０，１０−テトラメチル−１−オキサスピロ［４，５］デカ−６−エン；（１ａＲ，４ａＳ）−２，４ａ，８，８−トリメチル−１，１ａ，４，４ａ，５，６，７，８−オクタヒドロプロパ［ｄ］ナフタレン；１−イソプロピル−２−メトキシ−４−メチルベンゼン；１−（２，２，６−トリメチルシクロヘキシル）ヘキサン−３−オール；（２Ｅ，６Ｅ）−３，７，１１−トリメチルドデカ−２，６，１０−トリエン−１−オール；（Ｚ）−デカ−２−エナール；（Ｅ）−ノナ−２−エナール；（Ｅ）−デカ−４−エナール；（Ｚ）−オキサシクロヘプタデカ−８−エン−２−オン；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７−（１Ｈ）−オン；トリデカン−１−オール；メチル２−（（１−ヒドロキシ−３−フェニルブチル）アミノ）ベンゾエート；
１−（（２Ｅ，５Ｚ，９Ｚ）−２，６，１０−トリメチルシクロドデカ−２，５，９−トリエン−１−イル）エタン−１−オン；デカヒドロ−２，６，６，７，８，８−ヘキサメチル−２ｈ−インデノ（４，５−ｂ）フラン；ペンタメチルオクタヒドロインデノジオキサン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；２−（（２Ｒ，８Ｒ，８ａＳ）−８，８ａ−ジメチル−１，２，３，４，６，７，８，８ａ−オクタヒドロナフタレン−２−イル）プロパン−２−オール；（Ｚ）−２−メチル−４−（２，６，６−トリメチルシクロヘキサ−２−エン−１−イル）ブタ−２−エナール；１−メトキシ−３ａ，４，５，６，７，７ａ−ヘキサヒドロ−１Ｈ−４，７−メタノインデン；メチル（Ｚ）−２−（（３−（４−（ｔｅｒｔ−ブチル）フェニル）−２−メチルプロピリデン）アミノ）ベンゾエート；２，４，６−トリメチル−４−フェニル−１，３−ジオキサン；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；メチル（Ｚ）−２−（（（２，４−ジメチルシクロヘキサ−３−エン−１−イル）メチレン）アミノ）ベンゾエート；４，８−ジメチル−２−（プロパン−２−イリデン）−１，２，３，３ａ，４，５，６，８ａ−オクタヒドロアズレン−６−オール；４，８−ジメチル−２−（プロパン−２−イリデン）−１，２，３，３ａ，４，５，６，８ａ−オクタヒドロアズレン−６−アセテート；デカヒドロ−３Ｈ−スピロ［フラン−２，５’−［４，７］メタノインデン］；（２Ｚ，６Ｅ）−ノナ−２，６−ジエンニトリル；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノメタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノメタノナフタレン］；（１Ｒ，８ａＲ）−４−イソプロピル−１，６−ジメチル−１，２，３，７，８，８ａ−ヘキサヒドロナフタレン；（７，７，８，８−テトラメチルオクタヒドロ−２，３ｂ−メタノシクロペンタ［１，３］シクロプロパ［１，２］ベンゼン−４−イル）メタノール；４，５−エトキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン��
より好ましくは、前記１つ以上の悪臭低減物質が、以下のものからなる群から選択される：３−メトキシ−７，７−ジメチル−１０−メチレンビシクロ［４．３．１］デカン；２，４ａ，５，８ａ−テトラメチル−１，２，３，４，４ａ，７，８，８ａ−オクタヒドロナフタレン−１−イルホルメート；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（Ｅ）−シクロヘキサデカ−８−エン−１−オン；（Ｚ）−１−（ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；（１Ｓ，２Ｓ，４Ｓ）−１，７，７−トリメチルビシクロ［２．２．１］ヘプタン−２−イルイソブチレート；２，３−ジヒドロ−３，３−ジメチル−１Ｈ−インデン−５−プロパナール；３−（３，３−ジメチル−２，３−ジヒドロ−１Ｈ−インデン−５−イル）プロパナール；２−（（２Ｒ，４ａＲ）−４ａ，８−ジメチル−１，２，３，４，４ａ，５，６，７−オクタヒドロナフタレン−２−イル）プロパン−２−オール；４，６，６，７，８，８−ヘキサメチル−１，３，４，６，７，８−ヘキサヒドロシクロペンタ［ｇ］イソクロメン；８，８−ジメチル−３ａ，４，５，６，７，７ａ−ヘキサヒドロ−１Ｈ−４，７−メタノインデン−６−イルアセテート；オクタヒドロ−１Ｈ−４，７−メタノインデン−５−イルアセテート；３ａ，４，５，６，７，７ａ−ヘキサヒドロ−１Ｈ−４，７−メタノインデン−６−イルブチレート；３ａ，４，５，６，７，７ａ−ヘキサヒドロ−１Ｈ−４，７−メタノインデン−５−イルイソブチレート；（５Ｒ，６Ｒ）−３，６−ジメチル−５−（プロパ−１−エン−２−イル）−６−ビニル−４，５，６，７−テトラヒドロベンゾフラン；（Ｅ）−シクロヘプタデカ−９−エン−１−オン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；（Ｚ）−４，１１，１１−トリメチル−８−メチレンビシクロ［７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカンー１−オール；（１Ｓ，２Ｓ）−１，７，７−トリメチルビシクロ［２．２．１］ヘプタン−２−イルイソブチレート；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１．７］シクロヘプタン［１．２−ｂ］オキシレン；（３Ｒ，３ａＳ，７Ｓ，８ａＳ）−３，８，８−トリメチル−６−メチレンオクタヒドロ−１Ｈ−３ａ，７−メタノアズレン；４−メトキシベンジル２−フェニルアセテート；２，
２，７，７，８，９，９−ヘプタメチルデカヒドロインデノ［４，３ａ−ｂ］フラン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（Ｅ）−５−（２，３−ジメチルトリシクロ［２．２．１．０．２，６］ヘプタン−３−イル）−２−メチルペンタ−２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１ａＲ，４Ｒ，４ａＲ，７ｂＳ）−１，１，４，７−トリメチル−１ａ，２，３，４，４ａ，５，６，７ｂ−オクタヒドロ−１Ｈ−シクロプロパ［ｅ］アズレン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；（Ｅ）−シクロヘキサデカ−５−エン−１−オン；（１ａＲ，２Ｓ，４ａＳ）−２，４ａ，８，８−テトラメチルオクタヒドロシクロプロパ［ｄ］ナフタレン−３（１Ｈ）−オン；２−（（２Ｒ，４ａＳ）−４ａ，８−ジメチル−１，２，３，４，４ａ，５，６，７−オクタヒドロナフタレン−２−イル）プロパン−２−オール；３ａ，４，５，６，７，７ａ−ヘキサヒドロ−１Ｈ−４，７−メタノインデン−６−イルプロピオネート；１−（１，１，２，３，３，６−ヘキサメチル−２，３−ジヒドロ−１Ｈ−インデン−５−イル）エタン−１−オン；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；３ａ，４，５，６，７，７ａ−ヘキサヒドロ−１Ｈ−４，７−メタノインデン−６−イルピバレート；（２Ｒ，４ａ’Ｒ，８ａ’Ｒ）−３，７’−ジメチル−３，４’，４ａ’，５’，８’，８ａ’−ヘキサヒドロ−１’Ｈ−スピロ［オキシラン−２，２’−［１，４］メタノナフタレン］；２，２，７，９−テトラメチルスピロ（５．５）ウンデカ−８−エン−１−オン；（Ｚ）−２−エチル−４−（２，２，３−トリメチルシクロペンタ−３−エン−１−イル）ブタ−２−エン−１−オール；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４，５］デカ−７−エン−７−イル）ペンタ−４−エン−１−オン；（１ａＲ，４ａＳ）−２，４ａ，８，８−トリメチル−１，１ａ，４，４ａ，５，６，７，８−オクタヒドロプロパ［ｄ］ナフタレン；（１Ｒ−（１α，３α，４ａα））−２，３，４，４ａ，５，６−ヘキサヒドロ−２，２−ジメチル−１，３−メタノナフタレン−７−（１Ｈ）−オン；２−（（２Ｒ，８Ｒ，８ａＳ）−８，８ａ−ジメチル−１，２，３，４，６，７，８，８ａ−オクタヒドロナフタレン−２−イル）プロパン−２−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；メチル（Ｚ）−２−（（（２，４−ジメチルシクロヘキサ−３−エン−１−イル）メチレン）アミノ）ベンゾエート；４，８−ジメチル−２−（プロパン−２−イリデン）−１，２，３，３ａ，４，５，６，８ａ−オクタヒドロアズレン−６−アセテート；デカヒドロ−３Ｈ−スピロ［フラン−２，
５’−［４，７］メタノインデン］；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノメタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノメタノナフタレン］；テトラヒドロナフタレン−２−イル）−１，３−ジオキソラン；２−（シクロヘキシルオキシ）−１，７，７−トリメチルビシクロ［２．２．１］−ヘプタン；４−（（２Ｒ）−１，７，７−トリメチルビシクロ［２．２．１］ヘプタン−２−イル）シクロヘキサン−１−オール；８，８−ジメチル−３ａ，４，５，６，７，７ａ−ヘキサヒドロ−１Ｈ−４，７−メタノインデン−６−イルプロピオネート；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレン［５，６−ｂ］オキシレン；４，５−エトキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；並びに
最も好ましくは、前記１つ以上の悪臭低減物質が、以下のものからなる群から選択される：３−（３，３−ジメチル−２，３−ジヒドロ−１Ｈ−インデン−５−イル）プロパナール；８，８−ジメチル−３ａ，４，５，６，７，７ａ−ヘキサヒドロ−１Ｈ−４，７−メタノインデン−６−イルアセテート；２，２，７，７，８，９，９−ヘプタメチルデカヒドロインデノ［４，３ａ−ｂ］フラン；（Ｅ）−シクロヘキサデカ−５−エン−１−オン；４，５−エトキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン及びこれらの混合物、
ものである請求項１〜４のいずれかに記載の洗浄及び／又は処理組成物。
【請求項６】
０．００１ｋＰａ（０．０１トル）より大きい、好ましくは０．００１ｋＰａ〜１ｋＰａ（０．０１トル〜１０トル）の蒸気圧を有する１種以上の悪臭低減物質を含み、
好ましくは、前記１種以上の悪臭低減物質が以下のものからなる群から選択される：１，１−ジメトキシノン−２−イン；２−（ｐ−トリル）プロパン−２−オール；３−メトキシ−７，７−ジメチル−１０−メチレンビシクロ［４．３．１］デカン；メトキシシクロドデカン；４−（ｔｅｒｔ−ペンチル）シクロヘキサン−１−オン；７−メトキシ−８，８−ジメチル−６，１０−ジオキサスピロ［４．５］デカン；オクチルアセテート；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−オール；２−メチル−６−メチレンオクタ−７−エン−２−イルアセテート；（Ｅ）−２，６−ジメチルオクタ−５，７−ジエン−２−オール；ノナン−１−オール；ノナナール；２−メトキシナフタレン；（Ｚ）−３，７−ジメチルオクタ−２，６−ジエン−１−オール；１−エチル−３−メトキシトリシクロ［２．２．１．０．２，６］ヘプタン；メチル（Ｅ）−ノナ−２−エノエート；６，６−ジメチルビシクロ［３．１．１］ヘプタ−２−エン−２−カルバルデヒド；メチルノナ−２−イノエート；２−メチルデカナール；６，６−ジメトキシ−２，５，５−トリメチルヘキサ−２−エン；４−フェニルブタン−２−オール；１，１−ジメトキシ−２−メチルウンデカン；ウンデカン−２−オン；２−メチルウンデカナール；（Ｚ）−１，２−ジメトキシ−４−（プロパ−１−エン−１−イル）ベンゼン；４−アリル−１，２−ジメトキシベンゼン；１−メチル−２−フェニルベンゼン；メチルシンナメート；１−アリル−４−メトキシベンゼン；メチルオクタ−２−イノエート；メチル２，６，６−トリメチルシクロヘキサ−２−エン−１−カルボキシレート；７−メトキシ−３，７−ジメチルオクタナール；オクタヒドロ−１Ｈ−４，７−メタノインデン−１−カルバルデヒド；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；（Ｚ）−３−ヘキセン−１−イル−２−シクロペンテン−１−オン；３，７−ジメチルオクタ−１，６−ジエン−３−イルイソブチレート；２−（５−メチル−５−ビニルテトラヒドロフラン−２−イル）プロパン−２−オール；３−（４−メチルシクロヘキサ−３−エン−１−イル）ブタナール；（Ｅ）−１−（（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；ドデカナール；２−プロピルヘプタンニトリル；２−ヘキシルシクロペンタン−１−オン；２−メチル−４−フェニル−１，３−ジオキソラン；２，６，９，１０−テトラメチル−１−オキサスピロ（４，５）デカ−３，６−ジエン；（１Ｒ，２Ｓ，５Ｒ）−５−メチル−２−（プロパ−１−エン−２−イル）シクロヘキサン−１−オール；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；２，５，６−トリメチルシクロヘキサ−３−エン−１−カルバルデヒド；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチレート；（１Ｒ，４Ｓ）−１，７，７−トリメチルビシクロ［２．２．１］ヘプタン−２−イルアセテート；（Ｅ）−ノナ−２−エンニトリル；３−フェニルプロパン−１−オール；（１，１−ジメトキシプロパン−２−イル）ベンゼン；５−エチル−４−ヒドロキシ−２−メチルフラン−３（２Ｈ）−オン；ヘキシルヘキサノエート；（Ｚ）−ヘキサ−１−エン−１−イル（Ｚ）−２−メチルブタ−２−エノエート；２−ブチル−４，４，６−トリメチル−１，３−ジオキサン；エチル（１Ｒ，２Ｒ，３Ｒ，４Ｒ）−３−イソプロピルビシクロ［２．２．１］ヘプタ−５−エン−２−カルボキシレート；３ａ，４，５，６，７，７ａ−ヘキサヒドロ−１Ｈ−４，７−メタノインデン−６−イルアセテート；６−ブチル−２，４−ジメチル−３，６−ジヒドロ−２Ｈ−ピラン；エチル２−エチル−６，６−ジメチルシクロヘキサ−２−エン−１−カルボキシラート；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，４ａＳ，８ａＳ）−１−イソプロピル−７−メチル−４−メチレン−１，２，３，４ａ，５，６，８ａ−オクタヒドロナフタレン；フラン−２−イルメチルヘキサノエート；２−メチルデカンニトリル；エチル（３ａＲ，４Ｓ，７Ｒ，７ａＲ）−オクタヒドロ−３ａＨ−４，７−メタノインデン−３ａ−カルボキシレート；（Ｅ）−４，８−ジメチルデカ−４，９−ジエナール；２−ヘプチルシクロペンタン−１−オン；３−シクロヘキセン−１−カルボン酸２，６，６−トリメチル−，メチルエステル；４−アリル−２−メトキシフェノール；エチルノナノエート；ノナン−３−オン；エチルデカノエート；エチル６，６−ジメチル−２−メチルシクロヘキサ−３−エン−１−カルボキシレート；（２−（１−エトキシエトキシ）エチル）ベンゼン；１，１−ジメトキシドデカン；（Ｒ）−１−メチル−４−（プロパ−１−エン−２−イル）シクロヘキサ−１−エン；オキシジベンゼン；ジフェニルメタン；２，６−ジメチルオクタ−７−エン−４−オン；オクタヒドロ−１Ｈ−４，７−メタノインデン−５−イルアセテート；２−メチル−５−（プロパ−１−エン−２−イル）シクロヘキシルアセテート；２−メチル−５−（プロパ−１−エン−２−イル）シクロヘキサン−１−オール；３，７−ジメチルオクタ−６−エン−３−オール；ジブチルスルファン；
（３Ｒ，４Ｒ）−１−イソプロピル−４−メチル−３−（プロパ−１−エン−２−イル）−４−ビニルシクロヘキサ−１−エン；（Ｚ）−１−（（１Ｒ，２Ｓ）−２，６，６−トリメチルシクロヘキサ−３−エン−１−イル）ブタ−２−エン−１−オン；３，７，７−トリメチルビシクロ［４．１．０］ヘプタ−３−エン；デシルプロピオネート；１，１−ジエトキシデカン；デカヒドロナフタレン−２−オール；１−シクロヘキシルエチル（Ｅ）−ブタ−２−エノエート；（４−イソプロピルフェニル）メタノール；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−３，７−ジメチルオクタ−１，３，６−トリエン；（１Ｒ，４Ｒ，６Ｓ）−１−メチル−４−（プロパ−１−エン−２−イル）−７−オキサビシクロ［４．１．０］ヘプタン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−メチルブタノエート；（３Ｚ，６Ｚ）−ノナ−３，６−ジエン−１−オール；シンナミルホルメート；（Ｅ）−３−フェニルプロパ−２−エン−１−オール；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；オクタニトリル；オクタン−１−オール；オクタン酸；デカナール；３−（４−メトキシフェニル）−２−メチルプロパナール；１，７，７−トリメチルビシクロ［２．２．１］ヘプタン−２，３−ジオン；２，２−ジメチル−３−メチレンビシクロ［２．２．１］−ヘプタン；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；３，３，６，７−テトラメチルオクタヒドロ−２Ｈ−クロメン；１−メチル−４−（プロパ−１−エン−２−イル）シクロヘキシルアセテート；１−メチル−４−（プロパ−１−エン−２−イル）シクロヘキサン−１−オール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパー１−エン−２−イル）デカヒドロナフタレン；６，６−ジメチル−２−メチレンビシクロ［３．１．１］−ヘプタン；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）−ベンゼン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレンシトリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；２−メチル−４−フェニルブタン−２−オール；２−メチル−１−フェニルプロパン−２−オール；２’−イソプロピル−１，７，７−トリメチルスピロ［ビシクロ［２．２．１］ヘプタン−２，４’−［１，３］ジオキサン］；メチル（Ｅ）−オクタ−４，７−ジエノエート；（１Ｓ，４Ｒ，５Ｒ）−１−イソプロピル−４−メチレンビシクロ［３．１．０］ヘキサン−３−オン；２−（４−メチルシクロヘキサ−３−エン−１−イル）プロパン−２−イルプロピオネート；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１Ｓ，４ａＳ，８ａＲ）−１−イソプロピル−４，７−ジメチル−１，２，４ａ，５，６，８ａ−ヘキサヒドロナフタレン；１−メチル−４−（プロパ−１−エン−２−イル）シクロヘキサ−１−エン；（１ａＲ，４Ｒ，４ａＲ，７ｂＳ）−１，１，４，７−トリメチル−１ａ，２，３，４，４ａ，５，６，７ｂ−オクタヒドロ−１Ｈ−シクロプロパ［ｅ］アズレン；７，７−ジメチル−２−メチレンビシクロ［２．２．１］−ヘプタン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレン［５，６−ｂ］オキシレン；（１Ｓ，４ａＲ，８ａＲ）−１−イソプロピル−４，７−ジメチル−１，２，４ａ，５，６，８ａ−ヘキサヒドロナフタレン；２，６−ジメチル−６−（４−メチルペンタ−３−エン−１−イル）ビシクロ［３．１．１］ヘプタ−２−エン；（１Ｓ，４ａＲ，８ａＳ）−１−イソプロピル−４，７−ジメチル−１，２，４ａ，５，６，８ａ−ヘキサヒドロナフタレン；１−フェニルプロパン−２−オール；トランス，トランス−２，４−ノナジエン−１−アール；α−４−ジメチルベンゼンプロパナール；アリル２−（イソペンチルオキシ）アセテート；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；ノニルアセテート；（２−（１−プロポキシエトキシ）エチル）ベンゼン；１−（１−プロポキシエトキシ）プロパン；（（１−（２−メトキシエトキシ）エトキシ）メチル）ベンゼン；デカ−９−エナール；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；６−イソプロピルキノリン；３−（６，６−ジメチルビシクロ［３．１．１］ヘ���タ−２−エン−２−イル）プロパナール；２−メチル−５−（プロパ−１−エン−２−イル）−２−ビニルテトラヒドロフラン；１−イソプロピル−４−メチルシクロヘキサ−３−エン−１−オール；１−フェニルペンタ−４−エン−１−オン；１−イソプロピル−４−メチルシクロヘキサ−３−エン−１−オール；３，６−ジメチル−４，５，６，７−テトラヒドロベンゾフラン；（Ｚ）−デカ−２−エナール；（Ｅ）
−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；（２Ｅ，６Ｅ）−ノナ−２，６−ジエナール；２−フェノキシエタン−１−オール；（Ｚ）−ノナ−２−エナール；ノナン−２−オール；ノナン−２−オン；（Ｅ）−２−ヘキシリデンシクロペンタン−１−オン；２−ヘプチルテトラヒドロフラン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；（Ｅ）−ヘプタ−１−エン−１−イルアセテート；ウンデカ−１０−エナール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−デカ−３−エナール；（１Ｓ，２Ｓ，５Ｓ）−２−メチル−５−（プロパ−１−エン−２−イル）シクロヘキサン−１−オール；（２Ｓ，５Ｒ）−２−イソプロピル−５−メチルシクロヘキサン−１−オン；３−（３−イソプロピルフェニル）ブタナール；２−メチル−５−（６−メチルペンタ−５−エン−２−イル）ビシクロ［３．１．０］ヘキサ−２−エン；２−（ｍ−トリル）エタン−１−オール；（３Ｅ，６Ｅ）−ノナ−３，６−ジエン−１−オール；ｐ−トリルイソブチレート；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；（２−イソプロポキシエチル）ベンゼン；２−フェニルエタン−１−オール；２−ベンジル−１，３−ジオキソラン；２−（６，６−ジメチルビシクロ［３．１．１］ヘプタ−２−エン−２−イル）アセトアルデヒド；６，６−ジメチル−２−メチレンビシクロ［３．１．１］−ヘプタン−３−オール；４−イソプロピル−１−メチルシクロヘキサ−３−エン−１−オール；プロパン−１，２−ジオール；２，４−ジメチル−４−フェニルテトラヒドロフラン；（Ｚ）−６−エチリデンオクタヒドロ−２Ｈ−５，８−メタノクロメン；メチル２，２−ジメチル−６−メチレンシクロヘキサン−１−カルボキシレート；４−メチル−２−フェニル−３，６−ジヒドロ−２Ｈ−ピラン；（１Ｓ，３Ｒ，５Ｓ）−１−イソプロピル−４−メチレンビシクロ［３．１．０］ヘキサン−３−オール；５−アリルベンゾ［ｄ］［１，３］ジオキソール；（４ａＲ，８ａＲ）−４ａ，８−ジメチル−２−（プロパン−２−イリデン）−１，２，３，４，４ａ，５，６，８ａ−オクタヒドロナフタレン；２−メチル−１，５−ジオキサスピロ［５．５］ウンデカン；２−（ヘプタン−３−イル）−１，３−ジオキソラン；（Ｚ）−デカ−４−エナール；３−メチル−２−フェニルオクタン−１−オン；２，６，１０，１０−テトラメチル−１−オキサスピロ［４，５］デカ−６−エン；（１ａＲ，４ａＳ）−２，４ａ，８，８−トリメチル−１，１ａ，４，４ａ，５，６，７，８−オクタヒドロプロパ［ｄ］ナフタレン；１−イソプロピル−２−メトキシ−４−メチルベンゼン；（２Ｚ，４Ｅ）−ノナ−２，４−ジエナール；（２Ｅ，６Ｚ）−ノナ−２，６−ジエナール；（Ｚ）−デカ−２−エナール；（Ｅ）−ノナ−２−エナール；（３Ｅ，６Ｚ）−ノナ−３，６−ジエン−１−オール；（Ｅ）−デカ−４−エナール；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；ウンデカナール；（Ｅ）−４−メチルデカ−３−エン−５−オール；
（３Ｒ，４ａＳ，５Ｒ）−４ａ，５−ジメチル−３−（プロパ−１−エン−２−イル）−１，２，３，４，４ａ，５，６，７−オクタヒドロナフタレン；１−メトキシ−３ａ，４，５，６，７，７ａ−ヘキサヒドロ−１Ｈ−４，７−メタノインデン；（Ｚ）−ヘキサ−３−エン−１−イルイソブチレート；デカヒドロ−３Ｈ−スピロ［フラン−２，５’−［４，７］メタノインデン］；（２Ｚ，６Ｅ）−ノナ−２，６−ジエンニトリル；１’，１’，５’，５’−テトラメチルヘキサヒドロ−２’Ｈ，５’Ｈ−スピロ［［１，３］ジオキソラン−２，８’−［２，４ａ］メタノメタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノメタノナフタレン］；１−エトキシ−４−（ｔｅｒｔ−ペンチル）シクロヘキサン；（３Ｚ）−１−（２−ブテン−１−イルオキシ）−３−ヘキサン；４−（２−メトキシプロパン−２−イル）−１−メチルシクロヘキサ−１−エン；３−メトキシ−３，７−ジメチルオクタ−１，６−ジエン；３，７−ジメチルオクタナール；３，３−ジメチル−５−（２，２，３−トリメチル−３−シクロペンテン−１−イル）−４−ペンテン−２−オール；ヘキシル（Ｚ）−ブタ−２−エノエート；（Ｚ）−３，７−ジメチルオクタ−２，６−ジエン−１−イルホルメート；（Ｅ）−２，２−ジメチル−３−（３−メチルペンタ−２，４−ジエン−１−イル）オキシラン；（Ｅ）−３，７−ジメチルオクタ−４，６−ジエン−３−オール；（Ｚ）−ヘキサ−３−エン−１−イルシクロプロパンカルボキシレート；１−フェニルエチルプロピオネート；メチル２−フェニルアセテート；メチル（Ｚ）−３，７−ジメチルオクタ−２，６−ジエノエート；メチル２−シクロペンチリデンアセテート；６−メトキシ−２，６−ジメチルオクタナール；（（１ｓ、４ｓ）−４−イソプロピルシクロヘキシル）メタノール；３，７−ジメチルオクタ−１，６−ジエン−３−イルプロピオネート；３，７−ジメチルオクタ−１，６−ジエン−３−イルホルメート；３，７−ジメチルオクタ−１，６−ジエン−３−イルアセテート；３，７−ジメチルオクタ−１，６−ジエン−３−オール；（Ｚ）−ヘキサ−３−エン−１−イルメチルカーボネート；４−メチルキノリン；２−メチル−５−（１−メチルエテニル）−２−シクロヘキサノン；４−メチルペンタ−１−エン−３−オール；イソプロピル２−メチルブタノエート；４−メチルペンタ−４−エン−２−イルイソブチレート；７−メチルオクチルアセテート；７−メチルオクタン−１−オール；１，７，７−トリメチルビシクロ［２．２．１］ヘプタン−２−オール；イソペンチルオクタノエート；イソペンチルイソブチレート；２−フェニルプロパン−１−オール；ヘキシルプロピオネート；ヘキシルブチレート；ヘキシル２−メチルブタノエート；
ヘプタン−１−オール；ヘプチルアセテート；へプタナール；ベンゾ［ｄ］［１，３］ジオキソール−５−カルバルデヒド；（Ｚ）−３，７−ジメチルオクタ−２，６−ジエンニトリル（Ｅ）−３，７−ジメチルオクタ−２，６−ジエン−１−イルホルメート；（Ｅ）−３，７−ジメチルオクタ−２，６−ジエナール；１−イソプロピル−４−メチルシクロヘキサ−１，４−ジエン；２−（ｓｅｃ−ブチル）シクロヘキサン−１−オン；３−（２−エチルフェニル）−２，２−ジメチルプロパナール；（Ｚ）−５−メチルヘプタ−２−エン−４−オン；１，３，３−トリメチルビシクロ［２．２．１］ヘプタン−２−オール；１，３，３−トリメチル−２−オキサビシクロ［２，２，２］オクタン；エチルオクタノエート；エチル２−シクロヘキシルプロパノエート；（２Ｒ，５Ｒ）−２−メチル−５−（プロパ−１−エン−２−イル）シクロヘキサン−１−オン；４−メチル−２−フェニルテトラヒドロ−２Ｈ−ピラン；２，６−ジメチルオクタ−７−エン−２−オール；３−メチル−２−ペンチルシクロペンタ−２−エン−１−オン；３，３，５−トリメチルシクロヘキサン−１−オン；２−メチル−５−（プロパ−１−エン−２−イル）シクロヘキサン−１−オン；２−（４−メチルシクロヘキシル）プロパン−２−イルアセテート；４−（２，６，６−トリメチルシクロヘキサ−２−エン−１−イル）ブタン−２−オン；２−ペンチルシクロペンタン−１−オン；メチル（１ｓ，４ｓ）−１，４−ジメチルシクロヘキサン−１−カルボキシレート；２−シクロヘキシルエチルアセテート；２−メトキシ−４−メチルフェノール；（３Ｚ，５Ｚ）−２，６−ジメチルオクタ−１，３，５，７−テトラエン；４−シクロヘキシル−２−メチルブタン−２−オール；３，７−ジメチルオクタ−６−エンニトリル；３，７−ジメチルオクタ−６−エン−１−イルホルメート；３，７−ジメチルオクタ−６−エン−１−オール；３，７−ジメチルオクタ−６−エナール；（Ｅ）−３，７−ジメチルオクタ−２，６−ジエナール；（１Ｒ，２Ｓ，５Ｒ）−２，６，６−トリメチルビシクロ［３．１．１］ヘプタン；（Ｚ）−ヘキサ−３−エン−１−イルペンタノエート；（Ｅ）−ヘキサ−３−エン−１−イル（Ｅ）−２−メチルブタ−２−エノエート；（Ｚ）−ヘキサ−３−エン−１−イルプロピオネート；（Ｚ）−ヘキサ−３−エン−１−イルブチレート；（Ｚ）−ヘキサ−３−エン−１−オール；（Ｚ）−ヘキサ−２−エン−１−オール；シンナモニトリル；シンナムアルデヒド；シンナモニトリル；４−クロロ−３，５−ジメチルフェノール；５−イソプロピル−２−メチルフェノール；２−メチル−５−（プロパ−１−エン−２−イル）シクロヘキサ−２−エン−１−オン；
２−（２−エトキシエトキシ）エタン−１−オール；ヘキサン−１−オール；２−（２，２，３−トリメチルシクロペンタ−３−エン−１−イル）アセトニトリル；１，７，７−トリメチルビシクロ［２．２．１］ヘプタン−２−オン；（１Ｓ，２Ｒ，４Ｓ）−１，７，７−トリメチルビシクロ［２．２．１］ヘプタン−２−オール；６，６−ジメチルスピロ［ビシクロ［３．１．１］ヘプタン−２，２’−オキシラン］；３−イソプロピル−６−メチルシクロヘキサ−１−エン；４−フェニルブタン−２−オン；ベンジル３−ヒドロキシブタノエート；ベンジルイソブチレート；ベンジルブチレート；フェニルメタノール；１−（３，３−ジメチルシクロヘキシル）エチルホルメート；４−メトキシベンジルアセテート；４−メトキシベンジルホルメート；（Ｚ）−１−メトキシ−４−（プロパ−１−エン−１−イル）ベンゼン；２−（４−メチルシクロヘキサ−３−エン−１−イル）プロパン−２−イルアセテート；４−シクロヘキシルブタン−２−オール；（Ｅ）−２−メチル−３−フェニルアクリルアルデヒド；４−ヘキシル−２，５−ジメチルフラン−３（２Ｈ）−オン；（２−（アリルオキシ）エチル）ベンゼン；アリルヘプタノエート；３−ヒドロキシブタン−２−オン；１−（４−メトキシフェニル）エタン−１−オン；６−メチルキノリン；６，８−ジメチルノナン−２−オール；５−メチルヘプタ−３−オン；４−ビニルフェノール；４−エチル−２−メトキシフェノール；３−メチルシクロペンタン−１，２−ジオン；３−メトキシ−３−メチルブタン−１−オール；（Ｅ）−ヘキサ−３−エン−１−オール；３，７−ジメチル−２−メチレンオクタ−６−エナール；３，７−ジメチルオクタン−１−オール；フェネチルアセテート；フェネチルプロピオネート；２−ペンチルシクロペンタン−１−オール；（２Ｓ，４Ｓ）−２−ヘプチル−２，４−ジメチル−１，３−ジオキソラン；２−（ｓｅｃ−ブチル）−３−メトキシピラジン；２−イソプロピル−Ｎ，２，３−トリメチルブタンアミド；（Ｅ）−２−イソプロピル−５−メチルヘキサ−２−エナール；２−イソプロピル−４−メチルチアゾール；（Ｅ）−ヘキサ−２−エン−１−オール；２−ブトキシエタン−１−オール；１−イソプロピル−４−メチル−７−オキサビシクロ［２．２．１］ヘプタン；（Ｚ）−ヘプタ−３−エン−１−イルアセテート；（１Ｓ，５Ｓ）−４，６，６−トリメチルビシクロ［３．１．１］ヘプタ−３−エン−２−オン；（Ｒ）−３，７−ジメチルオクタ−１，６−ジエン−３−オール；３，７−ジメチルオクタ−６−エナール；（Ｒ）−３，７−ジメチルオクタ−６−エナール；３，７−ジメチルオクタ−６−エン−１−オール；３，７−ジメチルオクタ−６−エン−１−オール；（１Ｒ，５Ｒ）−２，６，６−トリメチルビシクロ［３．１．１］ヘプタ−２−エン；（Ｓ）−２−メチル−５−（プロパ−１−エン−２−イル）シクロヘキサ−２−エン−１−オン；（１Ｓ，５Ｓ）−２，６，６−トリメチルビシクロ［３．１．１］ヘプタ−２−エン；メチル２−メチルブタノエート；ヘキシル（Ｚ）−２−メチルブタ−２−エノエート；１−フェニルビニルアセテート；ｐ−シメン；フェネチルホルメート；２−（４−イソプロピルフェニル）アセトアルデヒド；１，２−ジメチル−３−（プロパ−１−エン−２−イル）シクロヘプタン−１−オール；（２Ｚ，５Ｚ）−５，６，７−トリメチルオクタ−２，５−ジエン−４−オン；１−メトキシ−４−プロピルベンゼン；２−（４−（ｔｅｒｔ−ブチル）フェニル）アセトアルデヒド；４−（ｔｅｒｔ−ペンチル）シクロヘキサン−１−オール；２，６，６−トリメチルビシクロ［３．１．１］ヘプタ−２−エン；３，７−ジメチルオクタ−７−エン−１−オール；１−（３，３−ジメチルシクロヘキシル）エチルアセテート；（Ｓ）−３，７−ジメチルオクタ−１，６−ジエン−３−オール；１−イソプロピル−４−メチレンビシクロ［３．１．０］ヘキサン；
５−イソプロピル−２−メチルシクロ［３．１．０］ヘキサン−２−オール；プロピル（Ｓ）−２−（ｔｅｒｔ−ペンチルオキシ）プロパノエート；１−オキサスピロ（４．５）デカン−２−オン；（Ｚ）−５−メチルヘプタン−３−オンオキシム；１−フェニルエチルアセテート；３，７−ジメチルオクタナール；３，７−ジメチルオクタン−３−オール；３，７−ジメチルオクタン−３−イルアセテート；エチル（１Ｒ，６Ｓ）−２，２，６−トリメチルシクロヘキサン−１−カルボキシレート；２−イソプロピル−５−メチルフェノール；（Ｅ）−ヘキサ−２−エン−１−オール；（１Ｒ，２Ｓ）−２−（ｔｅｒｔ−ブチル）シクロヘキサン−１−オール；（Ｚ）−１−メトキシ−４−（プロパ−１−エン−１−イル）ベンゼン；（２Ｒ，５Ｒ）−２−メチル−５−（プロパ−１−エン−２−イル）シクロヘキサン−１−オン；２−メルカプト−２−メチルペンタン−１−オール；２，２，５−トリメチル−５−ペンチルシクロペンタン−１−オン；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；（４−ｔｅｒｔ−ブチル）シクロヘキシルアセテート；４−（ｔｅｒｔ−ブチル）シクロヘキシルアセテート；（Ｚ）−１−（（２−メチルアリル）オキシ）ヘキサ−３−エン；
より好ましくは、前記１つ以上の悪臭低減物質は、以下のものからなる群から選択される：１，１−ジメトキシノン−２−イン；２−（ｐ−トリル）プロパン−２−オール；３−メトキシ−７，７−ジメチル−１０−メチレンビシクロ［４．３．１］デカン；メトキシシクロドデカン；４−（ｔｅｒｔ−ペンチル）シクロヘキサン−１−オン；７−メトキシ−８，８−ジメチル−６，１０−ジオキサスピロ［４．５］デカン；オクチルアセテート；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−オール；２−メチル−６−メチレンオクタ−７−エン−２−イルアセテート；（Ｅ）−２，６−ジメチルオクタ−５，７−ジエン−２−オール；ノナン−１−オール；ノナナール；２−メトキシナフタレン；（Ｚ）−３，７−ジメチルオクタ−２，６−ジエン−１−オール；１−エチル−３−メトキシトリシクロ［２．２．１．０．２，６］ヘプタン；メチル（Ｅ）−ノナ−２−エノエート；６，６−ジメチルビシクロ［３．１．１］ヘプタ−２−エン−２−カルバルデヒド；メチルノナ−２−イノエート；２−メチルデカナール；６，６−ジメトキシ−２，５，５−トリメチルヘキサ−２−エン；４−フェニルブタン−２−オール；１，１−ジメトキシ−２−メチルウンデカン；ウンデカン−２−オン；２−メチルウンデカナール；（Ｚ）−１，２−ジメトキシ−４−（プロパ−１−エン−１−イル）ベンゼン；４−アリル−１，２−ジメトキシベンゼン；
１−メチル−２−フェニルベンゼン；メチルシンナメート；１−アリル−４−メトキシベンゼン；メチルオクタ−２−イノエート；メチル２，６，６−トリメチルシクロヘキサ−２−エン−１−カルボキシレート；７−メトキシ−３，７−ジメチルオクタナール；オクタヒドロ−１Ｈ−４，７−メタノインデン−１−カルバルデヒド；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；（Ｚ）−３−ヘキセン−１−イル−２−シクロペンテン−１−オン；３，７−ジメチルオクタ−１，６−ジエン−３−イルイソブチレート；２−（５−メチル−５−ビニルテトラヒドロフラン−２−イル）プロパン−２−オール；３−（４−メチルシクロヘキサ−３−エン−１−イル）ブタナール；（Ｅ）−１−（（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；ドデカナール；２−プロピルヘプタンニトリル；２−ヘキシルシクロペンタン−１−オン；２−メチル−４−フェニル−１，３−ジオキソラン；２，６，９，１０−テトラメチル−１−オキサスピロ（４，５）デカ−３，６−ジエン；（１Ｒ，２Ｓ，５Ｒ）−５−メチル−２−（プロパ−１−エン−２−イル）シクロヘキサン−１−オール；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；２，５，６−トリメチルシクロヘキサ−３−エン−１−カルバルデヒド；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチレート；（１Ｒ，４Ｓ）−１，７，７−トリメチルビシクロ［２．２．１］ヘプタン−２−イルアセテート；（Ｅ）−ノナ−２−エンニトリル；３−フェニルプロパン−１−オール；（１，１−ジメトキシプロパン−２−イル）ベンゼン；５−エチル−４−ヒドロキシ−２−メチルフラン−３（２Ｈ）−オン；ヘキシルヘキサノエート；（Ｚ）−ヘキサ−１−エン−１−イル（Ｚ）−２−メチルブタ−２−エノエート；２−ブチル−４，４，６−トリメチル−１，３−ジオキサン；エチル（１Ｒ，２Ｒ，３Ｒ，４Ｒ）−３−イソプロピルビシクロ［２．２．１］ヘプタ−５−エン−２−カルボキシレート；３ａ，４，５，６，７，７ａ−ヘキサヒドロ−１Ｈ−４，７−メタノインデン−６−イルアセテート；６−ブチル−２，４−ジメチル−３，６−ジヒドロ−２Ｈ−ピラン；エチル２−エチル−６，６−ジメチルシクロヘキサ−２−エン−１−カルボキシラート；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，４ａＳ，８ａＳ）−１−イソプロピル−７−メチル−４−メチレン−１，２，３，４，４ａ，５，６，８ａ−オクタヒドロナフタレン；フラン−２−イルメチルヘキサノエート；２−メチルデカンニトリル；エチル（３ａＲ，４Ｓ，７Ｒ，７ａＲ）−オクタヒドロ−３ａＨ−４，７−メタノインデン−３ａ−カルボキシレート；（Ｅ）−４，８−ジメチルデカ−４，９−ジエナール；２−ヘプチルシクロペンタン−１−オン；３−シクロヘキセン−１−カルボン酸２，６，６−トリメチル−，メチルエステル；４−アリル−２−メトキシフェノール；エチルノナノエート；ノナン−３−オン；エチルデカノエート；エチル６，６−ジメチル−２−メチルシクロヘキサ−３−エン−１−カルボキシレート；（２−（１−エトキシエトキシ）エチル）ベンゼン；１，１−ジメトキシドデカン；（Ｒ）−１−メチル−４−（プロパ−１−エン−２−イル）シクロヘキサ−１−エン；オキシジベンゼン；ジフェニルメタン；２，６−ジメチルオクタ−７−エン−４−オン；オクタヒドロ−１Ｈ−４，７−メタノインデン−５−イルアセテート；２−メチル−５−（プロパ−１−エン−２−イル）シクロヘキシルアセテート；２−メチル−５−（プロパ−１−エン−２−イル）シクロヘキサン−１−オール；３，７−ジメチルオクタ−６−エン−３−オール；ジブチルスルファン；（３Ｒ，４Ｒ）−１−イソプロピル−４−メチル−３−（プロパ−１−エン−２−イル）−４−ビニルシクロヘキサ−１−エン；（Ｚ）−１−（（１Ｒ，２Ｓ）−２，６，６−トリメチルシクロヘキサ−３−エン−１−イル）ブタ−２−エン−１−オン；３，７，７−トリメチルビシクロ［４．１．０］ヘプタ−３−エン；デシルプロピオネート；１，１−ジエトキシデカン；デカヒドロナフタレン−２−オール；１−シクロヘキシルエチル（Ｅ）−ブタ−２−エノエート；（４−イソプロピルフェニル）メタノール；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−３，７−ジメチルオクタ−１，３，６−トリエン；（１Ｒ，４Ｒ，６Ｓ）−１−メチル−４−（プロパ−１−エン−２−イル）−７−オキサビシクロ［４．１．０］ヘプタン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−メチルブタノエート；（３Ｚ，６Ｚ）−ノナ−３，６−ジエン−１−オール；シンナミルホルメート；（Ｅ）−３−フェニルプロパ−２−エン−１−オール；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；オクタニトリル；
オクタン−１−オール；オクタン酸；デカナール；３−（４−メトキシフェニル）−２−メチルプロパナール；１，７，７−トリメチルビシクロ［２．２．１］ヘプタン−２，３−ジオン；２，２−ジメチル−３−メチレンビシクロ［２．２．１］−ヘプタン；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；３，３，６，７−テトラメチルオクタヒドロ−２Ｈ−クロメン；１−メチル−４−（プロパ−１−エン−２−イル）シクロヘキシルアセテート；１−メチル−４−（プロパ−１−エン−２−イル）シクロヘキサン−１−オール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパー１−エン−２−イル）デカヒドロナフタレン；６，６−ジメチル−２−メチレンビシクロ［３．１．１］−ヘプタン；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）−ベンゼン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレンシトリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；２−メチル−４−フェニルブタン−２−オール；２−メチル−１−フェニルプロパン−２−オール；２’−イソプロピル−１，７，７−トリメチルスピロ［ビシクロ［２．２．１］ヘプタン−２，４’−［１，３］ジオキサン］；メチル（Ｅ）−オクタ−４，７−ジエノエート；（１Ｓ，４Ｒ，５Ｒ）−１−イソプロピル−４−メチレンビシクロ［３．１．０］ヘキサン−３−オン；２−（４−メチルシクロヘキサ−３−エン−１−イル）プロパン−２−イルプロピオネート；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１Ｓ，４ａＳ，８ａＲ）−１−イソプロピル−４，７−ジメチル−１，２，４ａ，５，６，８ａ−ヘキサヒドロナフタレン；１−メチル−４−（プロパ−１−エン−２−イル）シクロヘキサ−１−エン；（１ａＲ，４Ｒ，４ａＲ，７ｂＳ）−１，１，４，７−トリメチル−１ａ，２，３，４，４ａ，５，６，７ｂ−オクタヒドロ−１Ｈ−シクロプロパ［ｅ］アズレン；７，７−ジメチル−２−メチレンビシクロ［２．２．１］−ヘプタン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレン［５，６−ｂ］オキシレン；（１Ｓ，４ａＲ，８ａＲ）−１−イソプロピル−４，７−ジメチル−１，２，４ａ，５，６，８ａ−ヘキサヒドロナフタレン；２，６−ジメチル−６−（４−メチルペンタ−３−エン−１−イル）ビシクロ［３．１．１］ヘプタ−２−エン；（１Ｓ，４ａＲ，８ａＳ）−１−イソプロピル−４，７−ジメチル−１，２，４ａ，５，６，８ａ−ヘキサヒドロナフタレン；１−フェニルプロパン−２−オール；トランス，トランス−２，４−ノナジエン−１−アール；α，４−ジメチルベンゼンプロパナール；アリル２−（イソペンチルオキシ）アセテート；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；ノニルアセテート；（２−（１−プロポキシエトキシ）エチル）ベンゼン；１−（１−プロポキシエトキシ）プロパン；（（１−（２−メトキシエトキシ）エトキシ）メチル）ベンゼン；デカ−９−エナール；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；６−イソプロピルキノリン；３−（６，６−ジメチルビシクロ［３．１．１］ヘプタ−２−エン−２−イル）プロパナール；２−メチル−５−（プロパ−１−エン−２−イル）−２−ビニルテトラヒドロフラン；１−イソプロピル−４−メチルシクロヘキサ−３−エン−１−オール；１−フェニルペンタ−４−エン−１−オン；１−イソプロピル−４−メチルシクロヘキサ−３−エン−１−オール；３，６−ジメチル−４，５，６，７−テトラヒドロベンゾフラン；（Ｚ）−デカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；（２Ｅ，６Ｅ）−ノナ−２，６−ジエナール；２−フェノキシエタン−１−オール；（Ｚ）−ノナ−２−エナール；ノナン−２−オール；ノナン−２−オン；（Ｅ）−２−ヘキシリデンシクロペンタン−１−オン；２−ヘプチルテトラヒドロフラン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；（Ｅ）−ヘプタ−１−エン−１−イルアセテート；ウンデカ−１０−エナール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１���−インデン；（Ｚ）−デカ−３−エナール；（１Ｓ，２Ｓ，５Ｓ）−２−メチル−５−（プロパ−１−エン−２−イル）シクロヘキサン−１−オール；（２Ｓ，５Ｒ）−２−イソプロピル−５−メチルシクロヘキサン−１−オン；３−（３−イソプロピルフェニル）ブタナール；２−メチル−５−（６−メチルペンタ−５−エン−２−イル）ビシクロ［３．１．０］ヘキサ−２−エン；２−（ｍ−トリル）エタン−１−オール；（３Ｅ，６Ｅ）−ノナ−３，６−ジエン−１−オール；ｐ−トリルイソブチレート；４−（プロパ−１−エン−２−イル）シクロヘキサ−１−エン−１−カルバルデヒド；
（４−（プロパ−１−エン−２−イル）シクロヘキサ−１−エン−１−イル）メチルアセテート；（２−イソプロポキシエチル）ベンゼン；２−フェニルエタン−１−オール；２−ベンジル−１，３−ジオキソラン；２−（６，６−ジメチルビシクロ［３．１．１］ヘプタ−２−エン−２−イル）アセトアルデヒド；６，６−ジメチル−２−メチレンビシクロ［３．１．１］−ヘプタン−３−オール；４−イソプロピル−１−メチルシクロヘキサ−３−エン−１−オール；プロパン−１，２−ジオール；２，４−ジメチル−４−フェニルテトラヒドロフラン；（Ｚ）−６−エチリデンオクタヒドロ−２Ｈ−５，８−メタノクロメン；メチル２，２−ジメチル−６−メチレンシクロヘキサン−１−カルボキシレート；４−メチル−２−フェニル−３，６−ジヒドロ−２Ｈ−ピラン；（１Ｓ，３Ｒ，５Ｓ）−１−イソプロピル−４−メチレンビシクロ［３．１．０］ヘキサン−３−オール；５−アリルベンゾ［ｄ］［１，３］ジオキソール；（４ａＲ，８ａＲ）−４ａ，８−ジメチル−２−（プロパン−２−イリデン）−１，２，３，４，４ａ，５，６，８ａ−オクタヒドロナフタレン；２−メチル−１，５−ジオキサスピロ［５．５］ウンデカン；２−（ヘプタン−３−イル）−１，３−ジオキソラン；（Ｚ）−デカ−４−エナール；３−メチル−２−フェニルオクタン−１−オン；２，６，１０，１０−テトラメチル−１−オキサスピロ［４，５］デカ−６−エン；（１ａＲ，４ａＳ）−２，４ａ，８，８−トリメチル−１，１ａ，４，４ａ，５，６，７，８−オクタヒドロプロパ［ｄ］ナフタレン；１−イソプロピル−２−メトキシ−４−メチルベンゼン；（２Ｚ，４Ｅ）−ノナ−２，４−ジエナール；（２Ｅ，６Ｚ）−ノナ−２，６−ジエナール；（Ｚ）−デカ−２−エナール；（Ｅ）−ノナ−２−エナール；（３Ｅ，６Ｚ）−ノナ−３，６−ジエン−１−オール；（Ｅ）−デカ−４−エナール；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；１−メトキシ−３ａ，４，５，６，７，７ａ−ヘキサヒドロ−１Ｈ−４，７−メタノインデン；（Ｚ）−ヘキサ−３−エン−１−イルイソブチレート；デカヒドロ−３Ｈ−スピロ［フラン−２，５’−［４，７］メタノインデン］；（２Ｚ，６Ｅ）−ノナ−２，６−ジエンニトリル；１’，１’，５’，５’−テトラメチルヘキサヒドロ−２’Ｈ，５’Ｈ−スピロ［［１，３］ジオキソラン−２，８’−［２，４ａ］メタノメタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；
最も好ましくは、前記１つ以上の悪臭低減物質が、以下のものからなる群から選択される：３−メトキシ−７，７−ジメチル−１０−メチレンビシクロ［４．３．１］デカン；（１Ｓ，２Ｓ，４Ｓ）−１，７，７−トリメチルビシクロ［２．２．１］ヘプタン−２−イルイソブチレート；３ａ，４，５，６，７，７ａ−ヘキサヒドロ−１Ｈ−４，７−メタノインデン−６−イルアセテート；オクタヒドロ−１Ｈ−４，７−メタノインデン−５−イルアセテート；（１Ｓ，２Ｓ）−１，７，７−トリメチルビシクロ［２．２．１］ヘプタン−２−イルイソブチレート；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）−ベンゼン；（３Ｒ，３ａＳ，７Ｓ，８ａＳ）−３，８，８−トリメチル−６−メチレンオクタヒドロ−１Ｈ−３ａ，７−メタノアズレン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１ａＲ，４Ｒ，４ａＲ，７ｂＳ）−１，１，４，７−トリメチル−１ａ，２，３，４，４ａ，５，６，７ｂ−オクタヒドロ−１Ｈ−シクロプロパ［ｅ］アズレン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（１ａＲ，４ａＳ）−２，４ａ，８，８−トリメチル−１，１ａ，４，４ａ，５，６，７，８−オクタヒドロプロパ［ｄ］ナフタレン；デカヒドロ−３Ｈ−スピロ［フラン−２，５’−［４，７］メタノインデン］；１’，１’，５’，５’−テトラメチルヘキサヒドロ−２’Ｈ，５’Ｈ−スピロ［［１，３］ジオキソラン−２，８’−［２，４ａ］メタノメタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノメタノナフタレン］；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレン［５，６−ｂ］オキシレン及びこれらの混合物
ものである、請求項１〜４のいずれかに記載の洗浄及び／又は処理組成物。
【請求項７】
３以下、好ましくは０．１〜３のｌｏｇ  Ｐを有する１種以上の悪臭低減物質を含み、
好ましくは、前記悪臭低減物質が以下のものからなる群から選択される：２−（ｐ−トリル）プロパン−２−オール；４−メチル−１−オキサスピロ［５．５］ウンデカン−４−オール；７−メチル−２Ｈ−ベンゾ［ｂ］［１，４］ジオキセピン−３（４Ｈ）−オン；２−メチル−６−メチレンオクタ−７−エン−２−オール；４−メトキシ−６−プロパ−２−エニル−１，３−ベンゾジオキソール；（Ｅ）−２，６−ジメチルオクタ−５，７−ジエン−２−オール；（Ｅ）−２，７−ジメチルオクタ−１，５，７−トリエン−３−オール；１−（３−メチルベンゾフラン−２−イル）エタン−１−オン；１−エチル−３−メトキシトリシクロ［２．２．１．０．２，６］ヘプタン；６，６−ジメチルビシクロ［３．１．１］ヘプタ−２−エン−２−カルバルデヒド；３−メチル−４−フェニルブタン−２−オール；４−フェニルブタン−２−オール；１−ヒドロキシデカン−３−オン；（Ｚ）−１，２−ジメトキシ−４−（プロパ−１−エン−１−イル）ベンゼン；４−アリル−１，２−ジメトキシベンゼン；メチル２−（（１Ｒ，２Ｒ）−３−オキソ−２−（（Ｚ）−ペンタ−２−エン−１−イル）シクロペンチル）アセテート；メチル２−（３−オキソ−２−ペンチルシクロペンチル）アセテート；メチルシンナメート；７−メトキシ−３，７−ジメチルオクタナール；オクタヒドロ−１Ｈ−４，７−メタノインデン−１−カルバルデヒド；２，４−ジメチル−４，４ａ，５，９ｂ−テトラヒドロインデノ［１，２−ｄ］［１，３］ジオキシン；４−（４−ヒドロキシ−４−メチルペンチル）シクロヘキサ−３−エン−１−カルバルデヒド；（Ｚ）−３−ヘキセン−１−イル−２−シクロペンテン−１−オン；２−（５−メチル−５−ビニルテトラヒドロフラン−２−イル）プロパン−２−オール；６−メチル−２−（オキシラン−２−イル）ヘプタ−５−エン−２−オール；（Ｅ）−１−（（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；３，６−ジメチルヘキサヒドロベンゾフラン−２（３Ｈ）−オン；（Ｅ）−６−（ペンタ−３−エン−１−イル）テトラヒドロ−２Ｈ−ピラン−２−オン；２−メチル−４−フェニル−１，３−ジオキソラン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；２，５，６−トリメチルシクロヘキサ−３−エン−１−カルバルデヒド；４，４ａ，５，９ｂ−テトラヒドロインデノ［１，２−ｄ］［１，３］ジオキシン；３，７−ジメチルオクタン−１，７−ジオール；３−フェニルプロパン−１−オール；（１，１−ジメトキシプロパン−２−イル）ベンゼン；５−エチル−４−ヒドロキシ−２−メチルフラン−３（２Ｈ）−オン；２−ブチル−４，４，６−トリメチル−１，３−ジオキサン；３ａ，４，５，６，７，７ａ−ヘキサヒドロ−１Ｈ−４，７−メタノインデン−６−イルアセテート；５−（ジエトキシメチル）ベンゾ［ｄ］［１，３］ジオキソール；３−（ベンゾ［ｄ］［１，３］ジオキソール−５−イル）−２−メチルプロパナール；５−ペンチルジヒドロフラン−２（３Ｈ）−オン；５−［（Ｚ）−ヘキサ−３−エニル］オキソラン−２−オン；５−ヘキシルジヒドロフラン−２（３Ｈ）−オン；ジエチルシクロヘキサン−１，４−ジカルボキシレート；２−イソブチル−４−メチルテトラヒドロ−２Ｈ−ピラン−４−オール；（Ｚ）−６−エチリデンオクタヒドロ−２Ｈ−５，８−メタノクロメン−２−オン；２−メトキシ−４−（４−メチレンテトラヒドロ−２Ｈ−ピラン−２−イル）フェノール；４−アリル−２−メトキシフェニルアセテート；４−アリル−２−メトキシフェノール；エチル３−メチル−３−フェニルオキシラン−２−カルボキシレート；ノナン−３−オン；エチル３−フェニルオキシラン−２−カルボキシレート；（２−（１−エトキシエトキシ）エチル）ベンゼン；（２Ｒ，３Ｓ，４Ｒ）−２，３，４，５−テトラヒドロペンタナール；２−（２−ヒドロキシプロポキシ）プロパン−１−オール；２，６−ジメチルオクタ−７−エン−４−オン；２−メチル−５−（プロパ−１−エン−２−イル）シクロヘキサン−１−オール；メチル２−ヘキシル−３−オキソシクロペンタン−１−カルボキシレート；６−ペンチルテトラヒドロ−２Ｈ−ピラン−２−オン；デカヒドロナフタレン−２−オール；１，４−ジオキサシクロヘキサデカン−５，１６−ジオン；（４−イソプロピルフェニル）メタノール；１−（ベンゾフラン−２−イル）エタン−１−オン；
（１Ｒ，４Ｒ，６Ｓ）−１−メチル−４−（プロパ−１−エン−２−イル）−７−オキサビシクロ［４．１．０］ヘプタン；（Ｚ）−ノナ−６−エン−１−オール；（１Ｒ，５Ｒ）−２−メチル−５−（プロパ−１−エン−２−イル）シクロヘキサ−２−エン−１−オール；（３Ｚ，６Ｚ）−ノナ−３，６−ジエン−１−オール；シンナミルホルメート；シンナミルアセテート；（Ｅ）−３−フェニルプロパ−２−エン−１−オール；オクタン−１−オール；オクタン酸；３−（４−メトキシフェニル）−２−メチルプロパナール；１，７，７−トリメチルビシクロ［２．２．１］ヘプタン−２，３−ジオン；１−ブトキシ−１−オキソプロパン−２−イルブチレート；１−メチル−４−（プロパ−１−エン−２−イル）シクロヘキサン−１−オール；（２，２−ジメトキシエチル）−ベンゼン；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；２−メチル−４−フェニルブタン−２−オール；２−メチル−１−フェニルプロパン−２−オール；ベンゾフェノン；７−イソペンチル−２Ｈ−ベンゾ［ｂ］［１，４］ジオキセピン−３（４Ｈ）−オン；メチル（Ｅ）−オクタ−４，７−ジエノエート；（１Ｓ，４Ｒ，５Ｒ）−１−イソプロピル−４−メチレンビシクロ［３．１．０］ヘキサン−３−オン；１−フェニルプロパン−２−オール；２，３，４−トリメトキシベンズアルデヒド；２，４，５−トリメトキシベンズアルデヒド；２，４，６−トリメトキシベンズアルデヒド；トランス，トランス−２，４−ノナジエン−１−アール；α，４−ジメチルベンゼンプロパナール；アリル２−（イソペンチルオキシ）アセテート；１−（１−プロポキシエトキシ）プロパン；（（１−（２−メトキシエトキシ）エトキシ）メチル）ベンゼン；７−メトキシ−２Ｈ−クロメン−２−オン；２−メチル−５−（プロパ−１−エン−２−イル）−２−ビニルテトラヒドロフラン；１−フェニルペンタ−４−エン−１−オン；４−（４−メトキシフェニル）ブタン−２−オン；（Ｅ）−３−プロピリデンイソベンゾフラン−１（３Ｈ）−オン；３−メチル−５−フェニルペンタナール；３，４，５−トリメトキシベンズアルデヒド；（２Ｅ，６Ｅ）−ノナ−２，６−ジエナール；（Ｚ）−３−（フランー２−イル）−２−フェニルアクリルアルデヒド；２−フェノキシエタン−１−オール；（２Ｅ，６Ｅ）−ノナ−２，６−ジエナール；（２Ｅ，６Ｅ）−ノナ−２，６−ジエン−１−オール；（１Ｓ，２Ｓ，５Ｓ）−２−メチル−５−（プロパ−１−エン−２−イル）シクロヘキサン−１−オール；２−ヒドロキシ−１，２−ジヒドフェニルエタン−１−オン；（Ｅ）−１，２，４−トリメトキシ−５−（プロパ−１−エン−１−イル）ベンゼン；２−（ｍ−トリル）エタン−１−オール；（３Ｅ，６Ｅ）−ノナ−３，６−ジエン−１−オール；ｐ−トリルイソブチレート；４−（プロパ−１−エン−２−イル）シクロヘキサ−１−エン−１−カルバルデヒド；２−フェニルエタン−１−オール；３−メチル−５−フェニルペンタン−１−オール；２−ベンジル−１，３−ジオキソラン；
６，６−ジメチル−２−メチレンビシクロ［３．１．１］−ヘプタン−３−オール；４−（ベンゾ［ｄ］［１，３］ジオキソール−５−イル）ブタン−２−オン；（４ａＲ，８ａＳ）−７−メチルオクタヒドロ−１，４−メタノナフタレン−６（２Ｈ）−オン；４−イソプロピル−１−メチルシクロヘキサ−３−エン−１−オール；プロパン−１，２−ジオール；２−メチル−５−フェニルペンタン−１−オール；（１Ｓ，３Ｒ，５Ｓ）−１−イソプロピル−４−メチレンビシクロ［３．１．０］ヘキサン−３−オール；５−アリルベンゾ［ｄ］［１，３］ジオキソール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；（１Ｒ，３Ｒ，６Ｒ）−２’，２’，３，７，７，−ペンタメチルスピロ［ビシクロ［４．１．０］ヘプタン−２，５’−［１，３］ジオキサン］；２−メチル−１，５−ジオキサスピロ［５．５］ウンデカン；２−（４−メチルチアゾ−５−イル）エタン−１−オール；２−（２−メルカプトプロパン−２−イル）−５−メチルシクロヘキサン−１−オン；（２Ｚ，４Ｅ）−ノナ−２，４−ジエナール；（２Ｅ，６Ｚ）−ノナ−２，６−ジエナール；（３Ｅ，６Ｚ）−ノナ−３，６−ジエン−１−オール；メチル２−（（１Ｓ，２Ｓ）−３−オキソ−２−ペンチルシクロペンチル）アセテート；７−（１，１−ジメチルエチル）−２Ｈ−１，５−ベンゾジオキセピン−３（４Ｈ）−オン；トリエチル２−ヒドロキシプロパン−１，２，３−トリカルボキシレート；４−ホルミル−２−メトキシフェニルイソブチレート；メチル２，４−ジヒドロキシ−３，６−ジメチルベンゾエート；（Ｚ）−ヘキサ−３−エン−１−イルイソブチレート；（Ｚ）−シクロオクタ−４−エン−１−イルメチルカーボネート；４−（４−ヒドロキシ−３−メトキシフェニル）ブタン−２−オン；（Ｅ）−３−（２−メトキシフェニル）アクリルアルデヒド；３，３−ジメチル−５−（２，２，３−トリメチル−３−シクロペンテン−１−イル）−４−ペンテン−２−オール；（Ｅ）−２，２−ジメチル−３−（３−メチルペンタ−２，４−ジエン−１−イル）オキシラン；（Ｚ）−ヘキサ−３−エン−１−イルシクロプロパンカルボキシレート；１−フェニルエチルプロピオネート；メチル２−フェニルアセテート；２−メチル−６−オキサスピロ［４．５］デカン−７−オン；２−エトキシ−４−（メトキシメチル）フェノール；メチル２−シクロペンチリデンアセテート；６−メトキシ−２，６−ジメチルオクタナール；（Ｚ）−ヘキサ−３−エン−１−イルメチルカーボネート；４−メチルキノリン；２−メチル−５−（１−メチルエテニル）−２−シクロヘキサノン；４−メチルペンタ−１−エン−３−オール；イソプロピル２−メチルブタノエート；４−メチルペンタ−４−エン−２−イルイソブチレート；７−メチルオクタン−１−オール；（Ｚ）−２−メトキシ−４−（プロパ−１−エン−１−イル）フェニルアセテート；（Ｚ）−２−メトキシ−４−（プロパ−１−エン−１−イル）フェノール；１，７，７−トリメチルビシクロ［２．２．１］ヘプタン−２−オール；イソペンチルイソブチレート；３−フェニルプロパン酸；２−フェニルプロパン−１−オール；ヘプタン−１−オール；へプタナール；ベンゾ［ｄ］［１，３］ジオキソール−５−カルバルデヒド；Ｎ，２−ジメチル−Ｎ−フェニルブタンアミド；（Ｚ）−５−メチルヘプタ−２−エン−４−オン；１，３，３−トリメチルビシクロ［２．２．１］ヘプタン−２−オール；１，３，３−トリメチル−２−オキサビシクロ［２，２，２］オクタン；２−アリル−４−ホルミルフェニルアセテート；エチルシンナメート；（２Ｒ，５Ｒ）−２−メチル−５−（プロパ−１−エン−２−イル）シクロヘキサン−１−オン；３，３，５−トリメチルシクロヘキサン−１−オン；２−メトキシ−４−プロピルフェノール；クロメン−２−オン；２−メチル−５−（プロパ−１−エン−２−イル）シクロヘキサン−１−オン；２−ペンチルシクロペンタン−１−オン；２−メトキシ−４−メチルフェノール；（Ｚ）−３−メチル−２−（ペンタ−２−エン−１−イル）シクロペンタ−２−エン−１−オン；
（Ｅ）−２−メトキシ−４−（プロパ−１−エン−１−イル）フェノール；（Ｚ）−ヘキサ−３−エン−１−イルプロピオネート；（Ｚ）−ヘキサ−３−エン−１−オール；（Ｚ）−ヘキサ−２−エン−１−オール；シンナモニトリル；シンナムアルデヒド；シンナモニトリル；２−メチル−５−（プロパ−１−エン−２−イル）シクロヘキサ−２−エン−１−オン；２−（２−エトキシエトキシ）エタン−１−オール；ヘキサン−１−オール；２−（２，２，３−トリメチルシクロペンタ−３−エン−１−イル）アセトニトリル；１，７，７−トリメチルビシクロ［２．２．１］ヘプタン−２−オン；（１Ｓ，２Ｒ，４Ｓ）−１，７，７−トリメチルビシクロ［２．２．１］ヘプタン−２−オール；６，６−ジメチルスピロ［ビシクロ［３．１．１］ヘプタン−２，２’−オキシラン］；４−フェニルブタン−２−オン；ベンジルイソブチレート；ベンジルブチレート；フェニルメタノール；４−メトキシベンジルアセテート；４−メトキシベンジルホルメート；４−シクロヘキシルブタン−２−オール；（Ｅ）−２−メチル−３−フェニルアクリルアルデヒド；４−ヘキシル−２，５−ジメチルフラン−３（２Ｈ）−オン；アリル２−フェノキシアセテート；Ｎ−エチル−Ｎ−（ｍ−トリル）プロピオンアミド；３−ヒドロキシブタン−２−オン；１−（４−メトキシフェニル）エタン−１−オン；６−メチルキノリン；５−メチルヘプタ−３−オン；４−ビニルフェノール；（Ｅ）−３−（４−ヒドロキシ−３−メトキシフェニル）アクリルアルデヒド；４−エチル−２−メトキシフェノール；３−メチル−４−フェニル−１Ｈ−ピラゾール；３−メチルシクロペンタン−１，２−ジオン；３−メトキシ−５−メチルフェノール；３−メトキシ−３−メチルブタン−１−オール；（Ｅ）−ヘキサ−３−エン−１−オール；フェネチルアセテート；フェネチルプロピオネート；２−（ｓｅｃ−ブチル）−３−メトキシピラジン；２−イソプロピル−Ｎ，２，３−トリメチルブタンアミド；２−イソプロピル−４−メチルチアゾール；（Ｅ）−ヘキサ−２−エン−１−オール；２−ブトキシエタン−１−オール；（Ｚ）−ヘプタ−３−エン−１−イルアセテート；（１Ｓ，５Ｓ）−４，６，６−トリメチルビシクロ［３．１．１］ヘプタ−３−エン−２−オン；（Ｓ）−２−メチル−５−（プロパ−１−エン−２−イル）シクロヘキサ−２−エン−１−オン；メチル２−メチルブタノエート；アリル２−（シクロヘキシルオキシ）アセテート；１，５−ジメチルビシクロ［３．２．１］オクタン−８−オンオキシム；１−フェニルビニルアセテート；フェネチルホルメート；２−（４−イソプロピルフェニル）アセトアルデヒド；１，２−ジメチル−３−（プロパ−１−エン−２−イル）シクロヘプタン−１−オール；１−（４−メトキシフェニル）プロパン−２−オン；４−（４−ヒドロキシフェニル）ブタン−２−オン；３，７−ジメチルオクタ−７−エン−１−オール；５−イソプロピル−２−メチルシクロ［３．１．０］ヘキサン−２−オール；１−オキサスピロ（４．５）デカン−２−オン；（Ｚ）−５−メチルヘプタン−３−オンオキシム；１−フェニルエチルアセテート；（Ｅ）−ヘキサ−２−エン−１−オール；（１Ｒ，２Ｓ）−２−（ｔｅｒｔ−ブチル）シクロヘキサン−１−オール；桂皮酸；（２Ｒ，５Ｒ）−２−メチル−５−（プロパ−１−エン−２−イル）シクロヘキサン−１−オン；（Ｚ）−２−メトキシ−４−（プロパ−１−エン−１−イル）フェノール；２−メルカプト−２−メチルペンタン−１−オール；４−ホルミル−２−メトキシフェニルアセテート；（Ｚ）−２−エトキシ−５−（プロパ−１−エン−１−イル）フェノール；３，４−ジメトキシベンズアルデヒド；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；２，４−ジエトキシ−５−メチルピリミジン；２，４−ジメチル−４，４ａ，５，９ｂ−テトラヒドロインデノ［１，２−ｄ］［１，３］ジオキシン；イソボルニルシクロヘキサノール；
より好ましくは、前記１種以上の悪臭低減物質は、以下のものからなる群から選択される：２−（ｐ−トリル）プロパン−２−オール；４−メチル−１−オキサスピロ［５．５］ウンデカン−４−オール；７−メチル−２Ｈ−ベンゾ［ｂ］［１，４］ジオキセピン−３（４Ｈ）−オン；２−メチル−６−メチレンオクタ−７−エン−２−オール；４−メトキシ−６−プロパ−２−エニル−１，３−ベンゾジオキソール；（Ｅ）−２，６−ジメチルオクタ−５，７−ジエン−２−オール；（Ｅ）−２，７−ジメチルオクタ−１，５，７−トリエン−３−オール；１−（３−メチルベンゾフラン−２−イル）エタン−１−オン；１−エチル−３−メトキシトリシクロ［２．２．１．０．２，６］ヘプタン；６，６−ジメチルビシクロ［３．１．１］ヘプタ−２−エン−２−カルバルデヒド；３−メチル−４−フェニルブタン−２−オール；４−フェニルブタン−２−オール；１−ヒドロキシデカン−３−オン；（Ｚ）−１，２−ジメトキシ−４−（プロパ−１−エン−１−イル）ベンゼン；４−アリル−１，２−ジメトキシベンゼン；メチル２−（（１Ｒ，２Ｒ）−３−オキソ−２−（（Ｚ）−ペンタ−２−エン−１−イル）シクロペンチル）アセテート；メチル２−（３−オキソ−２−ペンチルシクロペンチル）アセテート；メチルシンナメート；７−メトキシ−３，７−ジメチルオクタナール；オクタヒドロ−１Ｈ−４，７−メタノインデン−１−カルバルデヒド；２，４−ジメチル−４，４ａ，５，９ｂ−テトラヒドロインデノ［１，２−ｄ］［１，３］ジオキシン；４−（４−ヒドロキシ−４−メチルペンチル）シクロヘキサ−３−エン−１−カルバルデヒド；（Ｚ）−３−ヘキセン−１−イル−２−シクロペンテン−１−オン；２−（５−メチル−５−ビニルテトラヒドロフラン−２−イル）プロパン−２−オール；６−メチル−２−（オキシラン−２−イル）ヘプタ−５−エン−２−オール；（Ｅ）−１−（（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；３，６−ジメチルヘキサヒドロベンゾフラン−２（３Ｈ）−オン；（Ｅ）−６−（ペンタ−３−エン−１−イル）テトラヒドロ−２Ｈ−ピラン−２−オン；２−メチル−４−フェニル−１，３−ジオキソラン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；２，５，６−トリメチルシクロヘキサ−３−エン−１−カルバルデヒド；４，４ａ，５，９ｂ−テトラヒドロインデノ［１，２−ｄ］［１，３］ジオキシン；３，７−ジメチルオクタン−１，７−ジオール；３−フェニルプロパン−１−オール；
（１，１−ジメトキシプロパン−２−イル）ベンゼン；５−エチル−４−ヒドロキシ−２−メチルフラン−３（２Ｈ）−オン；２−ブチル−４，４，６−トリメチル−１，３−ジオキサン；３ａ，４，５，６，７，７ａ−ヘキサヒドロ−１Ｈ−４，７−メタノインデン−６−イルアセテート；５−（ジエトキシメチル）ベンゾ［ｄ］［１，３］ジオキソール；３−（ベンゾ［ｄ］［１，３］ジオキソール−５−イル）−２−メチルプロパナール；５−ペンチルジヒドロフラン−２（３Ｈ）−オン；５−［（Ｚ）−ヘキサ−３−エニル］オキソラン−２−オン；５−ヘキシルジヒドロフラン−２（３Ｈ）−オン；ジエチルシクロヘキサン−１，４−ジカルボキシレート；２−イソブチル−４−メチルテトラヒドロ−２Ｈ−ピラン−４−オール；（Ｚ）−６−エチリデンオクタヒドロ−２Ｈ−５，８−メタノクロメン−２−オン；２−メトキシ−４−（４−メチレンテトラヒドロ−２Ｈ−ピラン−２−イル）フェノール；４−アリル−２−メトキシフェニルアセテート；４−アリル−２−メトキシフェノール；エチル３−メチル−３−フェニルオキシラン−２−カルボキシレート；ノナン−３−オン；エチル３−フェニルオキシラン−２−カルボキシレート；（２−（１−エトキシエトキシ）エチル）ベンゼン；（２Ｒ，３Ｓ，４Ｒ）−２，３，４，５−テトラヒドロペンタナール；２−（２−ヒドロキシプロポキシ）プロパン−１−オール；２，６−ジメチルオクタ−７−エン−４−オン；２−メチル−５−（プロパ−１−エン−２−イル）シクロヘキサン−１−オール；メチル２−ヘキシル−３−オキソシクロペンタン−１−カルボキシレート；６−ペンチルテトラヒドロ−２Ｈ−ピラン−２−オン；デカヒドロナフタレン−２−オール；１，４−ジオキサシクロヘキサデカン−５，１６−ジオン；（４−イソプロピルフェニル）メタノール；１−（ベンゾフラン−２−イル）エタン−１−オン；（１Ｒ，４Ｒ，６Ｓ）−１−メチル−４−（プロパ−１−エン−２−イル）−７−オキサビシクロ［４．１．０］ヘプタン；（Ｚ）−ノナ−６−エン−１−オール；（１Ｒ，５Ｒ）−２−メチル−５−（プロパ−１−エン−２−イル）シクロヘキサ−２−エン−１−オール；（３Ｚ，６Ｚ）−ノナ−３，６−ジエン−１−オール；シンナミルホルメート；シンナミルアセテート；（Ｅ）−３−フェニルプロパ−２−エン−１−オール；オクタン−１−オール；オクタン酸；３−（４−メトキシフェニル）−２−メチルプロパナール；１，７，７−トリメチルビシクロ［２．２．１］ヘプタン−２，３−ジオン；１−ブトキシ−１−オキソプロパン−２−イルブチレート；１−メチル−４−（プロパ−１−エン−２−イル）シクロヘキサン−１−オール；（２，２−ジメトキシエチル）−ベンゼン；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；２−メチル−４−フェニルブタン−２−オール；２−メチル−１−フェニルプロパン−２−オール；ベンゾフェノン；７−イソペンチル−２Ｈ−ベンゾ［ｂ］［１，４］ジオキセピン−３（４Ｈ）−オン；メチル（Ｅ）−オクタ−４，７−ジエノエート；（１Ｓ，４Ｒ，５Ｒ）−１−イソプロピル−４−メチレンビシクロ［３．１．０］ヘキサン−３−オン；１−フェニルプロパン−２−オール；２，３，４−トリメトキシベンズアルデヒド；２，４，５−トリメトキシベンズアルデヒド；２，４，６−トリメトキシベンズアルデヒド；トランス，トランス−２，４−ノナジエン−１−アール；
α，４−ジメチルベンゼンプロパナール；アリル２−（イソペンチルオキシ）アセテート；１−（１−プロポキシエトキシ）プロパン；（（１−（２−メトキシエトキシ）エトキシ）メチル）ベンゼン；７−メトキシ−２Ｈ−クロメン−２−オン；２−メチル−５−（プロパ−１−エン−２−イル）−２−ビニルテトラヒドロフラン；１−フェニルペンタ−４−エン−１−オン；４−（４−メトキシフェニル）ブタン−２−オン；（Ｅ）−３−プロピリデンイソベンゾフラン−１（３Ｈ）−オン；３−メチル−５−フェニルペンタナール；３，４，５−トリメトキシベンズアルデヒド；（２Ｅ，６Ｅ）−ノナ−２，６−ジエナール；（Ｚ）−３−（フランー２−イル）−２−フェニルアクリルアルデヒド；２−フェノキシエタン−１−オール；（２Ｅ，６Ｅ）−ノナ−２，６−ジエナール；（２Ｅ，６Ｅ）−ノナ−２，６−ジエン−１−オール；（１Ｓ，２Ｓ，５Ｓ）−２−メチル−５−（プロパ−１−エン−２−イル）シクロヘキサン−１−オール；２−ヒドロキシ−１，２−ジヒドフェニルエタン−１−オン；（Ｅ）−１，２，４−トリメトキシ−５−（プロパ−１−エン−１−イル）ベンゼン；２−（ｍ−トリル）エタン−１−オール；（３Ｅ，６Ｅ）−ノナ−３，６−ジエン−１−オール；ｐ−トリルイソブチレート；４−（プロパ−１−エン−２−イル）シクロヘキサ−１−エン−１−カルバルデヒド；２−フェニルエタン−１−オール；３−メチル−５−フェニルペンタン−１−オール；２−ベンジル−１，３−ジオキソラン；６，６−ジメチル−２−メチレンビシクロ［３．１．１］−ヘプタン−３−オール；４−（ベンゾ［ｄ］［１，３］ジオキソール−５−イル）ブタン−２−オン；（４ａＲ，８ａＳ）−７−メチルオクタヒドロ−１，４−メタノナフタレン−６（２Ｈ）−オン；４−イソプロピル−１−メチルシクロヘキサ−３−エン−１−オール；プロパン−１，２−ジオール；２−メチル−５−フェニルペンタン−１−オール；（１Ｓ，３Ｒ，５Ｓ）−１−イソプロピル−４−メチレンビシクロ［３．１．０］ヘキサン−３−オール；５−アリルベンゾ［ｄ］［１，３］ジオキソール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；（１Ｒ，３Ｒ，６Ｒ）−２’，２’，３，７，７，−ペンタメチルスピロ［ビシクロ［４．１．０］ヘプタン−２，５’−［１，３］ジオキサン］；２−メチル−１，５−ジオキサスピロ［５．５］ウンデカン；２−（４−メチルチアゾ−５−イル）エタン−１−オール；２−（２−メルカプトプロパン−２−イル）−５−メチルシクロヘキサン−１−オン；（２Ｚ，４Ｅ）−ノナ−２，４−ジエナール；（２Ｅ，６Ｚ）−ノナ−２，６−ジエナール；（３Ｅ，６Ｚ）−ノナ−３，６−ジエン−１−オール；メチル２−（（１Ｓ，２Ｓ）−３−オキソ−２−ペンチルシクロペンチル）アセテート；７−（１，１−ジメチルエチル）−２Ｈ−１，５−ベンゾジオキセピン−３（４Ｈ）−オン；トリエチル２−ヒドロキシプロパン−１，２，３−トリカルボキシレート；４−ホルミル−２−メトキシフェニルイソブチレート；メチル２，４−ジヒドロキシ−３���６−ジメチルベンゾエート；（Ｚ）−ヘキサ−３−エン−１−イルイソブチレート；（Ｚ）−シクロオクタ−４−エン−１−イルメチルカーボネート；４−（４−ヒドロキシ−３−メトキシフェニル）ブタン−２−オン；２，４−ジメチル−４，４ａ，５，９ｂ−テトラヒドロインデノ［１，２−ｄ］［１，３］ジオキシン；イソボルニルシクロヘキサノール；
最も好ましくは、前記１種以上の悪臭低減物質は、以下のものからなる群から選択される：４，９−ジメトキシ−７Ｈ−フロ［３，２−ｇ］クロメン−７−オン；３ａ，４，５，６，７，７ａ−ヘキサヒドロ−１Ｈ−４，７−メタノインデン−６−イルアセテート；（Ｚ）−６−エチリデンオクタヒドロ−２Ｈ−５，８−メタノクロメン−２−オン；（２，２−ジメトキシエチル）−ベンゼン；５−メトキシオクタヒドロ−１Ｈ−４，７−メタノインデン−２−カルバルデヒド及びこれらの混合物、
ものである、請求項１〜４のいずれかに記載の洗浄及び／又は処理組成物。
【請求項８】
前記悪臭低減物質が、ゲラニルニトリル；ヘリオナール；ノナナール；リナロール；（Ｓ）−（＋）−リナロール；（Ｒ）−（−）−リナロール；ネロール；：テトラヒドロリナロール；２−フェニルエチルアセテート；オイゲノール；エチルリナロール；アリルヘプトエート；アグルメン（ａｇｒｕｍｅｎ）ニトリル；シトロニトリル；２，２−ジメチル−３−（ｍ−トリル）プロパン−１−オール；２−メチル−５−フェニルペンタン−１−オール；ドデカンニトリル；２−ヘプチルシクロペンタン−１−オン；メチルノニルアセトアルデヒド；３−（２−エチルフェニル）−２，２−ジメチルプロパナール；（Ｚ）−１−（２，６，６−トリメチルシクロヘキサ−２−エン−１−イル）ブタ−２−エン−１−オン；（Ｒ，Ｅ）−２−メチル−４−（２，２，３−トリメチルシクロペンタ−３−エン−１−イル）ブタ−２−エン−１−オール；４−（ｔｅｒｔ−ブチル）シクロヘキシルアセテート；１−シクロヘキシルエチル（Ｅ）−ブタ−２−エノエート；アリル２−（シクロヘキシルオキシ）アセテート；α−テルピニルアセテート；β−テルピニルアセテート；γ−テルピニルアセテート；メチルドデシルエーテル；２，４−ジメチル−４，４ａ，５，９ｂ−テトラヒドロインデノ［１，２−ｄ］［１，３］ジオキシン；シンナミルイソブチレート；（Ｅ）−２−メチル−４−（２，６，６−トリメチルシクロヘキサ−１−エン−１−イル）ブタ−２−エナール；γ−メチルイオノン；エチル２，３，６−トリメチルシクロヘキシルカーボネートエチル２，３，６−トリメチルシクロヘキシルカーボネート；シトラールジエチルアセタール；ジメトキシシクロドデカン；１−（（２Ｓ，３Ｓ）−２，３，８，８−テトラメチル−１，２，３，４，５，６，７，８−オクタヒドロナフタレン−２−イル）エタン−１−オン；オキサシクロヘキサデカン−２−オン；４，６，６，７，８，８−ヘキサメチル−１，３，４，６，７，８−ヘキサヒドロシクロペンタ［ｇ］イソクロメン；エチレンブラシレート；メチル（Ｚ）−２−（（３−（４−（ｔｅｒｔ−ブチル）フェニル）−２−メチルプロピリデン）アミノ）ベンゾエート；４，７−メタノ−１Ｈ−インデン−５−オール，３ａ，４，５，６，７，７ａ−ヘキサヒドロ−，５−アセテート；セドリルメチルエーテル；ベチバーアセテート；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；ベンゾフェノン；ファルネソール；トランス，トランス−ファルネソール；３−（３−イソプロピルフェニル）ブタナール；２，６，１０−トリメチルウンデカ−９−エナール；３−（４−（ｔｅｒｔ−ブチル）フェニル）プロパナール；３−（４−イソプロピルフェニル）−２−メチルプロパナール；シトロネラール（ｌ）；シトロネラール（ｄ）；（Ｅ）−４，８−ジメチルデカ−４，９−ジエナール；ピノアセトアルデヒド；３−（４−（ｔｅｒｔ−ブチル）フェニル）−２−メチルプロパナール；桂皮アルデヒド；シトラール；ゲラニアール；メトキシメロナール；ｏ−メトキシシンナムアルデヒド；（Ｅ）−４−（（３ａＳ，７ａＳ）−オ���タヒドロ−５Ｈ−４，７−メタノインデン−５−イリデン）ブタナール；メチルオクチルアセトアルデヒド；３−（４−メトキシフェニル）−２−メチルプロパナール；５−メトキシオクタヒドロ−１Ｈ−４，７−メタノインデン−２−カルバルデヒド；イソシクロシトラール；オクタナール；２−ウンデセナール；１０−ウンデセナール；トランス−トランス−２，６−ノナジエナール；トランス−２，シス−６−ノンジエナール；ヘリオトロピン；ヘキシル桂皮アルデヒド；ｐ−メチル−α−ペンチルシンナムアルデヒド；α−メチルシンナムアルデヒド；３，４−ジメトキシベンズアルデヒド；ミルテナール；ペリルアルデヒド；マセアル；メチルパルミテート；メチルイソオイゲノール及びこれらの混合物からなる群から選択される、請求項１〜７のいずれかに記載の洗浄及び／又は処理組成物。
【請求項９】
ビルダー、キレート剤、移染防止剤、分散剤、酵素及び酵素安定剤、触媒物質、漂白活性化剤、過酸化水素、過酸化水素源、形成済みの過酸、高分子分散剤、泥汚れ除去／再付着防止剤、増白剤、泡抑制剤、染料、色相染料、香料、香料送達系、構造伸縮性付与剤、担体、構造化剤、ハイドロトロープ、加工助剤；前記可溶化剤に加えて溶剤；シリコーンポリマー、多糖類、粘土、脂肪酸、分散性オレフィン、ポリマーラテックス及びこれらの混合物からなる群から選択される柔軟仕上げ剤活性物質；顔料、並びにそれらの混合物からなる群から選択される補助成分を含み；好ましくは、有機酸、好ましくはクエン酸及び／又は乳酸、硬化ヒマシ油、エトキシ化ポリエチレンイミン、好ましくはＰＥＩ６００ＥＯ２０及び／又はＰＥＩ６００、酵素、好ましくは冷水アミラーゼ、冷水プロテアーゼ及び／又はキシログルコナーゼからなる群から選択される補助成分を含む、請求項１〜８のいずれかに記載の洗浄及び／又は処理組成物。
【請求項１０】
第四級アンモニウム化合物、シリコーンポリマー、多糖類、粘土、アミン、脂肪酸エステル、分散性ポリオレフィン、ポリマーラテックス及びそれらの混合物からなる群から選択される柔軟仕上げ剤活性物質を含み、好ましくは、
ａ．）前記第四級アンモニウム化合物が、アルキル第四級アンモニウム化合物を含み、好ましくは、アルキル第四級アンモニウム化合物は、モノアルキル第四級アンモニウム化合物、ジアルキル第四級アンモニウム化合物、トリアルキル第四級アンモニウム化合物及びそれらの混合物からなる群から選択され；
ｂ．）前記シリコーンポリマーが、環状シリコーン、ポリジメチルシロキサン、アミノシリコーン、カチオン性シリコーン、シリコーンポリエーテル、シリコーン樹脂、シリコーンウレタン及びそれらの混合物からなる群から選択され；
ｃ．）前記多糖類が、カチオン性デンプンを含み；
ｄ．）前記粘土が、スメクタイト粘土を含み；
ｅ．）前記分散性ポリオレフィンが、ポリエチレン、ポリプロピレン及びそれらの混合物からなる群から選択され；及び
ｆ．）前記脂肪酸エステルが、ポリグリセロールエステル、ショ糖エステル、グリセロールエステル及びそれらの混合物からなる群から選択される、
請求項１〜９のいずれかに記載の洗浄及び／又は処理組成物。
【請求項１１】
モノエステルクォート、ジエステルクォート、トリエステルクォート及びそれらの混合物からなる群から選択される物質を含む柔軟仕上げ剤活性物質を含み、好ましくは、前記モノエステルクォート及びジエステルクォートが、ビス−（２−ヒドロキシプロピル）−ジメチルアンモニウムメチルスルフェート脂肪酸エステル及びビス−（２−ヒドロキシプロピル）−ジメチルアンモニウムメチルスルフェート脂肪酸エステルの異性体、及び／又はそれらの混合物、１，２−ジ（アシルオキシ）−３−トリメチルアンモニウムプロパンクロリド、Ｎ，Ｎ−ビス（ステアロイル−オキシ−エチル）Ｎ，Ｎ−ジメチルアンモニウムクロリド、Ｎ，Ｎ−ビス（タロイル−オキシ−エチル）Ｎ，Ｎ−ジメチルアンモニウムクロリド、Ｎ，Ｎ−ビス（ステアロイル−オキシ−エチル）−Ｎ−（２−ヒドロキシエチル）−Ｎ−メチルアンモニウムメチルスルフェート、Ｎ，Ｎ−ビス−（ステアロイル−２−ヒドロキシプロピル）−Ｎ，Ｎ−ジメチルアンモニウムメチルスルフェート、Ｎ，Ｎ−ビス−（タロイル−２−ヒドロキシプロピル）−Ｎ，Ｎ−ジメチルアンモニウムメチルスルフェート、Ｎ，Ｎ−ビス−（パルミトイル−２−ヒドロキシプロピル）−Ｎ，Ｎ−ジメチルアンモニウムメチルスルフェート、Ｎ，Ｎ−ビス−（ステアロイル−２−ヒドロキシプロピル）−Ｎ，Ｎ−ジメチルアンモニウムクロリド、１，２−ジ−（ステアロイル−オキシ）−３−トリメチルアンモニウムプロパンクロリド、ジカノーラメチルアンモニウムクロリド、ジ（硬質）タロイルジメチルアンモニウムクロリド、ジカノーラジメチルアンモニウムメチルスルフェート、１−メチル−１−ステアロイルアミドエチル−２−ステアロイルイミダゾリウムメチルスルフェート、１−タロイルアミドエチル−２−タロイルイミダゾリン、ジパルミトイルメチルヒドロキシエチルアンモニウムメチルスルフェート及びそれらの混合物からなる群から選択される、請求項１〜１０のいずれかに記載の洗浄及び／又は処理組成物。
【請求項１２】
第四級アンモニウム化合物及びシリコーンポリマーを含み、好ましくは、０．００１％〜１０％、０．１％〜８％、より好ましくは０．５％〜５％の前記シリコーンポリマーを含む、請求項１〜１１のいずれかに記載の洗浄及び／又は処理組成物。
【請求項１３】
前記柔軟仕上げ活性物質が、０〜１４０の間、好ましくは５〜１００、より好ましくは１０〜８０、更にいっそう好ましくは１５〜７０、最も好ましくは１８〜２５のヨウ素価を有するか、又は前記柔軟仕上げ活性物質が、部分硬化脂肪酸第四級アンモニウム化合物を含み、前記柔軟仕上げ活性物質が、最も好ましくは２５〜６０のヨウ素価を有する、請求項１〜１２のいずれかに記載の洗浄及び／又は処理組成物。
【請求項１４】
可溶性単位用量製品を含み、前記可溶性単位用量製品が、１つ以上のチャンバに収容された１種以上の洗浄及び／又は処理組成物を含み、前記チャンバが、１種以上のフィルムから形成され、好ましくは、前記１種以上のフィルムが、ＰＶＡフィルムを含む、請求項１〜１３のいずれかに記載の洗浄及び／又は処理組成物。
【請求項１５】
悪臭を抑制する方法であって、悪臭を有する場所及び／又は悪臭を放つことになる場所を、請求項１〜１４に記載の洗浄及び／又は処理組成物並びにそれらの混合物からなる群から選択される洗浄及び／又は処理組成物と接触させる工程を含み、好ましくは、前記場所が布地を含み、前記接触させる工程が、悪臭低減物質少なくとも０．００２５ｍｇ／布地１ｋｇ、好ましくは、悪臭低減物質０．００２５ｍｇ／布地１ｋｇ〜悪臭低減物質５０ｍｇ／布地１ｋｇ、より好ましくは悪臭低減物質０．２５ｍｇ／布地１ｋｇ〜悪臭低減物質２５ｍｇ／布地１ｋｇ、最も好ましくは悪臭低減物質０．５／布地１ｋｇ〜悪臭低減物質１０ｍｇ／布地１ｋｇのレベルの前記悪臭低減物質全体を前記布地に供給するのに十分な量の本出願人の洗浄及び／又は処理組成物と前記布地を接触させることを含む、方法。
【発明の詳細な説明】
【技術分野】
【０００１】
本発明は悪臭低減組成物を含む洗浄及び／又は処理組成物に、並びにそのような洗浄及び／又は処理組成物並びに悪臭低減組成物の製造及び使用方法に関する。
【背景技術】
【０００２】
無香料又は付香製品は、付香製品より自然で目立たないと考えられるようで、消費者に望まれる。悪臭を抑制するための無香料又は付香製品のメーカーは、悪臭を低減するうえで悪臭低減物質又はその他の技術（例えばフィルター）に頼っている。しかし、悪臭、例えば、アミン系悪臭（例えば魚類及び尿）、チオール及びスルフィド系悪臭（例えばニンニク及び玉ねぎ）、Ｃ２〜Ｃ１２カルボン酸系悪臭（例えば体臭及びペット臭）、インドール系悪臭（例えば糞便及び口臭）、短鎖脂肪アルデヒド系悪臭（例えばグリース）及びゲオスミン系悪臭（例えばカビ（mold/mildew））を有効に抑制することは難しいことがあり、製品が悪臭を顕著に低減させるために要する時間が、消費者に、悪臭に対する製品の効能について疑いを抱かせることもある。多くの場合、メーカーは、これら難しい悪臭の隠蔽を助けるために付香香料を取り入れている。
【０００３】
残念ながら、悪臭抑制技術は、通常は悪臭をより強い香りでごまかすので、その悪臭抑制技術で処理される賦香された又は賦香されていない場所の香りに干渉する。したがって、現行の悪臭抑制技術の限られた性質は、極めて強制的である。したがって、必要とされているのは、悪臭抑制技術のより広いパレット、つまり香料コミュニティーが、より多数の状況／用途で望ましいレベルの特質を届けることができることである。驚くべきことに、本出願人は、感覚細胞に対する悪臭のアクセスを遮断することに加えて、所望の目標を達成するために、悪臭抑制技術は、そのような感覚細胞を他の分子、例えば香り分子に対して開いたままにしておかなければならないことに気づいた。結果として、そのような悪臭低減組成物は、そのような組成物を含む、賦香された又は賦香されていない洗浄及び／又は処理組成物の香り、並びにそのような洗浄及び／又は処理組成物で処理される、賦香された又は賦香されていない場所の香りに過度に干渉しない。
【発明の概要】
【課題を解決するための手段】
【０００４】
本発明は悪臭低減組成物を含む洗浄及び／又は処理組成物に、並びにそのような洗浄及び／又は処理製品並びに悪臭低減組成物の製造及び使用方法に関する。結果として、そのような悪臭低減組成物は、そのような組成物を含む、賦香された又は賦香されていない洗浄及び／又は処理組成物の香り、並びにそのような洗浄及び／又は処理組成物で処理される、賦香された又は賦香されていない場所の香りに過度に干渉しない。
【発明を実施するための形態】
【０００５】
本明細書で使用する場合、「ＭＯＲＶ」は、対象物質についての悪臭低減計算値である。物質のＭＯＲＶは、１種以上の悪臭の知覚を減少させる又は更には消すそのような物質の能力を示す。本出願では、物質のＭＯＲＶは、本出願の試験方法の部で見つけられる方法に従って計算される。
【０００６】
本明細書で使用する場合、用語「香料」は、悪臭低減物質を含まない。したがって、組成物の香料部分は、香料組成物の組成を決定するとき、該組成物中で見いだされる一切の悪臭低減物質を、そのような悪臭低減物質を本明細書に記載する場合、含まない。要するに、物質が、対象請求項に記述されているＭＯＲＶの範囲内である悪臭低減値「ＭＯＲＶ」を有する場合、そのような物質は、そのような請求項では悪臭低減物質である。
【０００７】
本明細書で使用する場合、「洗浄及び／又は処理組成物」は、消費者用、農業用、工業用又は業務用すべての、単位用量送達製品に含有されていることもあり又は含有されていないこともある、液体洗濯洗剤、布地強化剤、洗濯及び／又はすすぎ用添加剤、液体食器洗い用洗剤、液体硬質面洗浄及び／又は処理組成物、液体便器用洗剤を含む製品を意味する。
【０００８】
本明細書で使用する場合、「悪臭」とは、排便に伴う複合臭のような殆どの人々にとって一般的に不快又は不愉快である化合物を意味する。
【０００９】
本明細書で使用する場合、「臭気遮断」は、人間の嗅覚を鈍くする化合物の能力を指す。
【００１０】
本明細書で使用する場合、用語「ａ」及び「ａｎ」は、「少なくとも１つ」を意味する。
【００１１】
本明細書で使用する場合、用語「含む（include）」、「含む（includes）」、及び「含んでいる（including）」は、非限定的であることを意味する。
【００１２】
別途指定されない限り、成分又は組成物の濃度は全て、当該成分又は組成物の活性部分に関するものであり、このような成分又は組成物の市販の供給源に存在し得る不純物、例えば、残留溶剤又は副生成物は除外される。
【００１３】
全ての百分率及び比率は、別途指定されない限り、重量で計算される。全ての百分率及び比率は、別途指定されない限り、全組成物を基準にして計算される。
【００１４】
本明細書の全体を通じて与えられる全ての最大数値限定は、それよりも小さい数値限定を、そのようなより小さい数値限定があたかも本明細書に明確に記載されているかのように包含するものと理解すべきである。本明細書の全体を通じて与えられる全ての最小数値限定は、より大きい全ての数値限定を、そのようなより大きい数値限定があたかも本明細書に明確に記載されているかのように包含する。本明細書全体を通して与えられる全ての数値範囲は、そのようなより広い数値範囲内に入るより狭い全ての数値範囲を、そのような狭い数値範囲があたかも全て本明細書に明確に記載されているかのように包含する。
【００１５】
悪臭低減物質
好適な悪臭低減物質の非限定的なセットを下の表に提供する。使いやすさのため、各表の縦列にあり、指定番号である、数字の識別子を表１〜３の各物質に割り当てる。表４は、表１のサブセットであり、表５は、表２のサブセットであり、表６は表３のサブセットであり、表４、５及び６各々に、表１〜３にそれぞれあるのと同じ数字の識別子を使用する。
【００１６】
【表１】
2017535628.tif 000002
【００１７】
【表２−１】
2017535628.tif 000003
【００１８】
【表２−２】
2017535628.tif 000004
【００１９】
【表２−３】
2017535628.tif 000005
【００２０】
【表２−４】
2017535628.tif 000006
【００２１】
【表２−５】
2017535628.tif 000007
【００２２】
【表２−６】
2017535628.tif 000008
【００２３】
【表２−７】
2017535628.tif 000009
【００２４】
【表２−８】
2017535628.tif 000010
【００２５】
【表２−９】
2017535628.tif 000011
【００２６】
【表２−１０】
2017535628.tif 000012
【００２７】
【表２−１１】
2017535628.tif 000013
【００２８】
【表２−１２】
2017535628.tif 000014
【００２９】
【表２−１３】
2017535628.tif 000015
【００３０】
【表２−１４】
2017535628.tif 000016
【００３１】
【表２−１５】
2017535628.tif 000017
【００３２】
【表３】
2017535628.tif 000018
【００３３】
【表４−１】
2017535628.tif 000019
【００３４】
【表４−２】
2017535628.tif 000020
【００３５】
【表４−３】
2017535628.tif 000021
【００３６】
【表４−４】
2017535628.tif 000022
【００３７】
【表４−５】
2017535628.tif 000023
【００３８】
【表５−１】
2017535628.tif 000024
【００３９】
【表５−２】
2017535628.tif 000025
【００４０】
【表６】
2017535628.tif 000026
【００４１】
【表７】
2017535628.tif 000027
【００４２】
表１〜６の物質は、次の１社以上によって供給され得る：
Ｆｉｒｍｅｎｉｃｈ  Ｉｎｃ．（プレインズボロ、ニュージャージー州、米国）；Ｉｎｔｅｒｎａｔｉｏｎａｌ  Ｆｌａｖｏｒ  ａｎｄ  Ｆｒａｇｒａｎｃｅ  Ｉｎｃ．（ニューヨーク、ニューヨーク州、米国）；Ｔａｋａｓａｇｏ  Ｃｏｒｐ．（テータボロ、ニュージャージー州、米国）；Ｓｙｍｒｉｓｅ  Ｉｎｃ．（テータボロ、ニュージャージー州、米国）；Ｓｉｇｍａ−Ａｌｄｒｉｃｈ／ＳＡＦＣ  Ｉｎｃ．（カールスバッド、カリフォルニア州、米国）；及びＢｅｄｏｕｋｉａｎ  Ｒｅｓｅａｒｃｈ  Ｉｎｃ．（ダンブリー、コネチカット州、米国）。
【００４３】
表１〜６に収載下各物質の実際のＭＯＲＶ値は次の通りである：
【００４４】
【表８−１】
2017535628.tif 000028
【００４５】
【表８−２】
2017535628.tif 000029
【００４６】
【表８−３】
2017535628.tif 000030
【００４７】
【表８−４】
2017535628.tif 000031
【００４８】
【表８−５】
2017535628.tif 000032
【００４９】
【表８−６】
2017535628.tif 000033
【００５０】
【表８−７】
2017535628.tif 000034
【００５１】
【表８−８】
2017535628.tif 000035
【００５２】
【表８−９】
2017535628.tif 000036
【００５３】
【表８−１０】
2017535628.tif 000037
【００５４】
【表８−１１】
2017535628.tif 000038
【００５５】
【表８−１２】
2017535628.tif 000039
【００５６】
【表８−１３】
2017535628.tif 000040
【００５７】
【表８−１４】
2017535628.tif 000041
【００５８】
【表８−１５】
2017535628.tif 000042
【００５９】
【表８−１６】
2017535628.tif 000043
【００６０】
【表８−１７】
2017535628.tif 000044
【００６１】
【表８−１８】
2017535628.tif 000045
【００６２】
洗浄及び／又は処理組成物及び方法
約１０ｍＰａ・ｓ〜約５０，０００ｍＰａ・ｓ、好ましくは約５０ｍＰａ・ｓ〜約２０００ｍＰａ・ｓ、最も好ましくは約７５ｍＰａ・ｓ〜約４００ｍＰａ・ｓの粘度、約３〜約１０、好ましくは約４〜約８、最も好ましくは約５〜約８のｐＨを有する洗浄及び／又は処理組成物であって、洗浄及び／又は処理組成物の全重量に基づき、以下のものを含む前記組成物：
ａ）総量が、約０．０００２５％〜約０．５％、好ましくは約０．００２５％〜約０．１％、より好ましくは約０．００５％〜約０．０７５％、最も好ましくは約０．０１％〜約０．０５％の１種以上の悪臭低減物質、好ましくは１〜約２０種の悪臭低減物質、より好ましくは１〜約１５種の悪臭低減物質、最も好ましくは１〜約１０種の悪臭低減物質（前記悪臭低減物質の各々は、少なくとも０．５、好ましくは０．５〜１０、より好ましくは１〜１０、最も好ましくは１〜５のＭＯＲＶを有し、好ましくは、前記悪臭低減物質の各々は、普遍的（Universal）ＭＯＲＶを有し、悪臭低減物質の前記総量が、３未満、より好ましい約２．５未満、よりいっそう好ましくは約２未満、よりいっそう好ましくは約１未満、最も好ましくは約０のブロッカー指数、及び／又は３〜約０．００１のブロッカー指数平均値を有する）；及び
ｂ）約０．２５％〜約５０％、好ましくは約０．５％〜約２５％、より好ましくは約０．７５％〜約１５％、最も好ましくは約１％〜約１０％の可溶化剤（好ましくは、前記可溶化剤は、溶剤、乳化剤、界面活性剤、柔軟仕上げ剤活性物質及びそれらの混合物からなる群から選択され、好ましくは、前記溶剤は、０．２５％〜５０％、好ましくは１％〜２０％、最も好ましくは２％〜１０％の範囲で存在し、好ましくは、前記乳化剤は、０．１％〜１０％の範囲、より好ましくは０．５〜５％の範囲で存在し、好ましくは、前記界面活性剤は、０．１〜３５％の範囲、好ましくは１％〜２５％の範囲、最も好ましくは１．５％〜２０％の範囲で存在し、好ましくは、前記柔軟仕上げ剤活性物質は、１％〜３５％の範囲、より好ましくは２％〜２０％の範囲、最も好ましくは３％〜１０％の範囲で存在する）
を開示する。洗浄及び／又は処理組成物の粘度範囲を狭めると、ポリマー及びワックスなどの特定のものを懸濁させることがより容易になる。洗浄及び／又は処理組成物のｐＨ範囲を狭めると、洗浄及び／又は処理組成物における悪臭低減物質安定性が増す。上記の他の範囲を狭めると、悪臭低減物質（単数又は複数）は、悪臭を弱め続けるがもたらす芳香効果が次第に小さくなる。
【００６３】
本出願人の洗浄及び／又は処理組成物の一態様において、
ａ）前記界面活性剤は、非イオン性界面活性剤、アニオン性界面活性剤、カチオン性界面活性剤、両性界面活性剤、双性イオン性界面活性剤、半極性非イオン性界面活性剤及びそれらの混合物からなる群から選択され／から選択され、非イオン性界面活性剤は、他の荷電界面活性剤／物質との有害な相互作用なく優れた洗浄及び悪臭低減物質送達をもたらすので好ましい；
ｂ）前記溶剤は、硬化ヒマシ油、グリコール、アルコール、及びそれらの混合物からなる群から選択され；
ｃ）前記柔軟仕上げ剤活性物質は、第四級アンモニウム化合物、アミン及びそれらの混合物からなる群から選択され、好ましくは、前記第四級アンモニウム化合物は、ビス−（２−ヒドロキシプロピル）−ジメチルアンモニウムメチルスルフェート脂肪酸エステル、１，２−ジ（アシルオキシ）−３−トリメチルアンモニウムプロパンクロリド、Ｎ，Ｎ−ビス（ステアロイル−オキシ−エチル）Ｎ，Ｎ−ジメチルアンモニウムクロリド、Ｎ，Ｎ−ビス（タロイル−オキシ−エチル）Ｎ，Ｎ−ジメチルアンモニウムクロリド、Ｎ，Ｎ−ビス（ステアロイル−オキシ−エチル）Ｎ−（２−ヒドロキシエチル）Ｎ−メチルアンモニウムメチルスルフェート、１，２−ジ（ステアロイル−オキシ）−３−トリメチルアンモニウムプロパンクロリド、ジカノーラジメチルアンモニウムクロリド、ジ（硬質）獣脂ジメチルアンモニウムクロリド、ジカノーラジメチルアンモニウムメチルスルフェート、１−メチル−１−ステアロイル−２−ステアロイルイミダゾリウムメチルスルフェート、１−タロイルアミドエチル−２−タロイルイミダゾリン、ジパルメチルヒドロキシエチルアンモニウムメトスルフェート及びそれらの混合物からなる群から選択される。
【００６４】
本出願人の洗浄及び／又は処理組成物の一態様において、前記悪臭低減物質は、３未満、好ましくは２未満、より好ましくは１未満、最も好ましくは０の芳香忠実度指数（Fragrance Fidelity Index）、及び芳香忠実度指数３〜約０．００１の芳香忠実度指数平均値を有する。芳香忠実度指数が増加するにつれて、悪臭低減物質（単数又は複数）は、悪臭を弱め続けるがもたらす芳香効果が次第に小さくなる。
【００６５】
本出願人の洗浄及び／又は処理組成物の一態様において、前記洗浄及び／又は処理組成物は香料を含み、次の悪臭低減組成物の部の香料の部に対する重量比を有する：１：２０，０００〜約３０００：１、好ましくは約１：１０，０００〜約１，０００：１、より好ましくは５，０００：１〜約５００：１、最も好ましくは約１：１５〜約１：１。悪臭低減組成物の香水の部に対する比を狭めると、悪臭低減物質は、悪臭（単数又は複数）を弱め続けるがもたらす芳香効果が次第に小さくなる。
【００６６】
前記洗浄及び／又は処理組成物の一態様において、前記洗浄及び／又は処理組成物は、３より大きい、好ましくは３より大きいが８未満のｌｏｇ  Ｐを有する１種以上の悪臭低減物質を含み、前記１種以上の悪臭低減物質は、以下のものからなる群から選択される：表１物質１；２；３；７；９；１０；１１；１３；１４；１８；２１；２２；２３；２５；２８；２９；３０；３１；３２；３３；３５；３６；３８；３９；４７；４８；４９；５０；５２；５７；６２；６３；６４；６７；６８；６９；７１；７４；７５；７６；７７；７８；７９；８０；８３；８５；９１；９２；９３；１００；１０１；１０２；１０３；１０４；１０５；１０９；１１４；１１９；１２０；１２２；１２３；１２８；１３４；１３５；１３７；１４０；１４２；１４５；１４８；１４９；１５２；１５３；１５８；１５９；１６１；１６２；１７４；１７５；１７６；１７７；１７８；１８２；１８３；１８４；１８５；１８６；１８９；１９２；１９５；１９６；１９７；２０６；２０８；２０９；２１０；２１１；２１２；２１５；２２１；２２７；２２８；２２９；２３０；２３１；２３３；２３４；２３８；２４２；２４３；２４４；２４６；２５２；２５３；２６０；２６１；２６３；２６７；２６９；２７１；２７４；２７６；２７７；２８０；２８５；２８９；２９０；２９２；２９３；２９４；２９５；２９６；３００；３０１；３０３；３０７；３１６；３１７；３１８；３２２；３２４；３２５；３２８；３２９；３３０；３３１；３３３；３３４；３３５；３３６；３３８；３３９；３４２；３４３；３４４；３４９；３５２；３５６；３５８；３５９；３６０；３６１；３６２；３６３；３６４；３６８；３６９；３７０；３７１；３７２；３７８；３８１；３８５；３８６；３８８；３９０；３９１；３９７；３９８；４１３；４１４；４１６；４１８；４２１；４２４；４２６；４２８；４２９；４３２；４４１；４４４；４４９；４５３；４５７；４５９；４６１；４６２；４６３；４６５；４６６；４６７；４６８；４７０；４７１；４７３；４７５；４７８；４７９；４８０；４８２；４８４；４８６；４８７；４８８；４９７；４９８；５０１；５０２；５０３；５０５；５１９；５２０；５２１；５２４；５２９；５３２；５３４；５３７；５４１；５４４；５４８；５５０；５５２；５５８；５５９；５６０；５６１；５６２；５６３；５６５；５６６；５６７；５６８；５６９；５７０；５７１；５７２；５７３；５７４；５７７；５７８；５８２；５８４；５８９；５９１；５９２；５９４；５９９；６００；６０１；６０３；６０４；６０６；６０７；６０８；６０９；６１０；６１１；６１３；６１４；６１５；６１６；６１８；６２０；６２１；６２４；６２５；６２６；６２８；６３１；６３２；６３３；６３５；６４４；６５０；６５３；６５９；６６０；６６１；６６３；６７１；６７３；６７４；６７５；６７６；６７７；６７８；６７９；６８０；６８１；６８４；６８６；６９１；６９２；６９３；６９４；６９６；６９７；６９８；７００；７０２；７０４；７０６；７０７；７０８；７０９；７１０；７１１；７１２；７１３；７１４；７１５；７１６；７１７；７１８；���１９；７２０；７２１；７２２；７２３；７２４；７２５；７２６；７２７；７３１；７４１；７４６；７５０；７５２；７５４；７５７；７５８；７６３；７６６；７６９；７７０；７７１；７７４；７７５；７７６；７７８；７８１；７８２；７８８；７９１；８００；８０２；８０４；８０６；８１４；８２１；８２６；８２７；８２８；８３１；８３７；８３９；８４０；８４９；８５０；８５２；８５６；８６６；８６８；８６９；８７０；８７１；８７２；８７３；８７６；８７７；８７８；８７９；８８１；８８４；８８５；８８６；８９０；８９２；８９３；８９４；９０５；９０８；９１２；９１３；９１４；９１６；９１９；９２０；９２２；９２５；９２６；９２７；９３０；９３３；９３９；９４１；９４２；９４３；９４５；９４７；９４８；９５０；９５１；９５３；９５４；９５９；９６５；９６７；９７３；９７８；９８５；９８８；９９８；１０００；１００３；１００６；１００７；１００８；１００９；１０１０；１０１６；１０２２；１０２３；１０２４；１０２５；１０２８；１０２９；１０３１；１０３２；１０３３；１０３５；１０３８；１０４５；１０４６；１０４７；１０５３；１０５７；１０６０；１０６２；１０６３；１０６５；１０６７；１０７０；１０７３；１０７５；１０７７；１０７８；１０８２；１０８９；１０９０；１０９３；１０９５；１０９７；１０９９；１１０２；１１０４；１１０５；１１０７；１１１６；１１２０；１１２１；１１２６；１１２９；１１３１；１１３５；１１３６；１１３７；１１３８；１１４０；１１４２；１１４３；１１４４；１１４５；１１４７；１１４８；１１４９；表２の物質２；２３；１８５；２２７；２３０；２４６；２４８；３４３；３５９；５６５；６３１；６５９；６７４；６７８；６７９；７１５；７５８；１０２８；１０９７；表３の物質１；９；１２；１３；１９；２０；２１；２４；２５；２７；３２；３８；５４；５５；５９；６４；６８；７１；７２；７９；８１；８３；８５；１００；１０５；１０９；１１１；１１４；１１９；１３３；１３４；１３５；１３７；１４０；１４２；１４７；１４８；１５０；１５１；１５２；１５３；１５４；１５７；１５９；１６２；１７８；１８１；１８９；１９１；１９２；１９５；１９７；２０４；２１１；２２８；２３１；２３３；２３４；２３７；２３８；２４２；２４６；２５２；２６４；２７０；２７３；２７５；２７７；２８３；２８５；２８９；２９０；２９２；２９３；２９５；３００；３０１；３０２；３０６；３０８；３１０；３１２；３１９；３２２；３２５；３３１；３３３；３３４；３３６；３３８；３３９；３４４；３４６；３５４；３５５；３５６；３５８；３６１；３６２；３６３；３７０；３７１；３７２；３７８；３８１；３８５；３８７；３８８；３９０；４１２；４１３；４１８；４２０；４２８；４２９；４３２；４３７；４３８；４４４；４４７；４４８；４５４；４５５；４５７；４６１；４６５；４６７；４７２；４７７；４７８；４７９；４８０；４８１；４８２；４９５；４９６；４９７；５０２；５０３；５０４；５０９；５１０；５１２；５１５；５１７；５１８；５２２；５２５；５２���；５３５；５３６；５３７；５４０；５４１；５４４；５５０；５５７；５５８；５５９；５６０；５６１；５６８；５７１；５７２；５７５；５８９；５９２；５９４；５９９；６００；６０２；６０４；６０９；６１９；６２０；６２５；６２６；６３３；６４１；６４４；６４５；６５０；６５３；６６２；６６７；６７２；６７３；６７５；６７６；６８１；６８６；６８７；６９３；６９７；６９８；７００；７０３；７０４；７０６；７０７；７１６；７１７；７１８；７２２；７２５；７４４；７４５；７４６；７５７；７６９；７７１；７７９；７８２；７９９；８０６；８１９；８２０；８２７；８２８；８３６；８３８；８３９；８４７；８５０；８７５；８７８；８７９；８８０；８８１；８８８；８８９；８９０；８９１；８９３；８９９；９００；９０１；９０３；９０９；９１２；９１４；９２０；９２２；９３０；９３９；９４０；９４１；９４５；９４７；９４８；９５３；９５４；９５８；９５９；９６０；９６５；９６７；９７１；９８６；９８７；９９４；９９５；９９８；１０００；１００１；１００３；１００５；１００８；１００９；１０１０；１０１１；１０１７；１０１８；１０２３；１０３１；１０３２；１０４６；１０４７；１０５１；１０５２；１０５３；１０５４；１０５５；１０５７；１０５８；１０６１；１０６２；１０６３；１０７４；１０７５；１０７６；１０８２；１０８８；１０９３；１０９５；１０９９；１１０２；１１０４；１１０５；１１１５；１１１６；１１２０；１１２７；１１２８；１１３４；１１３５；１１４１；１１４７；１１４８、１１４９、及びそれらの混合物；好ましくは、前記悪臭低減物質は、以下のものからなる群から選択される：表１物質１；２；３；７；９；１０；１１；１３；１４；１８；２１；２２；２３；２５；２８；２９；３０；３１；３２；３３；３５；３６；３８；３９；４７；４８；４９；５０；５２；５７；６２；６３；６４；６７；６８；６９；７１；７４；７５；７６；７７；７８；７９；８０；８３；８５；９１；９２；９３；１００；１０１；１０２；１０３；１０４；１０５；１０９；１１４；１１９；１２０；１２２；１２３；１２８；１３４；１３５；１３７；１４０；１４２；１４５；１４８；１４９；１５２；１５３；１５８；１５９；１６１；１６２；１７４；１７５；１７６；１７７；１７８；１８２；１８３；１８４；１８５；１８６；１８９；１９２；１９５；１９６；１９７；２０６；２０８；２０９；２１０；２１１；２１２；２１５；２２１；２２７；２２８；２２９；２３０；２３１；２３３；２３４；２３８；２４２；２４３；２４４；２４６；２５２；２５３；２６０；２６１；２６３；２６７；２６９；２７１；２７４；２７６；２７７；２８０；２８５；２８９；２９０；２９２；２９３；２９４；２９５；２９６；３００；３０１；３０３；３０７；３１６；３１７；３１８；３２２；３２４；３２５；３２８；３２９；３３０；３３１；３３３；３３４；３３５；３３６；３３８；３３９；３４２；３４３；３４４；３４９；３５２；３５６；３５８；３５９；３６０；３６１；３６２；３６３；３６４；３６８；３６９；３７０；３７１；３７２；３７���；３８１；３８５；３８６；３８８；３９０；３９１；３９７；３９８；４１３；４１４；４１６；４１８；４２１；４２４；４２６；４２８；４２９；４３２；４４１；４４４；４４９；４５３；４５７；４５９；４６１；４６２；４６３；４６５；４６６；４６７；４６８；４７０；４７１；４７３；４７５；４７８；４７９；４８０；４８２；４８４；４８６；４８７；４８８；４９７；４９８；５０１；５０２；５０３；５０５；５１９；５２０；５２１；５２４；５２９；５３２；５３４；５３７；５４１；５４４；５４８；５５０；５５２；５５８；５５９；５６０；５６１；５６２；５６３；５６５；５６６；５６７；５６８；５６９；５７０；５７１；５７２；５７３；５７４；５７７；５７８；５８２；５８４；５８９；５９１；５９２；５９４；５９９；６００；６０１；６０３；６０４；６０６；６０７；６０８；６０９；６１０；６１１；６１３；６１４；６１５；６１６；６１８；６２０；６２１；６２４；６２５；６２６；６２８；６３１；６３２；６３３；６３５；６４４；６５０；６５３；６５９；６６０；６６１；６６３；６７１；６７３；６７４；６７５；６７６；６７７；６７８；６７９；６８０；６８１；６８４；６８６；６９１；６９２；６９３；６９４；６９６；６９７；６９８；７００；７０２；７０４；７０６；７０７；７０８；７０９；７１０；７１１；７１２；７１３；７１４；７１５；７１６；７１７；７１８；７１９；７２０；７２１；７２２；７２３；７２４；７２５；７２６；７２７；７３１；７４１；７４６；７５０；７５２；７５４；７５７；７５８；７６３；７６６；７６９；７７０；７７１；７７４；７７５；７７６；７７８；７８１；７８２；７８８；７９１；８００；８０２；８０４；８０６；８１４；８２１；８２６；８２７；８２８；８３１；８３７；８３９；８４０；８４９；８５０；８５２；８５６；８６６；８６８；８６９；８７０；８７１；８７２；８７３；８７６；８７７；８７８；８７９；８８１；８８４；８８５；８８６；８９０；８９２；８９３；８９４；９０５；９０８；９１２；９１３；９１４；９１６；９１９；９２０；９２２；９２５；９２６；９２７；９３０；９３３；９３９；９４１；９４２；９４３；９４５；９４７；９４８；９５０；９５１；９５３；９５４；９５９；９６５；９６７；９７３；９７８；９８５；９８８；９９８；１０００；１００３；１
００６；１００７；１００８；１００９；１０１０；１０１６；１０２２；１０２３；１０２４；１０２５；１０２８；１０２９；１０３１；１０３２；１０３３；１０３５；１０３８；１０４５；１０４６；１０４７；１０５３；１０５７；１０６０；１０６２；１０６３；１０６５；１０６７；１０７０；１０７３；１０７５；１０７７；１０７８；１０８２；１０８９；１０９０；１０９３；１０９５；１０９７；１０９９；１１０２；１１０４；１１０５；１１０７；１１１６；１１２０；１１２１；１１２６；１１２９；１１３１；１１３５；１１３６；１１３７；１１３８；１１４０；１１４２；１１４３；１１４４；１１４５；１１４７；１１４８；１１４９；表２の物質２；２３；１８５；２２７；２３０；２４６；２４８；３４３；３５９；５６５；６３１；６５９；６７４；６７８；６７９；７１５；７５８；１０２８；１０９７及びそれらの混合物；より好ましくは、前記悪臭低減物質は、以下のものからなる群から選択される：表４物質７；１４；３９；４８；１８３；２０６；２１２；２１５；２２９；２６０；２６１；３２９；３３５；３６０；４４１；４８４；４８７；４８８；５０１；５６６；５６７；５６９；５７０；５７３；５７４；６０３；６１６；６２１；６２４；６３２；６６３；６８０；６８４；６９４；６９６；７０８；７１２；７１４；７２６；７５０；７７５；７７６；７８８；８０４；８７２；９１９；９２７；９３３；９７８；１００７；１０２２；１０２４；１０２９；１０３５；１０３８；１０６０；１０８９；１１０７；１１２９；１１３１；１１３６；１１３７；１１４０；１１４２；１１４３；１１４４；１１４５；１１４８、１１４９、表５物質２４８及びそれらの混合物；最も好ましくは前記物質は、以下のものからなる群から選択される：表４物質２６１；６８０；７８８；１１２９、１１４８及びそれらの混合物；上述の物質のすべてが３以上であるｌｏｇ  Ｐ値を有し、それ故、洗濯してもとりわけよく付着している。上述の物質のより好ましい及び最も好ましいものは、肝要な悪臭を弱めるのに効果的であるので特に好ましい。
【００６７】
前記洗浄及び／又は処理組成物の一態様において、前記洗浄及び／又は処理組成物は、０．００１ｋＰａ（０．０１トル）より大きい、好ましくは０．００１ｋＰａ〜０．０１ｋＰａ（０．０１トル〜１０トル）の蒸気圧を有する１種以上の悪臭低減物質を含み、好ましくは、前記１種以上の悪臭低減物質は、以下のものからなる群から選択される：表１物質３；４；７；９；２１；２５；２９；３０；３１；３２；３３；３４；３５；４２；４９；５０；６２；６４；６５；６７；７０；９１；９２；９３；９８；１０１；１０２；１０３；１０８；１１０；１１４；１１７；１１９；１２２；１２３；１２６；１３０；１４２；１４５；１４６；１４９；１５５；１５９；１６７；１６８；１７０；１７８；１８６；１８９；１９０；１９２；１９３；２０８；２０９；２１０；２１８；２２８；２２９；２３１；２４３；２５４；２５６；２５９；２６７；２７４；２７８；２８０；２８１；２９０；２９４；３１７；３１８；３２２；３２５；３３３；３３８；３４２；３４４；３５８；３６２；３６４；３７５；３８６；３９４；３９７；３９８；４１５；４２１；４２４；４２８；４２９；４３６；４４１；４４４；４４５；４４９；４５３；４６１；４６６；４６８；４７１；４７３；４７４；４７５；４９１；５１９；５２０；５２４；５２７；５３０；５３１；５３２；５３４；５４４；５４６；５５１；５５５；５６５；５７８；５８０；５８１；５８４；５８６；５８７；５８９；６０３；６０４；６０６；６０９；６１１；６１２；６１４；６１５；６１８；６２１；６２７；６２８；６３１；６３２；６３３；６３９；６４９；６５９；６６８；６８３；６８６；６９２；６９３；６９６；６９８；７０２；７０８；７１１；７１４；７１５；７１７；７２０；７２５；７３０；７３８；７４２；７４８；７５０；７５２；７６３；７６６；７６７；７６８；７７０；７７４；７７８；７８１；７８６；７９１；７９２；８００；８０２；８０６；８１４；８２１；８２６；８２７；８２８；８２９；８３４；８３７；８３９；８４０；８５０；８５２；８５６；８６４；８６５；８６６；８６８；８６９；８７１；８７３；８７６；８７７；８７８；８７９；８８４；８９７；９０５；９１４；９２６；９２８；９２９；９３７；９４６；９４７；９５０；９５５；９６９；９７３；９７４；９８２；９９３；１００６；１００８；１０１０；１０１６；１０２０；１０２１；１０３１；１０３７；１０４３；１０４５；１０５３；１０５７；１０６０；１０６２；１０６４；１０６６；１０６７；１０７０；１０７２；１０７３；１０７７；１０７８；１０８２；１１０２；１１０４；１１０５；１１２０；１１２５；１１３７；１１３８；１１４４；１１４５；表２の物質５６５；６３１；６５９；７１５；表３の物質９；１２；１９；２０；２１；２４；２５；２７；３２；３４；５３；５５；５９；６４；６５；７０；７３；８１；８４；９６；９７；９８；１０８；１１０；１１１；１１４；１１６；１１９；１２５；１２６；１３３；１４２；１４６；１４７；１５０；１５４；１５７；１５９；１６３；１６６；１６７；１６９；１７８；１８９；１９２；１９４；１９８；２０１；２０４；２０５；２２８；２３１；２３２；２３７；２３９；２５４；２５６；２５８；２６４；２７０；２７３；２８２；２８３；２８４；２８７；２９０；３０２；３０６；３１２；３１９；３２２；３２５；３３３；３３８；３４４；３４６；３５４；３５８；３６２；３６５；３６６；３７５；３７６；３８７；４１２；４１９；４２０；４２８；４２９；４３７；４３８；４３９；４４３；４４４；４４７；４４８；４６１；４６９；４７４；４７７；４８１；４９１；４９２；４９５；４９６；５０９；５１２；５１７；５１８；５２２；５２５；５３０；５３５；５３６；５３８；５４０；５４２；５４４；５４７；５４９；５５４；５５５；５５６；５５７；５７５；５７６；５７９；５８３；５８５；５８８；５８９；６０４；６０５；６０９；６１７；６１９；６３３；６４０；６４５；６４７；６５１；６５２；６６２；６６４；６６５；６６７；６８３；６８６；６８７；６９３；６９８；６９９；７０１；７１７；７２５；７３０；７４０；７４２；７４４；７４５；７６０；７６１；７７７；７７９；７８４；７８９；７９２；７９７；８０６；８１０；８１２；８１７；８１９；８２０；８２７；８２８；８３２；８３５；８３６；８３８；８３９；８４５；８４６；８４７；８４８；８５０；８５１；８５８；８６５；８７５；８７８；８７９；８８２；８８３；８８８；８８９；８９１；８９９；９００；９０１；９０２；９０３；９０４；９０９；９１４；９３１；９３７；９４０；９４６；９４７；９５６；９７７；９８１；９８６；９８７；９９４；９９５；１００１；１００４；１００８；１０１０；１０１１；１０１７；１０１８；１０１９；１０２０；１０３０；１０３１；１０３９；１０４０；１０４１；１０５１；１０５３；１０５４；１０５５；１０５７；１０５８；１０６１；１０６２；１０６９；１０７１；１０７６；１０８１；１０８２；１０９８；１１０２；１１０４；１１０５；１１１５；１１１９；１１２０；１１２２；１１２７；１１２８；１１４１及びそれらの混合物；より好ましくは、前記悪臭低減物質は、以下のものからなる群から選択される：表１物質３；４；７；９；２１；２５；２９；３０；３１；３２；３３；３４；３５；４２；４９；５０；６２；６４；６５；６７；７０；９１；９２；９３；９８；１０１；１０２；１０３；１０８；１１０；１１４；１１７；１１９；１２２；１２３；１２６；１３０；１４２；１４５；１４６；１４９；１５５；１５９；１６７；１６８；１７０；１７８；１８６；１８９；１９０；１９２；１９３；２０８；２０９；２１０；２１８；２２８；２２９；２３１；２４３；２５４；２５６；２５９；２６７；２７４；２７８；２８０；２８１；２９０；２９４；３１７；３１８；３２２；３２５；３３３；３３８；３４２；３４４；３５８；３６２；３６４；３７５；３８６；３９４；３９７；３９８；４１５；４２１；４２４；４２８；４２９；４３６；４４１；４４４；４４５；４４９；４５３；４６１；４６６；４６８；４７１；４７３；４７４；４７５；４９１；５１９；５２０；５２４；５２７；５３０；５３１；５３２；５３４；５４４；５４６；５５１；５５５；５６５；５７８；５８０；５８１；５８４；５８６；５８７；５８９；６０３；６０４；６０６；６０９；６１１；６１２；６１４；６１５；６１８；６２１；６２７；６２８；６３１；６３２；６３３；６３９；６４９；６５９；６６８；６８３；６８６；６９２；６９３；６９６；６９８；７０２；７０８；７１１；７１４；７１５；７１７；７２０；７２５；７３０；７３８；７４２；７４８；７５０；７５２；７６３；７６６；７６７；７６８；７７０；７７４；７７８；７８１；７８６；７９１；７９２；８００；８０２；８０６；８１４；８２１；８２６；８２７；８２８；８２９；８３４；８３７；８３９；８４０；８５０；８５２；８５６；８６４；８６５；８６６；８６８；８６９；８７１；８７３；８７６；８７７；８７８；８７９；８８４；８９７；９０５；９１４；９２６；９２８；９２９；９３７；９４６；９４７；９５０；９５５；９６９；９７３；９７４；９８２；９９３；１００６；１００８；１０１０；１０１６；１０２０；１０２１；１０３１；１０３７；１０４３；１０４５；１０５３；１０５７；１０６０；１０６２；１０６４；１０６６；１０６７；１０７０；１０７２；１０７３；１０７７；１０７８；１０８２；１１０２；１１０４；１１０５；１１２０；１１２５；１１３７；１１３８；１１４４；１１４５；表２の物質５６５；６３１；６５９；７１５；より好ましくは、前記悪臭低減物質は、以下のものからなる群から選択される：表４物質７；２２９；２８１；４４１；６０３；６２１；６２７；６３２；６９６；７０８；７１４；７５０；１０６０；１１３７；１１４４；１１４５及びそれらの混合物。上述の物質のすべてが０．００１ｋＰａ（０．１トル）より大きい蒸気圧を有し、それ故、悪臭の原因となる洗浄及び／又は処理組成物のヘッドスペース、洗浄及び／又は処理組成物を含む洗浄溶液、並びに処理する場所を有効に飽和し、その結果、洗浄及び／又は処理組成物のヘッドスペース、洗浄及び／又は処理組成物を含む洗浄溶液、並びに処理する場所の一切の悪臭を遮断する。上述の物質のより好ましい及び最も好ましいものは、肝要な悪臭を弱めるのに効果的であるので特に好ましい。
【００６８】
前記洗浄及び／又は処理組成物の一態様において、前記洗浄及び／又は処理組成物は、３以下、好ましくは０．１〜３のｌｏｇ  Ｐを有する１種以上の悪臭低減物質を含む、悪臭低減物質を含み、好ましくは、前記１種以上の悪臭低減物質は、以下のものからなる群から選択される：表１物質４；１６；１７；３４；３７；４２；４３；６１；６５；７０；８２；９８；１０６；１０８；１１０；１１２；１１３；１１７；１２６；１３０；１４１；１４３；１４６；１５５；１５６；１６７；１６８；１７０；１７９；１８７；１９０；１９３；１９９；２１８；２４７；２４９；２５４；２５６；２５９；２７８；２８１；２８６；２８８；３２１；３２３；３３２；３４７；３５０；３５３；３７３；３７４；３７５；３７７；３９４；４０７；４１５；４１７；４２５；４３６；４４５；４５０；４６４；４７４；４８５；４９１；４９３；５２７；５３０；５３１；５４６；５５１；５５３；５５５；５８０；５８１；５８６；５８７；５９５；６１２；６２７；６３６；６３８；６３９；６４９；６５５；６５８；６６８；６８３；７３０；７３３；７３５；７３６；７３８；７４２；７４８；７６７；７６８；７７２；７８６；７９２；８０３；８０５；８０７；８２４；８２９；８３３；８３４；８６４；８６５；８９７；９２３；９２４；９２８；９２９；９３７；９４６；９５５；９６２；９６９；９７４；９７６；９８０；９８２；９９３；１０１２；１０２０；１０２１；１０２６；１０２７；１０３６；１０３７；１０４２；１０５９；１０６４；１０６６；１０７２；１０８３；１０８５；１０９１；１１１１；１１１７；１１２５；１１３９；１１４６；表２の物質１４１；表３の物質２６；３４；３７；４３；５３；６５；７０；７３；８２；８４；９６；９７；９８；１０６；１０７；１０８；１１０；１１５；１１６；１２５；１２６；１４３；１４６；１６３；１６６；１６７；１６９；１８７；１９４；１９８；２０１；２０５；２１３；２１４；２３２；２３９；２５４；２５５；２５６；２５８；２８２；２８４；２８６；２８７；２８８；３１４；３２３；３６５；３６６；３７４；３７５；３７６；３７７；３７９；４００；４０７；４１７；４１９；４３９；４４０；４４２；４４３；４６９；４７４；４８５；４９１；４９２；５２６；５２８；５３０；５３８；５４２；５４７；５４９；５５４；５５５；５５６；５７６；５７９；５８３；５８５；５８８；６０５；６１７；６３６；６３８；６４０；６４７；６５１；６５２；６６４；６６５；６８３；６９９；７０１；７３０；７４０；７４２；７４３；７５５；７６０；７６１；７７２；７７７；７８４；７８９；７９２；７９６；７９７；８０３；８０５；８０７；８０８；８１０；８１１；８１２；８１７；８３２；８３３；８３５；８４５；８４６；８４８；８５１；８５８；８６５；８８２；８８３；９０２；９０４；９１８；９２１；９２３；９３１；９３７；９４６；９５６；９７７；９８１；９８３；１００２；１００４；１０１９；１０２０；１０２６；１０３６；１０３９；１０４０；１０４１；１０６９；１０７１；１０７９；１０８１；１０８４；１０９１；１０９８；１１１０；１１１１；���１１２；１１１８；１１１９；１１２２；１１３３；１１３９；１１４６；及びそれらの混合物；より好ましくは、前記悪臭低減物質は、以下のものからなる群から選択される：表１物質４；１６；１７；３４；３７；４２；４３；６１；６５；７０；８２；９８；１０６；１０８；１１０；１１２；１１３；１１７；１２６；１３０；１４１；１４３；１４６；１５５；１５６；１６７；１６８；１７０；１７９；１８７；１９０；１９３；１９９；２１８；２４７；２４９；２５４；２５６；２５９；２７８；２８１；２８６；２８８；３２１；３２３；３３２；３４７；３５０；３５３；３７３；３７４；３７５；３７７；３９４；４０７；４１５；４１７；４２５；４３６；４４５；４５０；４６４；４７４；４８５；４９１；４９３；５２７；５３０；５３１；５４６；５５１；５５３；５５５；５８０；５８１；５８６；５８７；５９５；６１２；６２７；６３６；６３８；６３９；６４９；６５５；６５８；６６８；６８３；７３０；７３３；７３５；７３６；７３８；７４２；７４８；７６７；７６８；７７２；７８６；７９２；８０３；８０５；８０７；８２４；８２９；８３３；８３４；８６４；８６５；８９７；９２３；９２４；９２８；９２９；９３７；９４６；９５５；９６２；９６９；９７４；９７６；９８０；９８２；９９３；１０１２；１０２０；１０２１；１０２６；１０２７；１０３６；１０３７；１０４２；１０５９；１０６４；１０６６；１０７２；１０８３；１０８５；１０９１；１１１１；１１１７；１１２５；１１３９；１１４６、表２物質１４１及びそれらの混合物；最も好ましくは前記物質は、以下のものからなる群から選択される：表４物質１９９；２８１；３５３；６２７；１０２７及びそれらの混合物。上述の物質のすべてが３未満のｌｏｇ  Ｐを有し、それ故、洗浄及び／又は処理組成物の水相、洗浄溶液中により長く残存し、硬質面をうまく処理している。上述の物質のより好ましい及び最も好ましいものは、肝要な悪臭を弱めるのに効果的であるので特に好ましい。
【００６９】
前記洗浄及び／又は処理組成物の一態様において、前記悪臭低減物質は、以下のものからなる群から選択される：表１〜３悪臭低減物質３０２；２８８；５０；１５７；１０１７；８８８；６４；１０５４；８３２；３７５；３９０；７４５；５０４；５０５；１４０；１０１２；４９８；３６２；１０３；３５６；１０７４；９０８；１１２７；４７５；９１８；６８７；６１１；３１７；９；１４１；５５０；６０２；９１３；１００５；５２１；１０；２１５；３７０；３３５；３７８；１１２１；３６０；５６５；１１３６；１１２９；６５５；３６９；１０６５；９１４；７５７；６０１；４７８；８８９；８９１；３５８；９７３；１６２；５５４；５２２；３１２；１２５；２６；４１８；９２；５８６；１０２６；２１８；３１；８２８；８７１；８２９；１０６６；２８７；２６９；７６９；７０１；１１１８；７０；９４６；１４２；１０９；１０８又はこれらの混合物。
【００７０】
本出願人の洗浄及び／又は処理組成物の一態様において、前記組成物は、ビルダー、キレート剤、移染防止剤、分散剤、酵素及び酵素安定剤、触媒物質、漂白活性化剤、過酸化水素、過酸化水素源、形成済みの過酸、高分子分散剤、泥汚れ除去／再付着防止剤、増白剤、泡抑制剤、染料、色相染料、香料、香料送達系、構造伸縮性付与剤、担体、構造化剤、ハイドロトロープ、加工助剤；前記可溶化剤に加えて溶剤；シリコーンポリマー、多糖類、粘土、脂肪酸、分散性オレフィン、ポリマーラテックス及びこれらの混合物からなる群から選択される柔軟仕上げ剤活性物質；顔料、並びにそれらの混合物からなる群から選択される補助成分を含み、好ましくは、前記組成物は、有機酸、好ましくはクエン酸及び／又は乳酸、硬化ヒマシ油、エトキシ化ポリエチレンイミン、好ましくはＰＥＩ６００ＥＯ２０及び／又はＰＥＩ６００、酵素、好ましくは冷水アミラーゼ、冷水プロテアーゼ及び／又はキシログルコナーゼを含む。
【００７１】
本出願人の洗浄及び／又は処理組成物の一態様において、前記洗浄及び／又は処理組成物は、第四級アンモニウム化合物、シリコーンポリマー、多糖類、粘土、アミン、脂肪酸エステル、分散性ポリオレフィン、ポリマーラテックス及びそれらの混合物からなる群から選択される柔軟仕上げ剤活性物質を含み、好ましくは、
ａ．）前記第四級アンモニウム化合物は、アルキル第四級アンモニウム化合物を含み、好ましくは、アルキル第四級アンモニウム化合物は、モノアルキル第四級アンモニウム化合物、ジアルキル第四級アンモニウム化合物、トリアルキル第四級アンモニウム化合物及びそれらの混合物からなる群から選択され；
ｂ．）前記シリコーンポリマーは、環状シリコーン、ポリジメチルシロキサン、アミノシリコーン、カチオン性シリコーン、シリコーンポリエーテル、シリコーン樹脂、シリコーンウレタン及びそれらの混合物からなる群から選択され；
ｃ．）前記多糖類は、カチオン性デンプンを含み；
ｄ．）前記粘土は、スメクタイト粘土を含み；
ｅ．）前記分散性ポリオレフィンは、ポリエチレン、ポリプロピレン及びそれらの混合物からなる群から選択され；及び
ｆ．）前記脂肪酸エステルは、ポリグリセロールエステル、ショ糖エステル、グリセロールエステル及びそれらの混合物からなる群から選択される。
【００７２】
本出願人の洗浄及び／又は処理組成物の一態様において、前記洗浄及び／又は処理組成物は、モノエステルクォート、ジエステルクォート、トリエステルクォート及びそれらの混合物からなる群から選択される物質を含む柔軟仕上げ剤活性物質を含み、好ましくは、前記モノエステルクォート及びジエステルクォートは、ビス−（２−ヒドロキシプロピル）−ジメチルアンモニウムメチルスルフェート脂肪酸エステル及びビス−（２−ヒドロキシプロピル）−ジメチルアンモニウムメチルスルフェート脂肪酸エステルの異性体、及び／又はそれらの混合物、１，２−ジ（アシルオキシ）−３−トリメチルアンモニウムプロパンクロリド、Ｎ，Ｎ−ビス（ステアロイル−オキシ−エチル）Ｎ，Ｎ−ジメチルアンモニウムクロリド、Ｎ，Ｎ−ビス（タロイル−オキシ−エチル）Ｎ，Ｎ−ジメチルアンモニウムクロリド、Ｎ，Ｎ−ビス（ステアロイル−オキシ−エチル）−Ｎ−（２−ヒドロキシエチル）−Ｎ−メチルアンモニウムメチルスルフェート、Ｎ，Ｎ−ビス−（ステアロイル−２−ヒドロキシプロピル）−Ｎ，Ｎ−ジメチルアンモニウムメチルスルフェート、Ｎ，Ｎ−ビス−（タロイル−２−ヒドロキシプロピル）−Ｎ，Ｎ−ジメチルアンモニウムメチルスルフェート、Ｎ，Ｎ−ビス−（パルミトイル−２−ヒドロキシプロピル）−Ｎ，Ｎ−ジメチルアンモニウムメチルスルフェート、Ｎ，Ｎ−ビス−（ステアロイル−２−ヒドロキシプロピル）−Ｎ，Ｎ−ジメチルアンモニウムクロリド、１，２−ジ−（ステアロイル−オキシ）−３−トリメチルアンモニウムプロパンクロリド、ジカノーラメチルアンモニウムクロリド、ジ（硬質）タロイルジメチルアンモニウムクロリド、ジカノーラジメチルアンモニウムメチルスルフェート、１−メチル−１−ステアロイルアミドエチル−２−ステアロイルイミダゾリウムメチルスルフェート、１−タロイルアミドエチル−２−タロイルイミダゾリン、ジパルミトイルメチルヒドロキシエチルアンモニウムメチルスルフェート及びそれらの混合物からなる群から選択される。
【００７３】
本出願人の洗浄及び／又は処理組成物の一態様において、前記洗浄及び／又は処理組成物は、第四級アンモニウム化合物及びシリコーンポリマーを含み、好ましくは、前記組成物は、０．００１％〜１０％、０．１％〜８％、より好ましくは０．５％〜５％の前記シリコーンポリマーを含む。
【００７４】
本出願人の洗浄及び／又は処理組成物の一態様において、前記柔軟仕上げ活性物質は、０〜１４０の間、好ましくは５〜１００、より好ましくは１０〜８０、更にいっそう好ましくは１５〜７０、最も好ましくは１８〜２５のヨウ素価を有するか、又は前記柔軟仕上げ活性物質は、部分硬化脂肪酸第四級アンモニウム化合物を含み、前記柔軟仕上げ活性物質は、最も好ましくは２５〜６０のヨウ素価を有する。
【００７５】
本出願人の洗浄及び／又は処理組成物の一態様において、前記洗浄及び／又は処理組成物は、可溶性単位用量製品を含み、前記可溶性単位用量製品は、１つ以上のチャンバに収容された１種以上の洗浄及び／又は処理組成物を含み、前記チャンバは、１種以上のフィルムから形成され、好ましくは、前記１種以上のフィルムは、ＰＶＡフィルムを含む。
【００７６】
補助物質
本発明の目的には必須ではないが、以下に例示する補助剤の非限定的なリストは、本組成物で使用に適しており、例えば、洗浄性能の補助若しくは向上のために、洗浄される基材の処理のために、又は香料、着色剤、染料等を用いる場合のように洗浄組成物の審美性を修飾するために、本発明の特定の態様に組み込むことが望ましい場合がある。これら追加成分の正確な性質及びその配合レベルは、組成物の物理的形態及び該組成物が使用される布地処理作業の性質に依存することになる。好適な補助物質としては、界面活性剤、ビルダー、キレート剤、移染防止剤、分散剤、酵素及び酵素安定剤、触媒物質、漂白活性化剤、過酸化水素、過酸化水素源、形成済みの過酸、高分子分散剤、泥汚れ除去／再付着防止剤、増白剤、抑泡剤、染料、色相染料、香料、香料送達系、構造伸縮性付与剤、担体、構造化剤、ハイドロトロープ、加工助剤、溶剤、顔料、並びに／又は洗剤と相溶性の柔軟仕上げ剤活性物質及び衣類柔軟仕上げ剤、抗菌剤、抗微生物剤、並びに抗真菌剤が挙げられるが、これらに限らない。
【００７７】
上述の通り、補助成分は、本出願人の組成物には必須ではない。したがって、本出願人の組成物の特定の態様は、次の補助物質うちの１種以上を含有しない：界面活性剤、ビルダー、キレート剤、移染防止剤、分散剤、酵素及び酵素安定剤、触媒物質、漂白活性化剤、過酸化水素、過酸化水素源、形成済みの過酸、高分子分散剤、泥汚れ除去／再付着防止剤、増白剤、抑泡剤、染料、色相染料、香料、香料送達系、構造伸縮性付与剤、担体、構造化剤、ハイドロトロープ、加工助剤、溶剤、顔料、及び／又は柔軟仕上げ剤活性物質、抗菌剤／抗微生物剤。しかしながら、１種以上の補助剤が存在する場合、そのような１つ以上の補助剤は、以下に詳述するように存在し得る。
【００７８】
色相染料−液体洗濯洗剤は、色相染料を含み得る。本洗濯ケア組成物に用いられる色相染料は、高分子若しくは非高分子染料、有機若しくは無機顔料、又はそれらの混合物を含み得る。好ましくは、色相染料は、発色団成分とポリマー成分とを含む高分子染料を含む。発色団成分は、光に曝露すると、青、赤、スミレ色、紫、又はこれらの組み合わせの範囲の波長の光を吸収することを特徴とする。一態様では、発色団成分は、水及び／又はメタノール中で最大約５２０ナノメートル〜約６４０ナノメートル、別の態様では水及び／又はメタノール中で約５６０ナノメートル〜約６１０ナノメートルの吸収スペクトル最大値を示す。
【００７９】
好適ないずれの発色団を使用してもよいが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン及びフタロシアニン染料発色団から選択される。モノ及びジアゾ染料発色団が好ましい／好ましいことがある。
【００８０】
色相染料は、連続する少なくとも３つの繰り返し単位の１つ以上に共有結合している発色団を含む染料ポリマーを含み得る。前記繰り返し単位自体が発色団を含む必要がないことは理解されるはずである。染料ポリマーは、連続する少なくとも５、又は少なくとも１０、又は更には少なくとも２０の繰り返し単位を含み得る。
【００８１】
繰り返し単位は、オキシアルキレンオキシ及びポリオキシアルキレンオキシとの組み合わせで、フェニルカルボキシレートなどの有機エステルから誘導することができる。繰り返し単位は、以下のものから誘導することができる：ヒドロキシアルキルセルロースなどの変性セルロース、アルケン、エポキシド、アジリジン、炭水化物；ヒドロキシプロピルセルロース；ヒドロキシプロピルメチルセルロース；ヒドロキシブチルセルロース；及びヒドロキシブチルメチルセルロース又はそれらの混合物。繰り返し単位をアルケン若しくはエポキシドまたはそれらの混合物から誘導してもよい。繰り返し単位は、アルコキシ基と呼ばれることもあるＣ２〜Ｃ４アルキレンオキシ基から誘導してもよく、好ましくはＣ２〜Ｃ４アルキレンオキシドから誘導してもよい。繰り返し単位は、Ｃ２〜Ｃ４アルコキシ基、好ましくはエトキシ基であってもよい。
【００８２】
本発明では、連続する少なくとも３つの繰り返し単位がポリマー成分を形成する。ポリマー成分は、発色団基に直接共有結合していることもあり、又は連結基によって間接的に共有結合していることもある。好適なポリマー成分の例としては、複数の繰返し単位を有するポリオキシアルキレン鎖が挙げられる。一態様では、ポリマー成分は、２〜約３０の繰返し単位、２〜約２０の繰返し単位、２〜約１０の繰返し単位、又は更には約３若しくは４〜約６の繰返し単位を有するポリオキシアルキレン鎖を含む。ポリオキシアルキレン鎖の非限定例としては、エチレンオキシド、プロピレンオキシド、グリシドールオキシド、ブチレンオキシド、及びそれらの混合物が挙げられる。
【００８３】
界面活性剤−本発明による組成物は、界面活性剤又は界面活性剤系を含むことがあり、該界面活性剤は、非イオン性界面活性剤、アニオン性界面活性剤、カチオン性界面活性剤、両性界面活性剤、双性イオン性界面活性剤、半極性非イオン性界面活性剤、及びそれらの混合物から選択してもよい。
【００８４】
界面活性剤は、典型的には、対象組成物の約０．１重量％〜約６０重量％、約１重量％〜約５０重量％、又は更に約５重量％〜約４０重量％の濃度で存在する。
【００８５】
キレート剤−本明細書における組成物は、キレート剤を含有することがある。好適なキレート剤としては、銅、鉄及び／又はマンガンキレート剤、並びにそれらの混合物が挙げられる。キレート剤を使用する場合、組成物は、対象組成物の約０．１重量％〜約１５重量％、又は更には約３．０重量％〜約１０重量％のキレート剤を含んでもよい。
【００８６】
移染防止剤−本発明の組成物は、１種以上の移染防止剤を含み得る。好適なポリマー移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、それらに限定されない。
【００８７】
対象組成物中に存在する場合、移染防止剤は、該組成物の約０．０００１重量％〜約１０重量％、約０．０１重量％〜約５重量％又は更には約０．１重量％〜約３重量％のレベルで存在してもよい。
【００８８】
分散剤−本発明の組成物は、分散剤も含有することができる。好適な水溶性有機物質としては、ホモポリマー又はコポリマーの酸又はそれらの塩が挙げられ、この場合、ポリカルボン酸は、２個以下の炭素原子によって互いに隔てられている少なくとも２個のカルボキシルラジカルを含む。
【００８９】
香料−分散相は、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、及び２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、及びβ−ジヒドロイオノン、リナロール、エチルリナロール、テトラヒドロリナロール、及びジヒドロミルセノールなどの香料からなる群から選択される物質を含み得る香料を含み得る。
【００９０】
香料送達技術  本発明の組成物は、香料成分の付着及び処理される基材から香料成分の放出を安定させ、増進させる、１つ以上の香料送達技術を含み得る。そのような香料送達技術を用いて、処理される基材からの香料放出を長持ちさせることもできる。香料送達技術、特定の香料送達技術を行う方法及びこのような香料送達技術の使用は、米国特許出願公開第２００７／０２７５８６６号（Ａ１）明細書に開示されている。
【００９１】
一態様において、本組成物は、約０．００１重量〜約２０重量％、又は約０．０重量％〜約１０重量％、又は約０．０５重量％〜約５％、又は更には約０．１重量％〜約０．５重量％の香水送達技術を含み得る。一態様において、前記香料送達技術は、香料マイクロカプセル、プロ香料（pro-perfume）、ポリマー粒子、官能価シリコーン、ポリマー利用送達、分子利用送達、繊維利用送達、アミン利用送達、シクロデキストリン、デンプンカプセル化アコード（starch encapsulated accord）、ゼオライト及び無機担体、並びにそれらの混合物からなる群から選択され得る。
【００９２】
一態様において、前記香料送達技術は、壁材で有益剤を少なくとも部分的に包囲することによって作られた香料マイクロカプセルなどの、カプセル化香料を含み得る。前記有益剤としては、３−（４−ｔ−ブチルフェニル）−２−メチルプロパナール、３−（４−ｔ−ブチルフェニル）−プロパナール、３−（４−イソプロピルフェニル）−２−メチルプロパナール、３−（３，４−メチレンジオキシフェニル）−２−メチルプロパナール、及び２，６−ジメチル−５−ヘプテナール、α−ダマスコン、β−ダマスコン、δ−ダマスコン、β−ダマセノン、６，７−ジヒドロ−１，１，２，３，３−ペンタメチル−４（５Ｈ）−インダノン、メチル−７，３−ジヒドロ−２Ｈ−１，５−ベンゾジオキセピン−３−オン、２−［２−（４−メチル−３−シクロヘキセニル−１−イル）プロピル］シクロペンタン−２−オン、２−ｓｅｃ−ブチルシクロヘキサノン、及びβ−ジヒドロイオノン、リナロール、エチルリナロール、テトラヒドロリナロール、及びジヒドロミルセノールなどの香料からなる群から選択される物質を挙げることができるだろう。好適な香料物質は、Ｇｉｖａｕｄａｎ  Ｃｏｒｐ．（Ｍｏｕｎｔ  Ｏｌｉｖｅ，Ｎｅｗ  Ｊｅｒｓｅｙ，ＵＳＡ）、Ｉｎｔｅｒｎａｔｉｏｎａｌ  Ｆｌａｖｏｒｓ  ＆  Ｆｒａｇｒａｎｃｅｓ  Ｃｏｒｐ．（Ｓｏｕｔｈ  Ｂｒｕｎｓｗｉｃｋ，Ｎｅｗ  Ｊｅｒｓｅｙ，ＵＳＡ）、又はＱｕｅｓｔ  Ｃｏｒｐ．（Ｎａａｒｄｅｎ，Ｎｅｔｈｅｒｌａｎｄｓ）から入手することができる。一態様において、前記マイクロカプセル壁材は、メラミン、ポリアクリルアミド、シリコーン、シリカ、ポリスチレン、ポリ尿素、ポリウレタン、ポリアクリレート系物質、ゼラチン、スチレンリンゴ酸無水物、ポリアミド、及びそれらの混合物を含み得る。一態様において、前記メラミン壁材は、ホルムアルデヒドで架橋されたメラミン、ホルムアルデヒドで架橋されたメラミン−ジメトキシエタノール、及びそれらの混合物を含み得る。一態様では、前記ポリスチレン壁材は、ジビルベンゼンで架橋されたポリスチレンを含み得る。一態様において、前記ポリ尿素壁材は、ホルムアルデヒドで架橋された尿素、グルタルアルデヒドで架橋された尿素、及びそれらの混合物を含み得る。一態様では、上記ポリアクリレート系材料は、メチルメタクリレート／ジメチルアミノメチルメタクリレートから形成されたポリアクリレート、アミンアクリレート及び／又はメタクリレート並びに強酸から形成されたポリアクリレート、カルボン酸アクリレート及び／又はメタクリレートモノマー並びに強塩基から形成されたポリアクリレート、アミンアクリレート及び／又はメタクリレートモノマー並びにカルボン酸アクリレート及び／又はカルボン酸メタクリレートモノマーから形成されたポリアクリレート、並びにこれらの混合物を含み得る。一態様において、前記香料マイクロカプセルは、付着助剤、カチオン性ポリマー、非イオン性ポリマー、アニオン性ポリマー、およびそれらの混合物でコーティングされることもある。好適なポリマーは、ポリビニルホルムアルデヒド、部分ヒドロキシル化ポリビニル、ホルムアルデヒド、ポリビニルアミン、ポリエチレンイミン、エトキシル化ポリエチレンイミン、ポリビニルアルコール、ポリアクリレート、及びこれらの組み合わせからなる群から選択され得る。一態様では、マイクロカプセルは、香料マイクロカプセルであり得る。一態様では、異なる有益剤を有する１つ以上のマイクロカプセルタイプ、例えば２つのマイクロカプセルタイプを使用してもよい。
【００９３】
一態様において、前記香料送達技術は、アミン反応生成物（ＡＲＰ）又はチオ反応生成物を含み得る。アミン及び／又はチオール官能基が１つ以上のＰＲＭと予備反応して反応生成物を生成する、「反応性」ポリマーアミン及び又はポリマーチオールを使用してもよい。典型的には、反応性アミンは、第一級及び／又は第二級アミンであり、ポリマー又はモノマー（非ポリマー）の一部であり得る。そのようなＡＲＰを更なるＰＲＭと混合してポリマー利用送達及び／又はアミン利用送達効果を得てもよい。ポリマーアミンの非限定的な例としては、ポリエチレンイミン（ＰＥＩ）等のポリアルキルイミン、又はポリビニルアミン（ＰＶＡｍ）に基づくポリマーが挙げられる。モノマー（非ポリマー）アミンの非限定的な例としては、ヒドロキシルアミン（例えば、２−アミノエタノール）及びそのアルキル置換誘導体、並びに芳香族アミン（例えば、アントラニレート）が挙げられる。リーブオン用途若しくはリンスオフ用途では、ＡＲＰを香料と予混することもあり、又は別途添加することもある。別の態様では、窒素及び／又は硫黄以外のヘテロ原子、例えば酸素、硫黄、リン又はセレン、を含有する物質をアミン化合物の代替として使用してもよい。更に別の態様では、前述の代替化合物をアミン化合物と併用することができる。更なる別の態様では、１つの分子が、アミン部分と、代替ヘテロ原子部分（例えばチオール、ホスフィン及びセレノール）のうちの１つ以上とを含有することもある。その恩恵には、香料の送達向上はもちろん、香料放出制御も挙げることがでるだろう。好適なＡＲＰ並びにその製造方法は、米国特許出願第２００５／０００３９８０号（Ａ１）明細書及び米国特許第６，４１３，９２０号（Ｂ１）明細書に見ることができる。
【００９４】
好適な柔軟仕上げ活性物質
本明細書に開示する液体布地強化剤組成物は、柔軟仕上げ活性物質（「ＦＳＡ」）を含む。好適な柔軟仕上げ活性物質には、第四級アンモニウム化合物、アミン、脂肪酸エステル、ショ糖エステル、シリコーン、分散性ポリオレフィン、粘土、多糖類、脂肪酸、ソフトニングオイル、ポリマーラテックス、及びこれらの混合物からなる群から選択される物質が挙げられるが、これらに限定されない。
【００９５】
水不溶性布地ケア有益剤の非限定例としては、分散性ポリエチレン及びポリマーラテックス類が挙げられる。これらの有益剤は、エマルジョン、ラテックス、分散液、懸濁液などの形態であることができる。一態様において、それらはエマルジョン又はラテックスである。分散性ポリエチレン及びポリマーラテックスは、次のものを含むがそれらに限定されない、広範な粒径直径（χ５０）を有することができる：約１ｎｍ〜約１００μｍ；あるいは約１０ｎｍ〜約１０μｍ。それ故、分散性ポリエチレン及びポリマーラテックスの好ましい粒径は、限定ではないが一般には、シリコーン又は他の脂肪油よりも小さい。
【００９６】
一般に、本発明の水不溶性布地ケア有益剤を製造するために、ポリマーエマルジョンの製造又はポリマーラテックスの乳化重合に好適なあらゆる界面活性剤を使用するこができる。好適な界面活性剤は、ポリマーエマルジョン及びラテックス用の乳化剤、ポリマー分散液用の分散剤、及びポリマー懸濁液用の懸濁剤からなる。好適な界面活性剤は、アニオン性、カチオン性及び非イオン性界面活性剤、又はこれらの混合物を含む。一態様において、そのような界面活性剤は、非イオン性及び／又はアニオン性界面活性剤である。一態様において、水不溶性布地ケア有益剤中の界面活性剤のポリマーに対する比は、次の通りである：約１：１００〜約１：２；あるいは約１：５０〜約１：５、それぞれ。好適な水不溶性布地ケア有益剤は、以下に記載する例を含むが、それらに限定されない。
【００９７】
クォート−好適なクォートには、エステルクォート、アミドクォート、イミダゾリンクォート、アルキルクォート、アミドエステルクォート及びこれらの混合物からなる群から選択される物質が含まれるが、それらに限定されない。好適なクォートには、モノエステルクォート、ジエステルクォート、トリエステルクォート及びこれらの混合物からなる群から選択される物質が含まれるが、それらに限定されない。一態様において、好適なクォートは、１．８５〜１．９９の脂肪酸部分のアミン部分に対するモル比と、１６〜１８炭素原子の脂肪酸部分の平均鎖長と、遊離脂肪酸について計算された０〜１４０の間、好ましくは５〜１００、より好ましくは１０〜８０、よりいっそう好ましくは１５〜７０、よりいっそう好ましくは１８〜５５、最も好ましくは１８〜２５の脂肪酸部分のヨウ素価とを有する、ビス−（２−ヒドロキシプロピル）−ジメチルアンモニウムメチルスルフェート脂肪酸エステルである。軟質獣脂第四級アンモニウム化合物を使用する場合、最も好ましくは範囲は２５〜６０である。一態様において、前記ビス−（２−ヒドロキシプロピル）−ジメチルアンモニウムメチルスルフェート脂肪酸エステルの不飽和脂肪酸部分の二重結合のシス・トランス比は、次の通りである：５５：４５〜７５：２５、それぞれ。好適なアミドクォートには、モノアミドクォート、ジアミドクォート及びこれらの混合物からなる群から選択される物質が含まれるが、それらに限定されない。好適なアルキルクォートには、モノアルキルクォート、ジアルキルクォート、トリアルキルクォート及びこれらの混合物からなる群から選択される物質が含まれるが、それらに限定されない。
【００９８】
アミン−好適なアミンには、アミドエステルアミン、アミドアミン、イミダゾリンアミン、アルキルアミン、アミドエステル及びこれらの混合物からなる群から選択される物質が含まれるが、それらに限定されない。好適なエステルアミンには、モノエステルアミン、ジエステルアミン、トリエステルアミン及びこれらの混合物からなる群から選択される物質が含まれるが、それらに限定されない。好適なアミドには、モノアミドアミン、ジアミドアミン及びこれらの混合物からなる群から選択される物質が含まれるが、それらに限定されない。好適なアルキルアミンには、モノアルキルアミン、ジアルキルアミン、トリアルキルアミン及びこれらの混合物からなる群から選択される物質が含まれるが、それらに限定されない。
【００９９】
一態様において、柔軟仕上げ活性物質は、すすぎ工程での布地の柔軟化に好適な第四級アンモニウム化合物である。一実施形態において、柔軟仕上げ活性物質は、モノエステル、ジエステル及び一の実施形態ではトリエステル化合物を得る脂肪酸とアミノアルコールの反応の生成物から形成される。
【０１００】
別の実施形態において、柔軟仕上げ活性物質は、モノアルキル第四級アンモニウム化合物、ジアルキル第四級アンモニウム化合物、ジアミド第四級化合物、ジエステル第四級アンモニウム化合物又はこれらの組み合わせなどであるがこれらに限定されない、１つ以上の柔軟剤第四級アンモニウム化合物を含む。
【０１０１】
一態様において、柔軟仕上げ活性物質は、ジエステル第四級アンモニウム又はプロトン化ジエステルアンモニウム（以降、「ＤＱＡ」）化合物組成物を含む。本発明の特定の実施形態において、ＤＱＡ化合物の組成物はまた、ジアミド柔軟仕上げ活性物質と、混合アミド及びエステル結合並びに上述のジエステル結合を有する柔軟仕上げ活性物質とを包含し、これらのすべてを本明細書ではＤＱＡと呼ぶ。
【０１０２】
一態様において、前記柔軟仕上げ活性物質は、主要活性物質として、次式の化合物を含み得る：
｛Ｒ４−ｍ−Ｎ＋−［Ｘ−Ｙ−Ｒ１］ｍ｝Ｘ−        （１）
（式中、各Ｒは、水素、短鎖Ｃ１〜Ｃ６、一態様ではＣ１〜Ｃ３アルキル又はヒドロキシアルキル基、例えば、メチル、エチル、プロピル、ヒドロキシエチルなど、ポリ（Ｃ２〜３アルコキシ）、ポリエトキシ、ベンジル又はそれらの混合物であり；各Ｘは、独立して、（ＣＨ２）ｎ、ＣＨ２−ＣＨ（ＣＨ３）−又はＣＨ−（ＣＨ３）−ＣＨ２−であり；各Ｙは、−Ｏ−（Ｏ）Ｃ−、−Ｃ（Ｏ）−Ｏ−、ＮＲ−Ｃ（Ｏ）−、又は−Ｃ（Ｏ）−ＮＲ−を含むことがあり；各ｍは、２又は３であり；各ｎは、１〜約４、一態様では２であり；各Ｒ１中の炭素の合計（Ｙが−Ｏ−（Ｏ）Ｃ−又は−ＮＲ−Ｃ（Ｏ）−であるときには１を加える）、は、Ｃ１２〜Ｃ２２、又はＣ１４〜Ｃ２０であり得、各Ｒ１は、ヒドロカルビル又は置換ヒドロカルビル基であり得；及びＸ−は、任意の柔軟剤相溶性アニオンで含み得る）。一態様では、柔軟剤相溶性アニオンは、クロリド、ブロミド、メチルスルフェート、エチルスルフェート、スルフェート及びニトレートを含み得る。別の態様では、柔軟剤相溶性アニオンは、クロリド又はメチルスルフェートを含み得る。
【０１０３】
別の態様では、柔軟仕上げ活性物質は、下記一般式を有し得る：
［Ｒ３Ｎ＋ＣＨ２ＣＨ（ＹＲ１）（ＣＨ２ＹＲ１）］Ｘ−
（式中、各Ｙ、Ｒ、Ｒ１、及びＸ−は、前記と同じ意味を有する）。そのような化合物は、下記式を有するものを含む：
［ＣＨ３］３Ｎ（＋）［ＣＨ２ＣＨ（ＣＨ２Ｏ（Ｏ）ＣＲ１）Ｏ（Ｏ）ＣＲ１］Ｃ１（−）        （２）
（式中、各Ｒは、メチル又はエチル基を含み得る）。一態様では、各Ｒ１は、Ｃ１５〜Ｃ１９基を含み得る。本明細書で使用する場合、ジエステルが明記されているとき、それは存在するモノエステルを含むことができる。
【０１０４】
これらのタイプの薬剤及びそれらの一般的な製造方法は、次の特許文献に開示されている：米国特許第４，１３７，１８０号明細書。好適なＤＥＱＡ（２）の例は、式１，２−ジ（アシルオキシ）−３−トリメチルアンモニオプロパンクロリドを含む「プロピル」エステル第四級アンモニウム柔軟仕上げ剤活性物質である。
【０１０５】
第３のタイプの有用な柔軟仕上げ活性物質は、下記式を有する：
［Ｒ４−ｍ−Ｎ＋−Ｒ１ｍ］Ｘ−        （３）
（式中、各Ｒ、Ｒ１、ｍ及びＸ−は、前記と同じ意味を有する）。
【０１０６】
更なる態様において、柔軟仕上げ活性物質は、下記式を有し得る：
【０１０７】
【化１】
2017535628.tif 000046
（式中、各Ｒ、Ｒ１、及びＡ−は、前記と同じ意味を有し；Ｒ２は、Ｃ１〜６アルキレン基、一態様ではエチル基を含み得；及びＧは、酸素原子又は−ＮＲ−基を含み得る）。
【０１０８】
更なる態様において、柔軟仕上げ活性物質は、下記式を有し得る：
【０１０９】
【化２】
2017535628.tif 000047
（式中、Ｒ１、Ｒ２及びＧは、前記の通り定義される）。
【０１１０】
更なる態様において、柔軟仕上げ活性物質は、脂肪酸とジアルキレントリアミンの、例えば次の分子比での縮合反応生成物を含み得る：約２：１。前記反応生成物は、下記式の化合物を含有する：
Ｒ１−Ｃ（Ｏ）−ＮＨ−Ｒ２−ＮＨ−Ｒ３−ＮＨ−Ｃ（Ｏ）−Ｒ１        （６）
（式中、Ｒ１、Ｒ２は前記の通り定義され、各Ｒ３はＣ１〜６アルキレン基、１つの態様ではエチレン基である）。前記反応生成物は、場合により、ジメチルスルフェートなどのアルキル化剤の添加によって四級化されていることもある。そのような四級化反応生成物は、次の特許文献に更なる詳細が記載されている：米国特許第５，２９６，６２２号明細書。
【０１１１】
更に更なる態様において、柔軟仕上げ活性物質は、下記式を有し得る：
［Ｒ１−Ｃ（Ｏ）−ＮＲ−Ｒ２−Ｎ（Ｒ）２−Ｒ３−ＮＲ−Ｃ（Ｏ）−Ｒ１］＋Ａ−        （７）
（式中、Ｒ、Ｒ１、Ｒ２、Ｒ３及びＡ−は、前記の通り定義される）。
【０１１２】
更に更なる態様において、柔軟仕上げ活性物質は、脂肪酸とヒドロキシアルキルアルキレンジアミンの、例えば次の分子比での反応生成物を含み得る：約２：１。前記反応生成物は、下記式の化合物を含有する：
Ｒ１−Ｃ（Ｏ）−ＮＨ−Ｒ２−Ｎ（Ｒ３ＯＨ）−Ｃ（Ｏ）−Ｒ１        （８）
（式中、Ｒ１、Ｒ２及びＲ３は、前記の通り定義される）。
【０１１３】
更なる態様において、柔軟仕上げ活性物質は、下記式を有し得る：
【０１１４】
【化３】
2017535628.tif 000048
（式中、Ｒ、Ｒ１、Ｒ２及びＡ−は、前記の通り定義される）。
【０１１５】
更なる態様において、柔軟仕上げ活性物質は、下記式を有し得る：
【０１１６】
【化４】
2017535628.tif 000049
（式中：
Ｘ１は、Ｃ２〜３アルキル基、一態様ではエチル基であり；
Ｘ２及びＸ３は、独立して、Ｃ１〜６直鎖状又は分枝アルキル又はアルケニル基、一態様では、メチル、エチル又はイソプロピルであり；
Ｒ１及びＲ２は、独立して、Ｃ８〜２２直鎖状又は分岐アルキル又はアルケニル基であり；
以下のことを特徴とする：
Ａ及びＢは、独立して、−Ｏ−（Ｃ＝Ｏ）−、−（Ｃ＝Ｏ）−Ｏ−又はこれらの混合物、一態様では−Ｏ−（Ｃ＝Ｏ）−であること）。
【０１１７】
式（１）を有する柔軟仕上げ活性物質の非限定例は、Ｎ，Ｎ−ビス（ステアロイル−オキシ−エチル）−Ｎ，Ｎ−ジメチルアンモニウムクロリド、Ｎ，Ｎ−ビス（タロイル−オキシ−エチル）−Ｎ，Ｎ−ジメチルアンモニウムクロリド、Ｎ，Ｎ−ビス（ステアロイル−オキシ−エチル）−Ｎ−（２−ヒドロキシエチル）−Ｎ−メチルアンモニウムメチルスルフェートである。
【０１１８】
式（２）を有する柔軟仕上げ活性物質の非限定例は、１，２−ジ−（ステアロイル−オキシ）−３−トリメチルアンモニウムプロパンクロリドである。
【０１１９】
式（３）を有する柔軟仕上げ活性物質の非限定的な例としては、ジアルキレンジメチルアンモニウム塩、例えば、ジカノーラジメチルアンモニウムクロリド、ジ（硬質）獣脂ジメチルアンモニウムクロリド、ジカノーラジメチルアンモニウムメチルスルフェート、及びそれらの混合物が挙げられる。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２で入手可能なジオレイルジメチルアンモニウムクロリド、及びＡｋｚｏ  Ｎｏｂｅｌ  Ａｒｑｕａｄ  ２ＨＴ７５から入手可能なジ硬質獣脂ジメチルアンモニウムクロリドである。
【０１２０】
式（４）を有する柔軟仕上げ活性物質の非限定例は、Ｗｉｔｃｏ  Ｃｏｒｐｏｒａｔｉｏｎから商品名Ｖａｒｉｓｏｆｔ（登録商標）で市販されている、１−メチル−１−ステアロイルアミドエチル−２−ステアロイルイミダゾリニウムメチルスルフェート（式中、Ｒ１は非環式脂肪族Ｃ１５〜Ｃ１７炭化水素基であり、Ｒ２はエチレン基であり、ＧはＮＨ基であり、Ｒ５はメチル基であり、Ａ−はメチルスルフェートアニオンである）である。
【０１２１】
化合物（５）を有する柔軟仕上げ活性物質の非限定的な例は、１−タロイルアミドエチル−２−タロイルイミダゾリン（式中、Ｒ１は、非環式脂肪族Ｃ１５〜Ｃ１７炭化水素基であり、Ｒ２はエチレン基であり、ＧはＮＨ基である）である。
【０１２２】
式（６）を有する柔軟仕上げ活性物質の非限定的な例は、脂肪酸とジエチレントリアミンの、次の分子比での反応生成物である：約２：１。前記反応生成物混合物は、下記式を有するＮ，Ｎ”−ジアルキルジエチレントリアミンを含有する：
Ｒ１−Ｃ（Ｏ）−ＮＨ−ＣＨ２ＣＨ２−ＮＨ−ＣＨ２ＣＨ２−ＮＨ−Ｃ（Ｏ）−Ｒ１
（式中、Ｒ１は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物源から誘導された市販の脂肪酸のアルキル基であり、Ｒ２及びＲ３は、二価エチレン基である）。
【０１２３】
一態様において、前記脂肪酸は、前部又は一部分、再生可能資源から植物材料の抽出、植物材料からの発酵によって得てもよく、及び／又は藻類若しくは酵母などの遺伝子修飾生物によって得てもよい。
【０１２４】
化合物（７）の非限定例は、下記式を有するジ脂肪アミドアミン系柔軟剤である：
［Ｒ１−Ｃ（Ｏ）−ＮＨ−ＣＨ２ＣＨ２−Ｎ（ＣＨ３）（ＣＨ２ＣＨ２ＯＨ）−ＣＨ２ＣＨ２−ＮＨ−Ｃ（Ｏ）−Ｒ１］＋ＣＨ３ＳＯ４−
（式中、Ｒ１は、アルキル基である）。このような化合物の例は、ＷｉｔＣｏ  Ｃｏｒｐｏｒａｔｉｏｎから例えば商品名Ｖａｒｉｓｏｆｔ（登録商標）２２２ＬＴで市販されているものである。
【０１２５】
式（８）を有する柔軟仕上げ活性物質の非限定的な例は、脂肪酸とＮ−２−ヒドロキシエチレンジアミンの、次の分子比での反応生成物である：約２：１。前記反応生成物は、下記式の化合物を含有する：
Ｒ１−Ｃ（Ｏ）−ＮＨ−ＣＨ２ＣＨ２−Ｎ（ＣＨ２ＣＨ２ＯＨ）−Ｃ（Ｏ）−Ｒ１
（式中、Ｒ１−Ｃ（Ｏ）は、Ｈｅｎｋｅｌ  Ｃｏｒｐｏｒａｔｉｏｎから入手可能なＥｍｅｒｓｏｌ（登録商標）２２３ＬＬ又はＥｍｅｒｓｏｌ（登録商標）７０２１などの、植物又は動物源から誘導された市販の脂肪酸のアルキル基である）。
【０１２６】
式（９）を有する柔軟仕上げ活性物質の例は、下記式を有するジ四級化合物である：
【０１２７】
【化５】
2017535628.tif 000050
（式中、Ｒ１は、脂肪酸から誘導される）。このような化合物は、Ｗｉｔｃｏ  Ｃｏｍｐａｎｙから入手可能である。
【０１２８】
式（１０）を有する柔軟仕上げ活性物質の非限定例は、ジアルキルイミダゾリンジエステル化合物であり、この化合物は、Ｎ−（２−ヒドロキシエチル）−１，２−エチレンジアミン又はＮ−（２−ヒドロキシイソプロピル）−１，２−エチレンジアミンと、脂肪酸でエステル化されたグリコール酸との、反応生成物であり、前記脂肪酸は、（硬化）獣脂脂肪酸、パーム脂肪酸、硬化パーム脂肪酸、オレイン酸、ナタネ脂肪酸、硬化ナタネ脂肪酸又は上記のものの混合物である。
【０１２９】
上で開示した柔軟剤活性物質の組み合わせが本発明での使用に好適であることは理解されるであろう。
【０１３０】
アニオンＡ
本明細書におけるカチオン性窒素含有塩において、アニオンＡ−は、任意の柔軟剤相溶性アニオンを含み、電気的中性をもたらす。殆どの場合、これらの塩において電気的中性をもたらすために使用されるアニオンは、強酸からのものであり、特にハリド、例えばクロリド、ブロミド又はヨージドである。しかし、他のアニオン、例えばメチルスルフェート、エチルスルフェート、アセテート、ホルメート、スルフェート、カーボネート、脂肪酸アニオンなどを使用することができる。一態様では、アニオンＡは、クロリド又はメチルスルフェートを含み得る。いくつかの態様では、アニオンは、二重電荷を有し得る。この態様では、Ａ−が、基の半分を表す。
【０１３１】
一実施形態において、柔軟仕上げ剤は、次のものの少なくとも１つから選択される：ジタロイルオキシエチルジメチルアンモニウムクロリド、ジ硬化タロイルオキシエチルジメチルアンモニウムクロリド、ジ獣脂ジメチルアンモニウムクロリド、ジ硬化獣脂ジメチルアンモニウムクロリド、ジタロイルエチルメチルヒドロキシエチルアンモニウムメチルスルフェート、ジ硬化タロイルオキシエチルメチルヒドロキシエチルアンモニウムクロリド、又はそれらの混合物。
【０１３２】
多糖類
本発明の一態様は、柔軟仕上げ活性物質としてカチオン性デンプンを含む布地強化剤組成物を提供する。一態様において、布地ケア組成物は、一般に、該組成物の約０．１重量〜約７重量％、あるいは約０．１重量％〜約５重量％、あるいは約０．３重量％〜約３重量％、及びあるいは約０．５重量％〜約２．０重量％のレベルでカチオン性デンプンを含む。本組成物での使用に好適なカチオン性デンプンは、Ｃｅｒｅｓｔａｒから商品名Ｃ＊ＢＯＮＤ（登録商標）で、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａで市販されている。
【０１３３】
ショ糖エステル
非イオン性布地ケア有益剤は、ショ糖エステルを含むことができ、典型的にはショ糖及び脂肪酸から誘導される。ショ糖エステルは、ヒドロキシル基の１つ以上がエステル化されているショ糖部分で構成されている。
【０１３４】
ショ糖は以下の式を有する二糖である。
【０１３５】
【化６】
2017535628.tif 000051
【０１３６】
あるいは、ショ糖分子を式Ｍ（ＯＨ）８（式中、Ｍは二糖主鎖である）によって表すことができ、この分子中には合計８個のヒドロキシル基がある。
【０１３７】
したがって、ショ糖エステルを以下の式によって表すことができる：
Ｍ（ＯＨ）８−ｘ（ＯＣ（Ｏ）Ｒ１）ｘ
（式中、ｘは、エステル化されているヒドロキシル基の数である一方で、（８−ｘ）は、未変化のままであるヒドロキシル基であり；ｘは、１〜８まで、あるいは２〜８、あるいは３〜８、又は４〜８から選択される整数であり；及びＲ１部分は、Ｃ１〜２２アルキル又はＣ１〜Ｃ３０アルコキシから独立して選択され、直鎖状であるか分岐しており、環式であるか非環式であり、置換されているか非置換である。
【０１３８】
一実施形態において、Ｒ１部分は、独立して選択される様々な鎖長を有する直鎖状アルキル又はアルコキシ部分を含む。例えば、Ｒ１は、直鎖の約２０％よりも多くがＣ１８であり、あるいは直鎖の約５０％よりも多くがＣ１８であり、あるいは直鎖の約８０％よりも多くがＣ１８である直鎖状アルキル又はアルコキシ部分の混合物を含むこともある。
【０１３９】
別の実施形態では、Ｒ１部分は、飽和及び不飽和アルキルまたはアルコキシ部分の混合物を含み；不飽和度は、標準ＡＯＣＳ法によって測定されるような「ヨウ素価」（以降「ＩＶ］と呼ぶ）によって測定することができる。本明細書での使用に好適なショ糖エステルのＩＶは、約１〜約１５０、又は約２〜約１００、又は約５〜約８５の範囲である。Ｒ１部分を水素化して、不飽和度を低減させてもよい。より高いＩＶ、例えば、約４０〜約９５、が好ましい場合には、オレイン酸、並びにダイズ油及びキャノーラ油から誘導された脂肪酸が出発物質である。
【０１４０】
更なる実施形態において、不飽和Ｒ１部分は、不飽和部位について「シス」型と「トランス」型の混合物を含み得る。この「シス」／「トランス」比は、次の範囲であり得る：約１：１〜約５０：１、又は約２：１〜約４０：１、又は約３：１〜約３０：１、又は約４：１〜約２０：１。
【０１４１】
分散性ポリオレフィン
一般に、布地ケアの恩恵をもたらすあらゆる分散性ポリオレフィンを本発明において水不溶性布地ケア有益剤として使用することができる。前記ポリオレフィンは、ワックス、エマルジョン、分散液又は懸濁液の形態であることができる。非限定例を以下に記載する。
【０１４２】
一実施形態では、ポリオレフィンは、ポリエチレン、ポリプロピレン、又はそれらの組み合わせから選択される。ポリオレフィンは、カルボキシル、アルキルアミド、スルホン酸又はアミド基のような様々な官能基を含有するように、少なくとも部分的に変性されていることがある。別の実施形態では、ポリオレフィンは少なくとも部分的にカルボキシ変性されており、又は言い換えると、酸化されている。
【０１４３】
配合を容易にするために、分散性ポリオレフィンは、乳化剤の使用により分散されたポリオレフィンの懸濁液又はエマルジョンンとして導入され得る。ポリオレフィン懸濁液又はエマルジョンは、約１重量％〜約６０重量％、あるいは約１０重量％〜約５５重量％、あるいは約２０重量％〜約５０重量％のポリオレフィンを含み得る。ポリオレフィンは、約２０℃〜約１７０℃、あるいは約５０℃〜約１４０℃のワックス滴点（ＡＳＴＭ  Ｄ３９５４−９４、第１５．０４巻−−−「ワックスの滴点のための標準試験方法（Standard Test Method for Dropping Point of Waxes）」参照）を有する。好適なポリエチレンワックスは、Ｈｏｎｅｙｗｅｌｌ（Ａ−Ｃポリエチレン）、Ｃｌａｒｉａｎｔ（Ｖｅｌｕｓｔｒｏｌ（登録商標）エマルジョン）、及びＢＡＳＦ（ＬＵＷＡＸ（登録商標））をはじめとする供給業者から市販されている。
【０１４４】
エマルジョンを分散性ポリオレフィンと併用する場合には、乳化剤は、いずれの好適な乳化剤であってもよい。非限定例としては、アニオン性、カチオン性、非イオン性界面活性剤、又はそれらの組み合わせが挙げられる。しかしながら、ほぼすべて好適な界面活性剤又は懸濁剤を乳化剤として使用してもよい。分散性ポリオレフィンは、乳化剤をポリオレフィンワックスに対して次の比率で使用することによって分散される：約１：１００〜約１：２、あるいは約１：５０〜約１：５、それぞれ。
【０１４５】
ポリマーラテックス
ポリマーラテックスは、１つ以上のモノマー、１つ以上の乳化剤、反応開始剤、及び当業者には馴染みの他の成分類を含む、乳化重合によって製造される。一般に、布地ケアの恩恵をもたらすあらゆるポリマーラテックスを本発明の水不溶性布地ケア有益剤として使用することができる。更なる非限定的な例としては、以下のものなどの、ポリマーラテックスの製造に使用されるモノマーが挙げられる：（１）１００％すなわち純粋なブチルアクリレート；（２）少なくとも２０％（重量モノマー比）のブチルアクリレートを有する、ブチルアクリレートとブタジエンの混合物；（３）ブチルアクリレートと２０％未満（重量比）の他のモノマー（ブタジエンを除く）；（４）Ｃ６より大きいアルキル炭素鎖を有するアクリルアクリレート；（５）Ｃ６より大きいアルキル炭素鎖を有するアクリルアクリレートと、５０％（重量モノマー比）の他のモノマー；（６）上述のモノマー系に加えられる第三のモノマー（重量モノマー比２０％未満）；及び（７）これらの組み合わせ。
【０１４６】
本発明における好適な布地ケア有益剤であるポリマーラテックスは、約−１２０℃〜約１２０℃、あるいは約−８０℃〜約６０℃のガラス転移温度を有するものを包み得る。好適な乳化剤は、アニオン性、カチオン性、非イオン性及び両性の界面活性剤を含む。好適な開始剤は、ポリマーラテックスの乳化重合に好適であるものを含む。ポリマーラテックスの粒径直径（χ５０）は、約１ｎｍ〜約１０μｍ、あるいは約１０ｎｍ〜約１μｍ、好ましくは約１０ｎｍ〜約２０ｎｍであることができる。
【０１４７】
脂肪酸
本発明の一態様は、遊離脂肪酸などの脂肪酸を含む柔軟仕上げ組成物を提供する。用語「脂肪酸」は、本明細書では、脂肪酸の非プロトン化又はプロトン化形態を含むように、最も広い意味で使用しており；別の化学部分に結合している又は結合していない脂肪酸はもちろん、これらの脂肪酸種の組み合わせも含む。脂肪酸がプロトン化されるか、プロトン化されないかが、一部は、水性組成物のｐＨによって決まることは、当業者には容易に理解されるであろう。別の実施形態において、脂肪酸は、その非プロトン化形態、すなわち塩形態であり、カルシウム、マグネシウム、ナトリウム、カリウムなど（しかしこれらに限定されない）の対イオンを伴う。用語「遊離脂肪酸」は、別の化学部分に対して別の化学部分に結合（共有結合又は別様に結合）していない脂肪酸を意味する。
【０１４８】
一実施形態において、脂肪酸は、脂肪部分が約１０〜約２２個、約１２〜約１８個、又は更には約１４（ミッドカット）〜約１８個の炭素原子を含有する、約１２〜約２５個、約１３〜約２２個、又は更には約１６〜２０個の全炭素原子を含有するものを含み得る。
【０１４９】
本発明の脂肪酸は、以下のものに由来し得る：（１）動物脂肪及び／又は部分硬化動物脂肪、例えば牛脂、ラードなど；（２）植物油又は部分硬化植物油、例えば、カノーラ油、ベニバナ油、ピーナッツ油、ヒマワリ油、ゴマ種子油、ナタネ油、綿実油、トウモロコシ油、ダイズ油、トール油、米ぬか油、パーム油、パーム核油、ヤシ油、他の熱帯パーム油、アマニ油、キリ油など；（３）加工油及び／又はスタンド油、例えば、熱、圧力、アルカリ異性体化及び触媒処理によるアマニ油又はキリ油；（４）飽和（例えばステアリン酸）、不飽和（例えばオレイン酸）、多不飽和（例えばリノール酸）、分岐（例えばイソステアリン酸）又は環状のもの（例えば、多不飽和酸の飽和又は不飽和α−二置換シクロペンチル又はシクロヘキシル誘導体）を生じさせるための、上記のものの混合物。
【０１５０】
異なる脂肪源からの脂肪酸の混合物を使用することができる。
【０１５１】
一態様において、本発明の柔軟仕上げ組成物中に存在する脂肪酸の少なくとも大部分、例えば、該組成物中に存在する脂肪酸の総重量の約４０重量％〜１００重量％、好ましくは約５５重量％〜約９９重量％、より好ましくは約６０重量％〜約９８重量％は不飽和であるが、完全飽和の及び部分飽和脂肪酸を使用することもできる。したがって、本発明の組成物の全脂肪酸の多不飽和脂肪酸の総レベル（ＴＰＵ）は、該組成物中に存在する脂肪酸の総重量の約０重量％〜約７５重量％であり得る。
【０１５２】
不飽和脂肪酸のシス／トランス比は重要であり得、シス／トランス比（次のものについて：Ｃ１８：１の物質）は次の通りである：少なくとも約１：１、少なくとも約３：１、約４：１から、又は更には約９：１以上から。
【０１５３】
イソステアリン酸などの分岐脂肪酸は、酸化並びに結果として起こる色及び臭気の質の悪化に対してより安定であ利得るので、好ましい。
【０１５４】
ヨウ素価すなわち「ＩＶ」は、脂肪酸中の不飽和度の測定単位となる。本発明の一実施形態において、脂肪酸は、約１０〜約１４０、約１５〜約１００、又は更には約１５〜約６０のＩＶを有する。
【０１５５】
脂肪酸エステル布地ケア活性物質のもう１つのクラスは、植物油（例えばダイズ、ヒマワリ及びカノーラ）、炭化水素系油（天然及び剛性石油潤滑油、一態様ではポリオレフィン、イソパラフィン及び環状パラフィン）、トリオレイン、脂肪酸エステル、脂肪アルコール、脂肪アミン、脂肪アミド及び脂肪酸エステルアミンを含む（しかしこれらに限定されない）、ソフトニングオイルである。油を脂肪酸柔軟剤、粘土及びシリコーンと併用することができる。
【０１５６】
粘土
本発明の一実施形態において、布地ケア組成物は、布地ケア活性物質として粘土を含み得る。一実施形態において、粘土は柔軟剤であることができ、又は別の柔軟化活性物質、例えばシリコーン、との共柔軟剤であることができる。好適な粘土としては、地質学的にスメクタイトに分類される物質が挙げられる。
【０１５７】
シリコーン
一実施形態において、柔軟仕上げ組成物は、シリコーンを含む。シリコーンの好適なレベルは、組成物の約０．１重量％〜約７０重量％、あるいは約０．３重量％〜約４０重量％、あるいは約０．５重量％〜約３０重量％、あるいは約１重量％〜約２０重量％を含み得る。有用なシリコーンは、任意のシリコーン含有化合物であり得る。一実施形態において、シリコーンポリマーは、環状シリコーン、ポリジメチルシロキサン、アミノシリコーン、カチオン性シリコーン、シリコーンポリエーテル、シリコーン樹脂、シリコーンウレタン及びそれらの混合物からなる群から選択される。一実施形態において、シリコーンは、ポリジアルキルシリコーン、あるいはポリジメチルシリコーン（ポリジメチルシロキサン又は「ＰＤＭＳ」）、又はそれらの誘導体である。別の実施形態において、シリコーンは、アミノ官能性シリコーン、アミノ−ポリエーテルシリコーン、アルキルオキシル化シリコーン、カチオン性シリコーン、エトキシ化シリコーン、プロポキシ化シリコーン、エトキシ化／プロポキシ化シリコーン、第４級シリコーン、又はそれらの組み合わせから選択される。
【０１５８】
別の態様において、シリコーンは、次の式を有するランダム又はブロック状オルガノシリコーンポリマーから選択され得る：
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
（式中、
ｊは、０〜約９８の整数であり、一態様では、ｊは、０〜約４８の整数であり；一態様では、ｊは、０であり；
ｋは、０〜約２００の整数であり、一態様では、ｋは、０〜約５０であり、ｋ＝０のとき、Ｒ１、Ｒ２又はＲ３のうちの少なくとも１つは、−Ｘ−Ｚであり；
ｍは、４〜約５，０００の整数であり、一態様では、ｍは、約１０〜約４，０００の整数であり、別の態様では、ｍは、約５０〜約２，０００の整数であり；
Ｒ１、Ｒ２及びＲ３は、各々独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシからなる群から選択され；
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され；
Ｘは、２〜１２個の炭素原子を含む置換又は非置換二価アルキレンラジカルを含み、一態様では、前記二価アルキレンラジカルの各々は、独立して−（ＣＨ２）ｓ−からなる群から選択され、ｓは約２〜約８、約２〜約４の整数であり；一態様において、前記アルキルシロキサンポリマー中の各Ｘは、以下のものからなる群から選択される置換二価アルキレンラジカルであり：−ＣＨ２−ＣＨ（ＯＨ）−ＣＨ２、−ＣＨ２−ＣＨ２−ＣＨ（ＯＨ）−、及び
【０１５９】
【化７】
2017535628.tif 000052
各Ｚは、
【０１６０】
【化８】
2017535628.tif 000053
からなる群から選択されるが、但し、Ｚがクォートであるとき、Ｑはアミド、イミン又は尿素部分であることができないこと、及びＱが、アミド、イミン又は尿素部分である場合には、前記アミド、イミド又は尿素部分と同じ窒素に結合されているさらなるＱはいずれもＨ又はＣ１〜Ｃ６アルキルでなければならず、一態様では前記さなるＱがＨであることを条件とし；Ｚに関し、Ａｎ−は、好適な電荷平衡アニオンである）。一態様において、Ａｎ−は、Ｃｌ−、Ｂｒ−、Ｉ−、メチルスルフェート、トルエンスルホネート、カルボキシレート及びホスフェートからなる群から選択され；及び前記オルガノシリコーン中少なくとも１つのＱは、独立して、以下のものから選択される：
−ＣＨ２−ＣＨ（ＯＨ）−ＣＨ２−Ｒ５；
【０１６１】
【化９】
2017535628.tif 000054
前記オルガノシリコーン中の更なるＱ各々は、独立して、以下のものから選択される：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−ＣＨ２−ＣＨ（ＯＨ）−ＣＨ２−Ｒ５；
【０１６２】
【化１０】
2017535628.tif 000055
ここで、各Ｒ５は、独立して、以下のものから選択される：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｗ−Ｌ及びシロキシ残基；
各Ｒ６は、独立して、Ｈ、Ｃ１〜Ｃ１８アルキルから選択され；
各Ｌは、独立して、次の物から選択され：−Ｃ（Ｏ）−Ｒ７又は
Ｒ７；
ｗは、０〜約５００の整数であり、一態様では、ｗは、１〜約２００の整数であり、一態様では、ｍは、約１〜約５０の整数であり；
各Ｒ７は、以下のものからなる群から独立して選択され：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシ残基；
各Ｔは、独立して、Ｈ、及び
【０１６３】
【化１１】
2017535628.tif 000056
から選択され；並びに
前記オルガノシリコーンの各ｖは、１〜約１０の整数であり、一態様では、ｖは１〜約５の整数であり、前記オルガノシリコーンの各Ｑの全ての添え字ｖの合計は、１〜約３０、又は１〜約２０、又は更には１〜約１０の整数である）。
【０１６４】
別の態様において、シリコーンは、次の式を有するランダム又はブロック状オルガノシリコーンポリマーから選択され得る：
［Ｒ１Ｒ２Ｒ３ＳｉＯ１／２］（ｊ＋２）［（Ｒ４Ｓｉ（Ｘ−Ｚ）Ｏ２／２］ｋ［Ｒ４Ｒ４ＳｉＯ２／２］ｍ［Ｒ４ＳｉＯ３／２］ｊ
（式中、
ｊは、０〜約９８の整数であり、一態様では、ｊは、０〜約４８の整数であり；一態様では、ｊは、０であり；
ｋは、０〜約２００の整数であり、ｋ＝０のとき、Ｒ１、Ｒ２又はＲ３のうちの少なくとも１つは、−Ｘ−Ｚであり；一態様では、ｋは、０〜約５０の整数であり；
ｍは、４〜約５，０００の整数であり、一態様では、ｍは、約１０〜約４，０００の整数であり、別の態様では、ｍは、約５０〜約２，０００の整数であり；
Ｒ１、Ｒ２及びＲ３は、各々独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシからなる群から選択され；
各Ｒ４は、独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシからなる群から選択され；
各Ｘは、２〜１２個の炭素原子を含む置換又は非置換二価アルキレンラジカルを含み、一態様において、各Ｘは、独立して、以下のものからなる群から選択され：−（ＣＨ２）ｓ−Ｏ−；−ＣＨ２−ＣＨ（ＯＨ）−ＣＨ２−Ｏ−；
【０１６５】
【化１２】
2017535628.tif 000057
ここで、各ｓは、約２〜約８の整数であり、一態様では、ｓは、約２〜約４の整数であり；
前記オルガノシロキサン中の少なくとも１つのＺは、以下のものからなる群から選択され：Ｒ５；
【０１６６】
【化１３】
2017535628.tif 000058
但し、Ｘが
【０１６７】
【化１４】
2017535628.tif 000059
であるときには、Ｘ＝−ＯＲ５又は
【０１６８】
【化１５】
2017535628.tif 000060
であることを条件とし；
ここで、Ａ−は、好適な電荷平衡アニオンである）。一態様において、Ａ−は、以下のものからなる群から選択される：Ｃｌ−、Ｂｒ−、
Ｉ−、メチルスルフェート、トルエンスルホネート、カルボキシレート及びホスフェート、そして
前記オルガノシリコーン中の更なるＺ各々は、独立して、以下のものから選択される：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ５、
【０１６９】
【化１６】
2017535628.tif 000061
但し、Ｘが
【０１７０】
【化１７】
2017535628.tif 000062
であるときには、Ｚ＝−ＯＲ５又は
【０１７１】
【化１８】
2017535628.tif 000063
であることを条件とし；
各Ｒ５は、独立して、以下のものからなる群から選択され：Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、又はＣ６〜Ｃ３２アルキルアリール、又はＣ６〜Ｃ３２置換アルキルアリール、
−（ＣＨＲ６−ＣＨＲ６−Ｏ−）ｗ−ＣＨＲ６−ＣＨＲ６−Ｌ及びシロキシ残基；ここで、各Ｌは、独立して、以下のものからなる群から選択され：−Ｃ（Ｏ）−Ｒ７又は−Ｏ−Ｒ７、
【０１７２】
【化１９】
2017535628.tif 000064
ｗは０〜約５００の整数であり、一態様では、ｗは０〜約２００の整数であり、一態様では、ｗは０〜約５０の整数であり、
各Ｒ６は、独立して、Ｈ又はＣ１〜Ｃ１８アルキルから選択され；
各Ｒ７は、独立して、以下のものからなる群から選択され：Ｈ；Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリール、並びにシロキシル残基；
各Ｔは、独立して、以下のものから選択され：Ｈ；
【０１７３】
【化２０】
2017535628.tif 000065
前記オルガノシリコーンの各ｖは、１〜約１０の整数であり、一態様では、ｖは１〜約５の整数であり、前記オルガノシリコーンの各Ｚの全ての添え字ｖの合計は、１〜約３０、又は１〜約２０、又は更には１〜約１０の整数である）。
【０１７４】
一実施形態でにおいて、シリコーンは比較的大きな分子量を有するものである。シリコーンの分子量を記述するための好適な方法としては、その粘度の記述が挙げられる。高分子量シリコーンは、約１０ｃＳｔ〜約３，０００，０００ｃＳｔ、又は約１００ｃＳｔ〜約１，０００，０００ｃＳｔ、又は約１，０００ｃＳｔ〜約６００，０００ｃＳｔ、又は更には約６，０００ｃＳｔ〜約３００，０００ｃＳｔの粘度を有するものである。
【０１７５】
一実施形態において、シリコーンは、下記式を有するブロック状カチオン性オルガノポリシロキサンを含む：
ＭｗＤｘＴｙＱｚ
［式中、
Ｍ＝［ＳｉＲ１Ｒ２Ｒ３Ｏ１／２］、［ＳｉＲ１Ｒ２Ｇ１Ｏ１／２］、［ＳｉＲ１Ｇ１Ｇ２Ｏ１／２］、［ＳｉＧ１Ｇ２Ｇ３Ｏ１／２］、又はこれらの組み合わせ；
Ｄ＝［ＳｉＲ１Ｒ２Ｏ２／２］、［ＳｉＲ１Ｇ１Ｏ２／２］、［ＳｉＧ１Ｇ２Ｏ２／２］、及びこれらの組み合わせ；
Ｔ＝［ＳｉＲ１Ｏ３／２］、［ＳｉＧ１Ｏ３／２］、及びこれらの組み合わせ；
Ｑ＝［ＳｉＯ４／２］；
ｗ＝１〜（２＋ｙ＋２ｚ）の整数であり；
ｘ＝５〜１５，０００の整数であり；
ｙ＝０〜９８の整数であり；
ｚ＝０〜９８の整数であり；
Ｒ１、Ｒ２及びＲ３は、各々独立して、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、Ｃ１〜Ｃ３２アルキルアミノ、並びにＣ１〜Ｃ３２置換アルキルアミノからなる群から選択され；
Ｍ、Ｄ又はＴの少なくとも１つは、少なくとも１つのＧ１、Ｇ２又はＧ３部分を組み込んでおり；並びにＧ１、Ｇ２又はＧ３は、各々独立して、下記式から選択される：
【０１７６】
【化２１】
2017535628.tif 000066
（この式中、
Ｘは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルを含むが、但し、Ｘが、繰り返しアルキレンオキシド部分を含まない場合には、Ｘは、Ｐ、Ｎ及びＯからなる群から選択されるヘテロ原子を更に含むことができることを条件とし；
各Ｒ４は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリールからなる群から選択される、同一の又は異なる一価ラジカルを含み；
Ｅは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価ラジカルをふくむが、但し、Ｅが、繰り返しアルキレンオキシド部分を含まない場合には、Ｅは、Ｐ、Ｎ及びＯからなる群から選択されるヘテロ原子を更に含むことができることを条件とし；
Ｘは、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択されるが、但し、Ｘが、繰り返しアルキレンオキシド部分を含まない場合には、Ｘは、Ｐ、Ｎ及びＯからなる群から選択されるヘテロ原子をさらに含むことができることを条件とし；
ｐは、１〜５０から独立して選択される整数であり；
ｎは、１又は２から独立して選択される整数である）；
Ｇ１、Ｇ２又はＧ３のうちの少なくとも１つが、正電荷を有するとき、Ａ−ｔは、好適な電荷平衡アニオン（単数又は複数）であり、したがって、電荷平衡アニオン（単数又は複数）の全電荷であるｋは、Ｇ１、Ｇ２又はＧ３部分の正味電荷と大きさが等しく、かつ符号が反対であり；ｔは、１、２又は３から独立して選択される整数であり、及びｋ≦（ｐ＊２／ｔ）＋１、したがって、カチオン電荷の総数は、オルガノポリシロキサン分子中のアニオン電荷の総数と釣り合い；
並びに少なくとも１つのＥは、エチレン部分を含まない）。
【０１７７】
使用方法
本発明の組成物は、任意の従来の方法で使用することができるだろう。要するに、前記組成物は、従来の方法及びプロセスによって設計及び製造される製品と同じように使用することができるだろう。例えば、本発明の組成物を使用して、場所、とりわけ表面又は布地を処理することができる。典型的には、前記場所の少なくとも一部を、未希釈の形態の又は洗液で希釈された本出願人の組成物の態様と接触させ、次いで、前記部位を、場合により洗う、及び／又はすすぐ。本発明では、洗うことは、こすり洗い及び機械的撹拌を含むが、これらに限定されない。布地は、通常の消費者の使用条件で洗濯することがきる任意の布地を含み得る。洗浄溶剤が水であるとき、水温は、典型的には、約５℃〜約９０℃であり、場所が布地を含むとき、水対布地比は、典型的には次の通りである：約１：１〜約１００：１。
【０１７８】
本発明の洗浄及び／又は処理組成物を液体布地強化剤として使用してもよく、その場合、前記組成物を布地に塗布し、その後、その布地を吊り干し乾燥及び／又は自動乾燥機での乾燥によって乾燥する。
【０１７９】
一態様において、悪臭を含む場所、及び／又は悪臭を放つことになる場所を本出願の洗浄及び／又は処理組成物及びそれらの混合物からなる群から選択される洗浄及び／又は処理組成物と接触させる工程を含む、悪臭抑制方法を開示する。
【０１８０】
本出願の方法の一態様において、前記場所は布地を含み、前記接触工程は、悪臭低減物質少なくとも０．００２５ｍｇ／布地１ｋｇ、好ましくは、悪臭低減物質約０．００２５ｍｇ／布地１ｋｇ〜悪臭低減物質約５０ｍｇ／布地１ｋｇ、より好ましくは悪臭低減物質約０．２５ｍｇ／布地１ｋｇ〜悪臭低減物質２５ｍｇ／布地１ｋｇ、最も好ましくは悪臭低減物質０．５／布地１ｋｇ〜悪臭低減物質１０ｍｇ／布地１ｋｇのレベルの前記悪臭低減物質全体を前記布地に供給するのに十分な量の本出願人の洗浄及び／又は処理組成物と前記布地を接触させることを含む。
【０１８１】
試験方法
悪臭低減物質は、消費者製品などの完成品を含む（しかしこれらに限定されない）混合物から、ＧＣ−ＭＳ及び／又はＮＭＲを含む分析方法によって分離され得る。
【０１８２】
粘度試験方法
粘度は、ＴＡ  ｉｎｓｔｒｕｍｅｎｔｓ（ニューキャッスル、デラウェア州、米国）のＡＲ  ５５０レオメーター／粘度計を使用し、直径４０ｍｍ及び５００μｍの間隙サイズの平行鋼板を使用して測定する。２０ｓ−１での高剪断粘度を、２１℃での３分間の０．１ｓ−１〜２５ｓ−１の対数剪断速度掃引から得る。
【０１８３】
飽和蒸気圧（ＶＰ）を決定するための試験方法
試験する香料混合物各々について飽和蒸気圧（ＶＰ）値をコンピュータで計算する。Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（トロント、カナダ）から入手可能なＶＰ  Ｃｏｍｐｕｔａｔｉｏｎａｌ  Ｍｏｄｅｌ、バージョン１４．０２（Ｌｉｎｕｘ）を使用して個々のＰＲＭのＶＰを計算して、単位ｋＰａ（トル）で表される２５℃でのＶＰ値を得る。ＡＣＤ／ＬａｂｓのＶａｐｏｒ  Ｐｒｅｓｓｕｒｅモデルは、ＡＣＤ／Ｌａｂｓモデルスイートの一部である。
【０１８４】
オクタノール／水分配係数の対数（ｌｏｇＰ）を決定するための試験方法
試験する香料混合物中の各ＰＲＭについて、オクタノール／水分配係数のｌｏｇ（ｌｏｇＰ）値をコンピュータで計算する。Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（トロント、カナダ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ）を使用して個々のＰＲＭのｌｏｇＰを計算して、無単位ｌｏｇＰ値を得る。ＡＣＤ／ＬａｂｓのＣｏｎｓｓｅｎｓｕｓ  ｌｏｇＰ  Ｃｏｍｐｕｔａｔｉｏｎａｌ  Ｍｏｄｅｌは、ＡＣＤ／Ｌａｂｓモデルスイートの一部である。
【０１８５】
分子記述子生成の試験方法
本明細書に記載するコンピュータ計算値に要する計算を行うために必要な初期情報としては、試験する香料中の各ＰＲＭの正体、重量パーセント及びモルパーセントが挙げられ、香料組成物中のすべてのＰＲＭを計算に含める。加えて、本明細書に記載する分子記述生成の試験方法に従って決定する場合、これらのＰＲＭ各々についての分子構造及びさまざまなコンピュータ導出分子記述の値も必要である。
【０１８６】
香料混合物又は組成物中の各ＰＲＭについて、その分子構造を使用して様々な分子記述子をコンピュータ計算する。分子構造は、アメリカ化学会（Ａｍｅｒｉｃａ  Ｃｈｅｍｉｃａｌ  Ｓｏｃｉｅｔｙ）（コロンバス、オハイオ州、米国）の一部門であるＣｈｅｍｉｃａｌ  Ａｂｓｔｒａｃｔ  Ｓｅｒｖｉｃｅ（「ＣＡＳ」）によって提供されている分子構造グラフィック表現によって決定する。これらの分子構造は、ＣＡＳ  Ｃｈｅｍｉｃａｌ  Ｒｅｇｉｓｔｒｙ  Ｓｙｔｅｍデータベースから、各ＰＲＭの索引名又はＣＡＳ番号を調べることによって得ることができるだろう。試験時にＣＡＳ  Ｃｈｅｍｉｃａｌ  Ｒｅｇｉｓｔｒｙ  Ｓｙｔｅｍデータベースにまだ収載されていないＰＲＭについては、他のデータベース又は情報源を使用してそれらの構造を決定してもよい。１つより多くの異性体が存在する可能性があるＰＲＭについての分子記述子コンピュータ計算は、そのＰＲＭを代表するために選択される、それらの異性体のうちの１つだけの分子構造を使用して行う。異性体の選択は、異性体の分子構造中の相対伸長量によって決定する。所与のＰＲＭのすべての異性体のうち、その異性体は最も多くみられる分子構造の異性体であり、そのＰＲＭを代表するために選択されるものである。そのＰＲＭについての他の可能性のある異性体の構造は、コンピュータ計算から除外する。最も多く見られる異性体の分子構造をそのＰＲＭの濃度と組み合わせ、前記濃度は、存在するそのＰＲＭのすべての異性体の存在を反映するものである。
【０１８７】
分子エディター又は分子スケッチスフとウェアプログラム、例えば、ＣｈｅｍＤｒａｗ（ＣａｍｂｒｉｄｇｅＳｏｆｔ／ＰｅｒｋｉｎＥｌｍｅｒ  Ｉｎｃ．、ウォルサム、マサチューセッツ州、米国）を使用して、各ＰＲＭを表す２次元分子構造を複製する。切断された断片のない天然種（第四級窒素原子を許容する）（例えば、対イオンのない単一構造）として分子構造を表すべきである。下で説明するｗｉｎＭｏｌｃｏｎｎプログラムは、適切な数の水素原子を加えることによって一切の脱プロトン化官能基を天然形態に変換することができ、対イオンを捨てることになる。
【０１８８】
各ＰＲＭについて、分子スケッチソフトウェアを使用して、ＰＲＭの分子構造を記述するファイルを生成する。ＰＲＭの分子構造を記述するファイル（単数又は複数）を、その後、コンピュータソフトウェアプログラムｗｉｎＭｏｌｃｏｎｎ、バージョン１．０．１．３（Ｈａｌｌ  Ａｓｓｏｃｉａｔｅｓ  Ｃｏｎｓｕｌｔｉｎｇ、クインシー、マサチューセッツ州、米国、ｗｗｗ．ｍｏｌｃｏｎｎ．ｃｏｍ）に付して、各ＰＲＭについての様々な分子記述子を導出する。したがって、構造表記法及びファイル形式を決定するｗｉｎＭｏｌｃｏｎｎソフトウェアプログラムは、許容可能な選択肢である。これらの選択肢は、次のいずれかを含む：ｍＡＣＣＳ  ＳＤＦフォーマットファイル（すなわち、構造データファイル）；又は「．ｓｍｉ」若しくは「．ｔｘｔ」ファイル名拡張子を有することが多い、単純テキストファイル内で一般に使用されるＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわちＳＭＩＬＥＳ文字列・構造線形表記法）。ＳＤＦファイルは、マルチラインレコード形式で各分子構造を表し、その一方でＳＭＩＬＥＳ構造のためのｓｙｎｔａｘは、余白のないテキストのシングルラインである。構造名及び識別子を、同じ行のＳＭＩＬＥＳ文字列の後にスペースによって隔てて含めることによって、ＳＭＩＬＥＳ文字列に加えることができる、例えば、Ｃ１＝ＣＣ＝ＣＣ＝Ｃ１ベンゼン。
【０１８９】
ｗｉｎＭｏｌｃｏｎｎソフトウェアプログラムを使用して、各ＰＲＭについての非常に多くの分子記述子を生成し、その後、表形式でアウトプットする。ｗｉｎＭｏｌｃｏｎｎによって導出された具体的な分子記述子を、その後、様々なコンピュータモデル試験方法のためのインプットとして（すなわち、数学的方程式の可変項として）使用して、次のものなどの値を計算する：飽和蒸気圧（ＶＰ）；沸点（ＢＰ）；オクタノール／水分配係数の対数（ｌｏｐＰ）；臭気検出閾値（ＯＤＴ）；悪臭低減値（ＭＯＲＶ）；及び／又は普遍的（Universal）悪臭低減値（普遍ＭＯＲＶ）、各ＰＲＭについて。前記モデルの試験方法コンピュータ計算に使用する分子記述子ラベルは、ｗｉｎＭｏｌｃｏｎｎプログラムによって報告されるものと同じラベルであり、ｗｉｎＭｏｌｃｏｎｎ付随資料において収載されているそれらの記述子及び定義を見つけることができる。以下は、ｗｉｎＭｏｌｃｏｎｎソフトウェアプログラムを実行し、組成物中の各ＰＲＭについての必要分子構造記述子を生成する方法の一般的説明である。
【０１９０】
ｗｉｎＭｏｌｃｏｎｎを使用する分子構造記述子のコンピュータ計算：
１）ＳＤＦファイルとも呼ばれるＭＡＣＣＳ構造データファイル、又はＳＭＩＬＥＳファイル、の形態で１つ以上の香料成分についての分子構造を組み立てる。
２）適切なコンピュータで動作する、ｗｉｎＭｏｌｃｏｎｎプログラムのバージョン１．０．１．３を使用し、インプットとして上記ＳＤＦ又はＳＭＩＬＥＳファイルを使用して、前記プログラムから入手可能である分子構造記述子全部をコンピュータ計算する。
ａ．ｗｉｎＭｏｌｃｏｎｎのアウトプットは、ＡＳＣＩＩテキストファイルの形であり、典型的に、スペースで区切られ、インプットファイル内の各構造についての構造識別子を第１カラムに及びそれぞれの分子記述子を残りのカラムに有する。
３）表計算ソフトウェアプログラム又は何らかの他の適切な技術を用いてテキストファイルを解析してカラムにする。分子記述子ラベルは、得られる表の第１列で見つけられる。
４）各モデルについて要求されるインプットに対応する、分子記述子ラベルによって識別された、記述子カラムを見つけ、抽出する。
ａ．ｗｉｎＭｏｌｃｏｎｎ分子記述子ラベルは、大文字小文字の区別があることに留意されたい。
【０１９１】
ＭＯＲＶ及び普遍的（Universal）ＭＯＲＶ計算
１．）上記方法によって決定した分子記述子の値を以下の４つの方程式にインプットする：
ａ）ＭＯＲＶ＝−８．５０９６＋２．８５９７×（ｄｘｐ９）＋１．１２５３×（ｋｎｏｔｐｖ）−０．３４４８４×（ｅ１Ｃ２Ｏ２）−０．０００４６２３１×（ｉｄｗ）＋３．３５０９×（ｉｄｃｂａｒ）＋０．１１１５８×（ｎ２ｐａｇ２２）
ｂ）ＭＯＲＶ＝−５．２９１７＋２．１７４１×（ｄｘｖｐ５）−２．６５９５×（ｄｘｖｐ８）＋０．４５２９７×（ｅ１Ｃ２Ｃ２ｄ）−０．６２０２×（ｃ１Ｃ２Ｏ２）＋１．３５４２×（ＣｄＣＨ２）＋０．６８１０５×（ＣａａｓＣ）＋１．７１２９×（ｉｄｃｂａｒ）
ｃ）ＭＯＲＶ＝−０．００３５＋０．８０２８×（ＳＨＣｓａｔｕ）＋２．１６７３×（ｘｖｐ７）−１．３５０７×（ｃ１Ｃ１Ｃ３ｄ）＋０．６１４９６×（ｃ１Ｃ１Ｏ２）＋０．００４０３×（ｉｄｃ）−０．２３２８６×（ｎｄ２）
ｄ）ＭＯＲＶ＝−０．９９２６−０．０３８８２×（ＳｄＯ）＋０．１８６９×（Ｓｓｐ３ＯＨ）＋２．１８４７×（ｘｐ７）＋０．３４３４４×（ｅ１Ｃ３Ｏ２）−０．４５７６７×（ｃ１Ｃ２Ｃ３）＋０．７６８４×（ＣＫｅｔｏｎｅ）
方程式ａ）は、悪臭トランス−３−メチル−２−ヘキサン酸（カルボン酸系悪臭）を低減させる点での物質の有効性に関係する
方程式ｂ）は、悪臭トリメチルアミン（アミン系悪臭）を低減させる点での物質の有効性に関係する
方程式ｃ）は、悪臭トランス３−メルカプト−３−メチルヘキサン−１−オール（チオール系悪臭）を低減させる点での物質の有効性に関係する
方程式ｄ）は、悪臭スカトール（インドール系悪臭）を低減させる点での物質の有効性に関係する
２．）本出願では、物質のＭＯＲＶは、方程式１．）ａ）から１．）ｄ）までの最高ＭＯＲＶ値である。
３．）上記方程式１．）ａ）から１．）ｄ）までのすべてのＭＯＲＶ値が０．５より大きい場合、その対象物質は普遍的（Universal）ＭＯＲＶを有する。
【０１９２】
悪臭低減化合物の芳香忠実度指数（ＦＦＩ）及びブロッカー指数（ＢＩ）を割り当てるための方法
本発明の洗浄及び／又は処理組成物での使用に好適なブロッカー物質を、芳香の知覚に干渉せずに悪臭を減少させる能力により選択する。材料選択は、２つの参照スケールから試験試料物質に２つの指数を割り当てて臭気強度をランク付けする。前記２つの参照スケールが芳香忠実度指数（ＦＦＩ）スケール及びブロッカー指数（ＢＩ）スケールである。ＦＦＩは、干渉の原因となり得る知覚可能な臭気をもたらす試験試料物質の能力を別の芳香と比較してランク付けし、ＢＩは、悪臭知覚を低減させる試験試料物質の能力をランク付けする。ＦＦＩ及びＢＩ参照スケールを用いて試験試料に指数を割り当てる２つの方法を下に与える。
【０１９３】
試験試料にＦＦＩを割り当てる方法
ＦＦＩ参照スケールを用いて試験試料にＦＦＩを割り当てる方法の第１のステップは、ＦＦＩ参照スワッチの作成である。スケール用のスワッチは、清浄な生地スワッチを既知濃度のエチルバニリン溶液の既知量で処理することによって作成する。この試験用の生地スワッチは、ＰＣ５０／５０として注文した、ＥＭＣからの白色ニットポリコットン（１０センチメートル×１０センチメートル（４インチ×４インチ））スワッチである。スワッチを先ずストリッッピングするように供給業者に指示し、このストリッピングは無香洗剤で２回洗って３回すすぐことを含む。
【０１９４】
ＦＦＩ参照スワッチの作製
希釈剤として５０％／５０％ＥｔＯＨ／水を次の濃度で使用して、３つのエチレンバニリン溶液を作製する：２５ｐｐｍ、１２０ｐｐｍ及び１０００ｐｐｍ。３つの溶液各々１３μＬを清浄なスワッチの中央部にピペットで加えて、スワッチの中央部の直径約１ｃｍの溶液を得る。これは、スワッチにピペットで加えた溶液の濃度に基づいて３つの異なる臭気レベルを有する３つのスワッチの感覚スケールを作ることになる。排気フードで３０分間乾燥させた後、スワッチをアルミニウムホイルで包んで、処理済みスワッチに対する臭気汚染を防止する。清浄な未処理スワッチも、ＦＦＩスケールの臭気強度の参照の最低アンカー点として含める。前記ＦＦＩ参照スケールスワッチを０．５〜１２時間以内に使用して１２時間後には廃棄すべきである。前記スワッチを、採点者が試験試料（単数又は複数）を評価するときにスケールアンカー点として使用し、表７に示すように芳香忠実度指数（ＦＦＩ）を割り当てる。
【０１９５】
少なくとも４名の調香師／熟練採点者を用いて、ＦＦＩスケールでエチルバニリンスワッチをランク付けする。調香師／熟練採点者は、前記スケールでの適切な区別を明示する必要がある。調香師／熟練パネルに、０〜３の間のスケールに従って注文スワッチをランク付けするように頼む。前記パネルは、表７に見られるようなスワッチ間の統計学的差異を明示しなければならない。
【０１９６】
【表９】
2017535628.tif 000067
【０１９７】
熟練採点者は、４つのスワッチに対して２．５の全範囲を明示して、許容可能に判別していなければならない。表１の採点者２は、２の範囲しか有さず、パネルから外される。熟練採点者のパネルは、このスケールでスワッチを統計学的に判別する能力も明示しなければならない。
【０１９８】
【表１０】
2017535628.tif 000068
【０１９９】
参照スワッチはＦＦＩ参照スケールに基づき０、１、２及び３ＦＦＩを示す、表９。熟練エキスパートは、０（最低臭気強度）で始まり３（最高臭気強度）で終わるＦＦＩ参照スワッチに基づく臭気の強度に、それぞれのものを嗅ぐことによって、自分達自身を慣れさせるべきである。これを試験試料物質処理スワッチの評価前に行うべきである。
【０２００】
【表１１】
2017535628.tif 000069
【０２０１】
試験物質で処理したスワッチの作製
清浄なスワッチを１３μＬの既知濃度の試験試料物質で処理して、清浄なスワッチ上の約ｃｍの溶液を得る。参照スワッチと同様に、試験試料物質スワッチを排気フードで３０分間乾燥させ、次いでアルミニウムホイルで包んで汚染を防止する。試験物質スワッチ及びＦＦＩ参照スワッチを互に２時間以内に作製すべきである。試験物質スワッチは、０．５〜１２時間以内に使用して１２時間後には廃棄しなければならない。
【０２０２】
試験物質へのＦＦＩの割り当て
少なくとも２名の調香師／熟練採点者を用いて、ＦＦＩグレードを試験試料に割り当てる。調香師／熟練採点者は、試験試料を生地にピペットで加えた領域の中央に鼻がくるように鼻から２．５４センチメートル（１インチ）に試験試料スワッチを保持することによって試験試料スワッチの匂いを嗅ぎ、その後、ＦＦＩ参照スケールアンカースワッチを参照として使用して試験試料にＦＦＩグレードを割り当てる。表９に示すＦＦＩスケールの番号の又は番号間のＦＦＩグレードを試験試料スワッチに割り当てる。試験試料物質が３より大きいグレードである場合、その試験物質はブロッカー物質ではないか、又はその物質の濃度を低下させ、再評価して、より低いレベルが悪臭ブロッカー機能性を有するかどうかを判定する必要がある。
【０２０３】
試験試料にＢＩを割り当てる方法
ＢＩ参照スケールを用いて試験試料物質にＢＩを割り当てる方法の第１のステップは、ＢＩ参照スワッチの作成である。スケール用のスワッチは、清浄な生地スワッチを既知濃度のイソ吉草酸溶液の既知量で処理することによって作成する。この試験用の生地スワッチは、ＰＣ５０／５０として注文した、ＥＭＣからの白色ニットポリコットン（１０センチメートル×１０センチメートル（４インチ×４インチ））スワッチである。スワッチを先ずストリッッピングするように供給業者に指示し、このストリッピングは無香洗剤で２回洗って３回すすぐことを含む。
【０２０４】
ＢＩ参照スワッチの作製
５０％／５０％ＥｔＯＨ／水を希釈剤として使用して０．０８％イソ吉草酸の溶液を作製する。ＢＩスケールは、悪臭を適用していない１つの清浄なスワッチを含む。３つの他のスワッチ各々に異なる体積の０．０８％イソ吉草酸を適用する。２μＬの０．０８％イソ吉草酸溶液を１つの清浄なスワッチに、５μＬの０．０８％イソ吉草酸溶液を次のスワッチに、そして２０μＬのイソ吉草酸を最後の清浄スワッチにピペットで加える。コレラの溶液は、スワッチの中央にピペットで加える。これは、スワッチにピペットで加えた０．０８％イソ吉草酸溶液の体積に基づいて３つの異なる臭気レベルを有する３つのスワッチの感覚スケールを作ることになる。排気フードで３０分間乾燥させた後、スワッチをアルミニウムホイルで包んで、処理済みスワッチに対する臭気汚染を防止する。清浄な未処理スワッチも、ＢＩスケールの悪臭強度の参照の最低アンカー点として含める。前記ＢＩ参照スケールスワッチを０．５〜１２時間以内に使用して１２時間後には廃棄すべきである。前記スワッチを、採点者が試験試料（単数又は複数）を評価するときにスケールアンカー点として使用し、表１２に示すようにブロッカー指数（ＢＩ）を割り当てる。
【０２０５】
少なくとも４名の調香師／熟練採点者を用いて、ＢＩスケールでイソ吉草酸スワッチをランク付けする。調香師／熟練採点者は、前記スケールでの適切な区別を明示する必要がある。調香師／熟練採点者に、０〜３の間のスケールに従って注文スワッチをランク付けするように頼む。採点者パネルは、表１０に見られるようなスワッチ間の統計学的差異を明示しなければならない。
【０２０６】
【表１２】
2017535628.tif 000070
【０２０７】
熟練採点者は、４つのスワッチに対して２．５の全範囲を明示して、許容可能に判別していなければならない。熟練採点者のパネルは、このスケールでスワッチを統計学的に判別する能力も明示しなければならない。熟練採点者＃２はスワッチを判別する能力を明示しなかった。熟練採点者＃２をパネルから外す、表１１参照。
【０２０８】
【表１３】
2017535628.tif 000071
【０２０９】
参照スワッチはＢＩ参照スケールに基づき０、１、２及び３ＢＩを示す、表１２。熟練エキスパートは、０（最低臭気強度）で始まり３（最高臭気強度）で終わるＦＦＩ参照スワッチに基づく臭気の強度に、それぞれのものを嗅ぐことによって、自分達を慣れさせるべきである。これは、試験物質で処理されたスワッチの評価前に行うべきである。
【０２１０】
【表１４】
2017535628.tif 000072
【０２１１】
悪臭を放つスワッチの作製及び試験物質でのその処理
ＢＩを評価するために、悪臭を放つスワッチに試験物質を適用して、試験物質が悪臭をどの程度よく遮断するか判定する。悪臭を放つスワッチは、清浄なスワッチを２０マイクロＬの０．０８％イソ吉草酸溶液で処理することによって作製する。イソ吉草酸で処理した悪臭を放つスワッチを排気フードで３０分間乾燥させる。悪臭を放つスワッチを乾燥させた後、１ｐｐｍ〜１００ｐｐｍの間の既知濃度の試験物質溶液をその悪臭を放つスワッチにピペットで加える。イソ吉草酸溶液を適用したスポットの上に試験物質溶液を適用して、直径約１ｃｍのスポットを作る。ＢＩ参照スワッチと同様に、イソ吉草酸＋試験物質スワッチを排気フードで３０分間乾燥させ、次いでアルミニウムホイルで包んで汚染を防止する。イソ吉草酸＋試験物質スワッチ及びＢＩ参照スワッチを互に２時間以内に作製すべきである。イソ吉草酸＋試験物質スワッチを参照スワッチと同様に１〜１２時間以内に使用しなければならない。ＢＩを判定するために約１ｐｐｍ〜約１００ｐｐｍの間のいくつかのレベルの試験物質を評価する必要があることもある。
【０２１２】
試験物質へのＢＩの割り当て
少なくとも２名の調香師／熟練採点者を用いて、ＢＩグレードを試験試料に割り当てる。調香師／熟練採点者は、試験試料を生地にピペットで加えた領域の中央に鼻がくるように鼻から２．５４センチメートル（１インチ）にイソ吉草酸＋試験物質スワッチを保持することによってイソ吉草酸＋試験物質スワッチの匂いを嗅ぎ、その後、その臭気強度の、ＢＩ参照スケールのスワッチの臭気強度に対するランク付けに基づいて、イソ吉草酸＋試験物質スワッチにＢＩを割り当てる。表に示すＦＦＩスケールの番号の又は番号間のＦＦＩグレードを試験試料スワッチに割り当てる。イソ吉草酸＋試験物質スワッチの臭気がＢＩ参照スケールで３より大きい場合、これは、その物質がブロッカーでないこと、または試験物質の濃度を低下させてそのブロッカー機能性を達成する必要があることを示す。
【０２１３】
【表１５】
2017535628.tif 000073
【０２１４】
より低レベルで改善された性能を有する悪臭抑制化合物
下記は、悪臭抑制化合物がより低濃度で改善された悪臭抑制をもたらす好ましい挙動の、いくつかの非限定的な例である。これらの非限定的データは、悪臭が隠蔽されるのではなく遮断されている更なる説得力のあるデータを提供するものである。
【０２１５】
【表１６】
2017535628.tif 000074
【０２１６】
より低レベルの悪臭低減化合物の評価
下記例は、悪臭抑制化合物がより高濃度では臭気遮断（ＢＩ＞２．５）を明示できないとき、それをより低濃度で再試験して合格するかどうかを判定すべきであることを明示する。
【０２１７】
【表１７】
2017535628.tif 000075
【実施例】
【０２１８】
実施例１  悪臭低減化合物を含む組成物。
本発明におけるブレンドは、製品組成物のより高い％で臭覚によって容易に気づくことができるようになる前に有用であるので、より強力な悪臭低減が可能である。下記は、悪臭低減化合物の非限定的な例である。
【０２１９】
【表１８】
2017535628.tif 000076
【０２２０】
実施例２  悪臭低減化合物を含む組成物。
【０２２１】
【表１９】
2017535628.tif 000077
【０２２２】
実施例３  悪臭低減組成物。
【０２２３】
【表２０】
2017535628.tif 000078
【０２２４】
実施例４  香料及び悪臭抑制剤を伴う液体組成物
極簡単な洗浄のための液体組成物又は洗濯プロセスへの添加剤の例を、実施例３で示した組成物に従って悪臭低減組成物を用いて調製する。
【０２２５】
【表２１】
2017535628.tif 000079
１．Ｃ８〜Ｃ１８の間、好ましくはＣ１２〜Ｃ１６及びそれらの混合物のアルキル鎖長と３〜１２子、好ましくは５〜９個のエトキシレート基を有する、アルキルエトキシレート。
２．Ｃｒｅｍｏｐｈｏｒ、Ｂａｓｏｐｈｏｒ、Ｓｐａｎｓ及びＴｗｅｅｎなどを含む、乳化剤品種。
３．ＰＭＣは、Ａｐｐｖｉｏｎ−Ｅｎｃａｐｓｙｓからの尿素−ホルムアルデヒドシェルを備えた脆性ＰＭＣである。ＰＭＣ（カプセル化香料を含む）の約５０重量％の水が想定される。
４．カプセル化香料（ＰＭＣ内のもの）は、約３２％活性と想定する。
【０２２６】
実施例５  液体洗剤組成物。
ＨＤＬ−強力液体組成物を、下に示す組成物に従って悪臭低減組成物を用いて調製する。例示スペースは、濃縮洗剤製品対して薄いことを表すためのものである。
【０２２７】
【表２２】
2017535628.tif 000080
１．典型的に、アルキル基は、約１２〜約１８個の炭素及び０〜約３個のエトキシレート基を有する。
２．典型的に、アルキル基は、約１０〜約１６個の炭素を有する。
３．ＨＳＡＳは、酸性形態の第二級アルキルスルフェートである。
４．約１２〜約１８個の炭素及び約５〜約９モルのエトキシ化を有するアルキルエトキシレート。
５．約２０ｍｏｌのエチレンオキシドと反応した分子量約６００のポリエチレンイミン。
６．約２４ｍｏｌのエチレンオキシド及び約１６モルのプロピレンオキシドと反応した分子量約６００のポリエチレンイミン。
７．次のものの１つ以上から蛍光増白剤を選択する：Ｂｒｉｇｈｔｅｒｎｅｒ  １４、Ｂｒｉｇｈｔｅｒｎｅｒ  ３６、Ｂｒｉｇｈｔｅｒｎｅｒ  ４９。
８．次の非限定的リストの１つ又は組み合わせからキレート剤を選択する：ジエチレントリアミン五酢酸であるＤＴＰＡ、４，５−ジヒドロ−１，３−ベンゼンジスルホン酸二ナトリウム一水和物であるＴｒｉｏｎ（登録商標）、エチレンジアミン四酢酸であるＥＤＴＡ、１−ヒドロキシエチリデン−１，１−ジホスホン酸であるＨＥＤＰ、１−ヒドロキシ−４−メチル−６−（２，４，４−トリメチルペンチル）−２（１Ｈ）−ピリドンエタノールアミンであるＯｃｔａｐｉｒｏｘ、エチレンジアミン−Ｎ，Ｎ−二コハク酸であるＥＤＤＳ。
９．スラリー状態のカプセル化香料及びカプセル化悪臭低減組成物。カプセル化物の１つの非限定的な例は、Ａｐｐｖｉｏｎ−Ｅｎｃａｐｓｙからの尿素−ホルムアルデヒドシェルを有する脆性マイクロカプセルである。ＰＭＣ（カプセル化香料を含む）の約５０重量％の水が想定される。内相の約３０％は、香料、悪臭抑制化合物若しくは組成物、又はそれらの組み合わせのいずれかである。
【０２２８】
得られる液体洗剤製品は、衣類品を洗うるために使用するとき、洗う衣類の悪臭を低減させる点で有効である。
【０２２９】
実施例６  液体布地増強剤組成物
実施例１〜実施例３で示した組成物に従って悪臭低減物質を用いて調製した液体布地強化剤組成物。
【０２３０】
【表２３】
2017535628.tif 000081
１．Ｎ，Ｎ−ジ（タロウオイルオキシエチル）−Ｎ，Ｎ−ジメチルアンモニウムクロリド。
２．Ｎａｔｉｏｎａｌ  Ｓｔａｒｃｈから商品名ＨＹＬＯＮ  ＶＩＩ（登録商標）として入手可能なカチオン性高アミローストウモロコシデンプン。
３．ＢＡＳＦ（登録商標）から商品名Ｒｈｅｏｖｉｓ（登録商標）ＣＤＥで入手可能なカチオン性ポリマー。
４．カプセル化香料及びカプセル化悪臭低減組成物（ＰＭＣ内のもの）は、約３２％活性と想定する。
５．ＰＭＣは、Ａｐｐｌｅｔｏｎからの尿素−ホルムアルデヒドシェルを備えた脆性ＰＭＣである。ＰＭＣ（カプセル化香料及び／又は悪臭低減組成物を含む）の約５０重量％の水が想定される。
６．ジエチレントリアミン五酢酸
７．Ｄｏｗ  Ｃｈｅｍｉｃａｌから商品名Ｋｏｒａｌｏｎｅ  Ｂ０１１９で入手可能な、ジプロピレングリコール及び水中の１、２−ベンゾイソチアゾリン−３−オン（ＢＩＴ）の１０％活性水溶液。
８．Ｄｏｗ  Ｃｏｒｎｉｎｇ（登録商標）から商品名ＤＣ２３１０として入手可能なシリコーン消泡剤。
９．ＢＡＳＦから商品名Ｌｕｐａｓｏｌ（登録商標）として入手可能なポリエチレンイミン。
１０．Ｄｏｗ  Ｃｏｒｎｉｎｇ（登録商標）からの商品名ＤＣ３４６でのポリジメチルシロキサンエマルジョン。
１１．Ａｋｚｏ  Ｎｏｂｅｌからの、ＴＷＥＥＮ  ２０（商標）などの非イオン性界面活性剤、又はＢｅｒｏｌ  ６４８及びＥｔｈｏｑｕａｄ（登録商標）Ｃ  ２５のようなカチオン性界面活性剤。
１２．ｐａｃｋｅｒ  Ｓｉｌｉｃｏｎｅｓ（ミュンヘン、ドイツ）から市販されている、ヘキサメチレンジイソシアネート（ＨＤＩ）と、ａ，ｗシリコーンジオールと、１，３−プロパンジアミン、Ｎ’−（３−ジメチルアミノプロピル）−Ｎ，Ｎ−ジメチル−Ｊｅｆｆｃａｔ  Ｚ１３０）又はＮ−（３−ジメチルアミノプロピル）−Ｎ，Ｎ−ジイソプロパノールアミン（Ｊｅｆｆｃａｔ  ＺＲ５０）との反応により作製されるオルガノシロキサンポリマー縮合物。
１３．日産化学工業株式会社（Ｎｉｓｓａｎ  Ｃｈｅｍｉｃａｌ  Ｃｏ．）からのＦｉｎｅｏｘｏｃｏｌ（登録商標）１８０
１４．ＳａｓｏｌからのＩｓｏｆｏｌ（登録商標）１６。
＊＊例えば、ＰＧＥ
【０２３１】
実施例６における液体布地強化剤組成物は、溶融された布地柔軟剤活性物質を初期安定化剤と混合して第１の混合物を形成することによって作製する。高剪断混合装置を用いて第１の混合物を水及び塩酸と混合して第２の混合物を形成する。低剪断混合を用いて補助成分をその第２の混合物と併せて布地向上配合物を形成する。
【０２３２】
実施例６における液体布地強化剤組成物は、１０〜６０ｇのその配合物を例えば衣類洗濯機に計量供給することによりすすぎ液に添加することによって使用する。これらの配合物で処理した衣類を吊るし干しで又は衣類自動乾燥機で乾燥させる。これらの配合物で処理した布地は、改善された感触及び香りを有し、衣類の悪臭低減に有効である。
【０２３３】
実施例７  液体布地増強剤組成物
実施例１〜３で示した組成物に従って悪臭低減物質を用いて調製した液体布地強化剤組成物の実施例。
【０２３４】
【表２４】
2017535628.tif 000082
１．Ｅｖｏｎｉｋによって供給された、９１％活性、９％イソプロパノール
２．メチル化が続くトリエタノールアミンとアルキル及び／又は脂肪酸との反応の生成物
３．Ｌｏｎｚａによって供給された、Ｐｒｏｘｅｌ  ＧＸＬ、２０％活性
４．Ｄｏｗ  Ｃｏｒｎｉｎｇによって供給された、ＭＰ１０、８％活性
５．ＢＡＳＦによって供給された、Ｒｈｅｏｖｉｓ  ＣＤＥ
６．ＳＮＦによって供給された、Ｆｌｏｓｏｆｔ  ２２２
７．Ｌｏｎｚａによって供給された、Ｂａｒｄａｃ  ２２５０、５０％活性
８．２０％活性
９．３０％活性
１０．Ｃｌａｒｉａｎｔによって供給された、Ｇｅｎａｐｏｌ  Ｔ６８０
１１．Ｃ１２〜１４アルコールエトキシレートＡＥ１０（２４Ｅ１０）
【０２３５】
実施例８  可溶性ユニドース強力液体組成物
実施例７ａ〜ｆに示した組成物に従って悪臭低減組成物を用いて調製した可溶性ユニドース強力液体組成物の実施例。
【０２３６】
【表２５】
2017535628.tif 000083
１．Ｓｏｌｖａｙ  Ｃｈｅｍｉｃａｌｓ  Ｉｎｔｅｒｎａｔｉｏｎａｌ（ブリュッセル、ベルリン）によって製造されたε−フタルイミド−エポキシ−ヘキサン酸粒子。
【０２３７】
得られるユニドースパウチ製品は、衣類品を洗うために使用するとき、洗う衣類の悪臭を低減させる点で有効である。
【０２３８】
実施例９  悪臭低減組成物を有する食器洗浄組成物実施例
実施例９ａ〜ｅに示した組成物に従って悪臭低減組成物を用いて調製した食器洗浄組成物の実施例。
【０２３９】
【表２６】
2017535628.tif 000084
【０２４０】
実施例１０  自動食器洗浄器での洗浄に使用するための組成物
許容可能な非限定的自動織機洗い用組成物を下に示す。本発明のいくつかの態様は、少なくとも１つの水溶性区画を有し、該区画は、好ましくはＭｏｎｏｓｏｌ  ６６０ｎｍ  Ｍ８６３０Ｋ  Ｗａｔｅｒ  Ｓｏｌｂｌｅ  Ｆｉｌｍで好ましくは構成されている。本発明の他の態様において、単位用量組成物は１つより多くの区画を有し、該区画の少なくとも１つは実施例１０Ａにおけるような粉末を含む。
【０２４１】
【表２７】
2017535628.tif 000085
脂肪酸はＣ１２〜Ｃ１４アルキル及びそれらの混合物を有する
苛性ソーダは好ましい低鉄である。
Ｒｈｅｏｖｉｓ（登録商標）ＡＴ  １２０はメタクリレート／アクリル酸コポリマーである。
【０２４２】
実施例１１  硬質面洗浄用スプレー
【０２４３】
【表２８】
2017535628.tif 000086
【０２４４】
洗剤に組み込まれた悪臭低減化合物又は組成物の洗濯による悪臭低減効能を評価する方法
この方法は、布地ＴＴＷに付着して、洗濯プロセス終了時及び乾燥プロセス終了時に高レベルの芳香臭の一因となることなく悪臭の嗅覚に対する効果を低減させる臭抑制化合物の能力を評価することを意図したものである。
【０２４５】
悪臭を放つ汚れ組成物の作製悪臭を放つ汚れ組成物は、ＥＭＣ（Ｅｍｐｉｒｉｃａｌ  Ｍａｎｕｆａｃｔｕｒｉｎｇ  Ｇｒｏｕｐ、シンシナチ、オハイオ州）から購入したベーコン油脂、並びにスクアレン及びスカトール（両方ともＳｉｇｍａ  Ａｌｄｒｉｃｈから購入）を含む。ベーコン油脂及びスクアレンは、悪臭モデル（残留体臭及び食物臭に類似したアルデヒド及び酸）を含み、残留する体の汚れが消費者衣料品に果たすと考えられる役割に類似した持続性の一因にもなる。スカトールは、強い体臭の良好なモデル材料である。この悪臭を放つ汚れ組成物は、ベーコン油脂とスクアレンの５０重量％／５０重量％混合物中の１．１５％のスカトールを含む。悪臭を放つ溶融ベーコン油脂を製造し、アリコートをビーカーに計り入れること。スクアレンの同重量アリコートをベーコン油脂に添加し、撹拌して併せる。各９８．８５ｇのベーコン油脂＋スクアレン混合物に対して１．１５ｇの固体スカトールを添加し、スカトールが溶解するまで撹拌する。その悪臭を放つ汚れを１０℃未満の冷蔵庫で保管して保存する。悪臭を放つ汚れを徐々に室温に温めた後、それをスワッチに加えて悪臭を放つ汚れたスワッチを作る。
【０２４６】
悪臭を放つ汚れたスワッチの作製：白色ニットポリコットン（１０センチメートル×１０センチメートル（４インチ×４インチ））スワッチをＥＭＣから購入する。Ｄｏｗｎｙで生地をストリッピングするようにＥＭＣに指示してＰＣ５０／５０を注文する。悪臭を放つ汚れ組成物を徐々に温め、１３ｕＬのその悪臭を放つ汚れ組成物をポリコットンスワッチにピペットで加える。悪臭を放つ汚れたスワッチを、薄いホイルでスワッチを隔てながら積み重ね、そのスワッチの束をマイヤーバッグに入れて密封する。悪臭を放つ汚れで処理したスワッチを少なくとも１６時間放置した後、次の工程に進む。作製してから６０時間以内にスワッチを使用する。
【０２４７】
悪臭を放つ染みのついたスワッチを洗濯して残留悪臭染みを作る。
悪臭を放つ染みのついたスワッチの洗濯に使用するバラストを調製する。テリータオルバラストをＳｔａｎｄａｒｄ  Ｔｅｘｔｉｌｅ  Ｃｉｎｃｉｎｎａｔｉ，ＯＨ  Ｉｎｃ．から購入する。Ｋｅｎｍｏｒｅ  ６００  Ｎｏｒｔｈ  Ａｍｅｒｉｃａｎのトップローディング型洗濯機を使用し、６０℃及び７ｇｐｇ水（２）で１５６２．５ｐｐｍ用量のＡＡＴＣＣ  Ｒｅｇｕｌａｒ  Ｄｅｔｅｒｇｅｎｔ（Ａｍｅｒｉｃａｎ  Ａｓｓｏｃ．ｏｆ  Ｔｅｘｔｉｌｅ  Ｃｈｅｍｉｓｔｓ  ａｎｄ  ｃｏｌｏｒｉｓｔｓ（リサーチトライアングルパーク、ノースカロライナ州）から購入）での洗濯／すすぎサイクルに２回、そしてその後、６０℃、７ｐｇｐで無洗剤での３回の洗濯／すすぎサイクルにかけることによって、バラストをストリッピングする。
【０２４８】
悪臭を放つ汚れたスワッチを上記実施例１〜３の範囲内に入る悪臭低減組成物を含むＡＡＴＣＣで洗濯する試験を行う。香料を有さず且つ悪臭抑制化合物又は組成物も有さない対照製品を含める。同じ洗剤配合物が悪臭抑制化合物又は組成物を含む試験も行う。悪臭を放つスワッチを各試験行程で２回洗濯し、これらのスワッチをアルミニウムホイルで包む。残りのバラスト及びスワッチを乾燥させる。乾燥後、悪臭を放つスワッチを各試験行程から２つずつ抽出する。調香師／熟練採点が湿ったスワッチと乾いたスワッチ両方の悪臭及び香料を嗅ぎ、これらスワッチを、数が大きいほど強度が強い１００点スケールで採点する。望ましい成果は、より低い芳香強度をなお維持しながら悪臭の強度を両方とも低下させることである。
【０２４９】
効能を判定するための洗濯による試験の結果
下記の表において、乾いた布地香料レベルについてのゼロは、悪臭低減組成物が乾いた布地にその悪臭低減組成物自体の芳香を送達しなかったことを示し、これは、その悪臭低減組成物が、その悪臭低減組成物を有する洗剤に加えられた何らかの芳香の特徴を変える又は強度を上昇させる可能性が非常に低いことを示す。その一方で、これらの組成物は、悪臭染みの付いたスワッチに対する残留悪臭の印象を低下させなかった。これは、ｌｏｇ  Ｐ≧３である成分を少なくとも１つは有する悪臭低減組成物が、洗濯によって自発的に、更なる送達剤がこれらを汚れた布地の表面に持っていく必要なく、付着することになることを更に明示する。
【０２５０】
【表２９】
2017535628.tif 000087
【０２５１】
本発明の一態様において、悪臭低減化合物又は組成物は、付着剤に頼らずに洗濯によって布地に付着するのに十分な界面活性であることが好ましい。これは、ｌｏｇ  Ｐ≧３である悪臭低減成分を選択すること、又はｌｏｇ  Ｐ≧３である悪臭低減成分を少なくとも１つは含む悪臭低減組成物を製造することによって、果たされる。以下の分析方法は、ｌｏｇ  Ｐ≧３である本発明の悪臭低減成分であるアンバーコア（Amber Core）が洗濯によって付着することができることを明示する。
【０２５２】
布地のヘッドスペースにおけるアンバーコアを検出するためのＭＳ法
この方法を用いて、ダイナミックヘッドスペースＤＨＳ／熱蒸着ユニットＴＤＵ／冷却インジェクションシステムＣＩＳを装備した分析的ガスクロマトグラフィー質量分析法を使用し、非極性又は微極性カラムを使用して、布地の上のヘッドスペースにおけるＡｍｂｅｒｃｏｒｅの存在を同定する。この手順は、アンバーコアを含有する液体洗濯洗剤で処理した布地上のアンバーコアの質的存在に好適である。
【０２５３】
これらのＧＣ−ＭＳ分析を行うのに好適な計器としては、次のものなどの装置が挙げられる：Ｈｅｗｌｅｔｔ  Ｐａｃｋａｒｄ／Ａｇｉｌｅｎｔ  Ｇａｓ  Ｃｈｒｏｍａｔｏｇｒａｐｈ  ｍｏｄｅｌ  ７８９０シリーズＧＣ（Ｈｅｗｌｅｔｔ  Ｐａｃｋａｒｄ／Ａｇｉｌｅｎｔ  Ｔｅｃｈｎｏｌｏｇｉｅｓ  Ｉｎｃ．（サンタクララ、カリフォルニア州、米国））；Ｈｅｗｌｅｔｔ  Ｐａｃｋａｒｄ／Ａｇｉｌｅｎｔ  Ｍｏｄｅｌ  ５９７７Ｎ  Ｍａｓｓ  Ｓｅｌｅｃｔｉｖｅ  Ｄｅｔｅｃｔｏｒ（ＭＳＤ）透過型四重極質量分析計（Ｈｅｗｌｅｔｔ  Ｐａｃｋａｒｄ／Ａｇｉｌｅｎｔ  Ｔｅｃｈｎｏｌｏｇｉｅｓ  Ｉｎｃ．（サンタクララ、カリフォルニア州、米国））；自動ダイナミックヘッドスペースＤＨＳ／熱蒸着ユニットＴＤＵ／冷却インジェクションシステムＣＩＳを装備したＭｕｌｔｉｐｕｒｐｏｓｅ  ＡｕｔｏＳａｍｐｌｅｒ  ＭＰＳ２（ＧＥＲＳＴＥＬ  Ｉｎｃ．（リンティッカム、メリーランド州、米国））；及び５％−フェニル−メチルポリシロキサンカラムＪ＆Ｗ  ＤＢ−５（長さ３０ｍｍ×内径０．２５ｕｍ×膜厚０．２５μｍ）（Ｊ＆Ｗ  Ｓｃｉｅｎｔｉｆｉｃ／Ａｇｉｌｅｎｔ  Ｔｅｃｈｎｏｌｏｇｉｅｓ  Ｉｎｃ．（サンタクララ、カリフォルニア州、米国））。
【０２５４】
ヘッドスペースのアンバーコアを検出するために、分析ステップが、アンバーコアの４つの異性体の滞留時間及び質量スペクトルを検証するための外部アンバーコア参照基準物質の使用を含むことがあることは、当業者には理解されるであろう。
【０２５５】
試料調製：
アンバーコアを含有する洗濯用配合物で布地を処理する。
【０２５６】
２ｇの布片を、ネジ蓋（Ｇｅｒｓｔｅｌ  ｐａｒｔ  ＃０９３６４０−０３８−００）と金属製ネジ蓋（Ｇｅｒｓｔｅｌ  ｐａｒｔ  ＃０９３６４０−０４０−００）を備えた１０ｍＬヘッドスペースバイアルに入れる。
【０２５７】
装置パラメータ：
自動ダイナミックヘッドスペース分析計ＤＨＳ／熱蒸着ユニットＴＤＵ／冷却インジェクションシステムＣＩＳによるヘッドスペースＧＣ／ＭＳによって１０ｍＬバイアルを分析する。
【０２５８】
条件：
ＤＨＳパラメータを次のように設定する：インキュベーションは、１５分間の７５℃インキュベーションであり；トラップ相設定は、２０ｍｌ／分で２００ｍｌ収集、インキュベーション７５℃、移送温度１５０℃、及びトラップ温度２５℃である。ＴＤＵパラメータは、次のように設定する：ＴＤＵパラメータ：初期温度３５℃、５０ｍｌ／分で５分間のパージ、７２０℃／分で２８０℃に加熱、５．０分保持、５．０分までの排液時間で溶剤排液。ＣＩＳパラメータは、−７０℃でクリオフォーカスを行い、１２℃／秒で２８０℃に加熱し、４．０分間保持するように設定する。ＧＣ／ＭＳパラメータは、カラムＪ＆Ｗ  ＤＢ−５ＭＳ  ３０ｍ×２５０ｕｍ×０．２５ｕｍ（ＩＤなしでＭＳに直接）、ＰＴＶ溶媒排液、１．６ｍｌ／分、初期温度４０℃、速度１６℃／分、そして３分間２８０℃を保持に設定する。以下の分析条件にも留意する。
【０２５９】
カラム：Ｊ＆Ｗ  ＤＢ−５、長さ３０ｍ×内径０．２５ｍｍ×膜厚０．２５μｍ
気力学：Ｈｅ、一定流量、１．５ｍＬ／分
オーブン：５０℃（０分）、１２℃／分、２８０℃（２分）
ＭＤＳ：４０〜３００ｍ／ｚの最小レンジでのフルスキャンモード（より広いレンジを使用してもよい）。
【０２６０】
システムの最終温度を、試験試料エタノール濾液中に存在する香料物質すべてを溶出するために十分であるように選択する。
【０２６１】
データ分析：
アンバーコアの参照基準物質の分析結果を用いて、布地の上のヘッドスペースにおけるアンバーコアの存在を検証する。この存在を検出して、データを比較することにより検証する必要がある。０．３％アンバーコアを含有する洗剤で布地を処理したとき、アンバーコアは、布地の上のヘッドスペースにおいて分析的に検出可能であり、このＣ  ｌｏｇ  Ｐ≧３が、送達技術に頼る必要なく洗濯してもなお付着していることを明示する。
【０２６２】
本明細書で開示する寸法及び値を、列挙されているまさにその数値に厳密に限定されるものと解するべきではない。むしろ、別段の指定がない限り、そのような各寸法は、記載の値とその値の周辺の機能的に等価の範囲の両方を意味することを意図したものである。例えば、「４０ｍｍ」と開示されている寸法は、「約４０ｍｍ」を意味することを意図したものである。
【０２６３】
あらゆる相互参照又は関連特許又は出願を含めて、本明細書に引用するすべての文献は、明確な除外又は別段の限定がない限り、参照によりその全体が本明細書に組み込まれている。いずれの文献の引用も、その文献が本願にて開示又は請求するいずれかの発明に対する先行技術であると認めることではなく、その文献が単独で又は他のいずれかの参照文献（単数若しくは複数）との任意の組み合わせで前述の発明のいずれかを教示、示唆又は開示していることを認めることでもない。更に、本書における用語のいずれかの意味又は定義が、参照により組み込まれている文献中の同じ用語の意味又は定義と矛盾する場合には、本書においてその用語に付与する意味又は定義が優先されるものとする。
【０２６４】
以上、本発明の特定の諸実施形態を図示、説明したが、本発明の趣旨及び範囲から逸脱することなく他の様々な変更及び改変を行いうる点は当業者には自明であろう。したがって、本発明の範囲内に存するそのような変更及び修正すべてが、添付の特許請求の範囲に包含されると解釈される。
【国際調査報告】
2017535628.tif 000088
2017535628.tif 000089